(57)【要約】【課題】従来と比して一段と、所望コンテンツの再生を容易にする。【解決手段】上方向ボタンＢ１３及び下方向ボタンＢ１４の操作に従って複数のチャンネルプレイリストＰＬのうちの１つを選択すると共に、この選択したチャンネルプレイリストＰＬに登録されている音楽データＡｄを再生し、また左方向ボタンＢ１５及び右方向ボタンＢ１６の操作に従って、選択中のチャンネルプレイリストＰＬに登録されている音楽データＡｄのうちの１つを選択して再生するようにしたことにより、従来と比して一段と、所望コンテンツの再生を容易にすることができる。【選択図】図１５
2008027536.tif 000002
【特許請求の範囲】
【請求項１】
第１の方向の操作量を入力する第１の入力手段と、
第２の方向の操作量を入力する第２の入力手段と、
上記第１の入力手段または上記第２の入力手段による入力により指定されたコンテンツを再生する再生手段と、
一以上のコンテンツを記憶するコンテンツ記憶手段と、
上記コンテンツの識別情報を有するリストを複数記憶するリスト記憶手段と、
上記第１の入力手段からの入力があると、入力された第１の方向の操作量に従って、上記リスト記憶手段に記憶された複数のリストのうちの一のリストを選択し、選択したリスト内のコンテンツ識別情報に対応するコンテンツを上記コンテンツ記憶手段から読み出して上記再生手段に再生させ、上記第２の入力手段からの入力があると、入力された第２の方向の操作量に従って、選択されているリスト内の一のコンテンツ識別情報を選択し、選択したコンテンツ識別情報に対応するコンテンツを上記コンテンツ記憶手段から読み出して上記再生手段に再生させるように制御する制御手段と
を具えることを特徴とするコンテンツ再生装置。
【請求項２】
上記制御手段は、
上記再生手段が上記コンテンツを再生しているときに、上記第１の入力手段からの入力があると、入力された第１の方向の操作量に従って、上記リスト記憶手段に記憶された複数のリストのうちの一のリストを選択し、選択したリスト内のコンテンツ識別情報に対応するコンテンツを上記コンテンツ記憶手段から読み出して上記再生手段に再生させるように制御する
ことを特徴とする請求項１に記載のコンテンツ再生装置。
【請求項３】
上記制御手段は、
上記第１の入力手段からの入力により選択したリスト内のコンテンツ識別情報に対応するコンテンツの再生を、当該コンテンツの特徴位置から開始するように上記再生手段を制御する
ことを特徴とする請求項１に記載のコンテンツ再生装置。
【請求項４】
上記制御手段は、
上記第２の入力手段からの入力により選択したコンテンツ識別情報に対応するコンテンツの再生を、当該コンテンツの特徴位置から開始するように上記再生手段を制御する
ことを特徴とする請求項１に記載のコンテンツ再生装置。
【請求項５】
上記リスト記憶手段は、
上記リストに対応付けて当該リストの選択の可否を示すリスト選択可否情報を記憶し、
上記制御手段は、
上記第１の入力手段からの入力により選択したリストが選択可能かどうかを上記リスト記憶手段に記憶されたリスト選択可否情報により判別し、選択可能な場合には選択したリスト内のコンテンツ識別情報に対応するコンテンツを上記再生手段に再生させ、選択不可の場合には選択したリストの次のリスト内のコンテンツ識別情報に対応するコンテンツを上記再生手段に再生させる
ことを特徴とする請求項１に記載のコンテンツ再生装置。
【請求項６】
上記リスト記憶手段は、
上記リストに対応付けて当該リスト内の再生順序を規定するリスト再生順序情報を記憶し、
上記制御手段は、
上記第２の入力手段からの入力により選択するコンテンツを上記リスト再生順序情報に基づいて選択する
ことを特徴とする請求項１に記載のコンテンツ再生装置。
【請求項７】
さらに表示手段を具え、
上記制御手段は、
上記再生手段が上記コンテンツを再生しているときに、上記第１の入力手段または上記第２の入力手段からの入力があると、上記表示手段に表示される表示内容が第１の表示から第２の表示へ切り換わるように制御する
ことを特徴とする請求項１に記載のコンテンツ再生装置。
【請求項８】
上記制御手段は、
上記再生手段が上記コンテンツの再生を開始して所定時間経過後、上記表示手段に表示される表示内容が上記第２の表示から上記第１の表示へ切り換わるように制御する
ことを特徴とする請求項７に記載のコンテンツ再生装置。
【請求項９】
上記第１の表示は、再生しているコンテンツの内容を表示する表示であり、上記第２の表示は、再生しているコンテンツの内容及び選択しているリストの内容を表示する表示である
ことを特徴とする請求項７に記載のコンテンツ再生装置。
【請求項１０】
上記リスト記憶手段は、
最初に選択するリストを示すリスト選択情報を記憶し、
上記制御手段は、
まず、上記リスト選択情報に基づいて、上記リスト記憶手段に記憶された複数のリストのうちの一のリストを選択し、選択したリスト内のコンテンツ識別情報に対応するコンテンツを上記再生手段に再生させる
ことを特徴とする請求項１に記載のコンテンツ再生装置。
【請求項１１】
さらに時刻を計時する計時手段を具え、
上記リスト記憶手段は、
複数の時間帯のそれぞれに対応する複数のリストをまとめて特定リストとして記憶し、
上記制御手段は、
上記第１の入力手段からの入力により選択したリストが上記特定リストであった場合、上記特定リストとして記憶された複数のリストのうちの、上記計時手段から得られる時刻に該当する時間帯に対応するリストを選択し、選択したリスト内のコンテンツ識別情報に対応するコンテンツを上記再生手段に再生させる
ことを特徴とする請求項１に記載のコンテンツ再生装置。
【請求項１２】
さらに第３の入力手段を具え、
上記制御手段は、
上記第３の入力手段からの入力があると、上記特定リストとして記憶された複数のリストのうちの、上記計時手段から得られる時刻に該当する時間帯に対応するリストを選択し、選択したリスト内のコンテンツ識別情報に対応するコンテンツを上記再生手段に再生させる
ことを特徴とする請求項１１に記載のコンテンツ再生装置。
【請求項１３】
上記制御手段は、
上記計時手段から得られる時刻に該当する時間帯に応じて、上記再生手段にコンテンツ再生時の音量または音質を変更させる
ことを特徴とする請求項１１に記載のコンテンツ再生装置。
【請求項１４】
上記制御手段は、
上記計時手段から得られる時刻に該当する時間帯に応じて、上記表示手段に表示を変更させる
ことを特徴とする請求項１１に記載のコンテンツ再生装置。
【請求項１５】
第１の方向の操作量を入力する第１の入力手段からの入力があると、入力された第１の方向の操作量に従って、複数のリストのうちの一のリストを選択するリスト選択ステップと、
上記リスト選択ステップで選択したリスト内のコンテンツ識別情報に対応するコンテンツを再生する第１の再生ステップと、
第２の方向の操作量を入力する第２の入力手段からの入力があると、入力された第２の方向の操作量に従って、上記リスト選択ステップで選択したリスト内の一のコンテンツ識別情報を選択するコンテンツ選択ステップと、
上記コンテンツ選択ステップで選択したコンテンツ識別情報に対応するコンテンツを再生する第２の再生ステップと
を具えることを特徴とするコンテンツ再生方法。
【請求項１６】
コンピュータに対して、
第１の方向の操作量を入力する第１の入力手段からの入力があると、入力された第１の方向の操作量に従って、複数のリストのうちの一のリストを選択するリスト選択ステップと、
上記リスト選択ステップで選択したリスト内のコンテンツ識別情報に対応するコンテンツを再生する第１の再生ステップと、
第２の方向の操作量を入力する第２の入力手段からの入力があると、入力された第２の方向の操作量に従って、上記リスト選択ステップで選択したリスト内の一のコンテンツ識別情報を選択するコンテンツ選択ステップと、
上記コンテンツ選択ステップで選択したコンテンツ識別情報に対応するコンテンツを再生する第２の再生ステップと
を実行させることを特徴とするコンテンツ再生プログラム。
【発明の詳細な説明】
【技術分野】
【０００１】
本発明は、コンテンツ再生装置、コンテンツ再生方法及びコンテンツ再生プログラムに関し、例えば、複数のコンテンツのうちのユーザが所望するコンテンツ（以下、これを所望コンテンツとも呼ぶ）を再生する際に適用して好適なものである。
【背景技術】
【０００２】
近年、コンテンツ再生装置として、ハードディスクなどに記憶されたコンテンツ（例えば音楽データ）を読み出して再生したり、サーバに蓄積されたコンテンツをダウンロードして再生するコンテンツ再生装置が広く普及している。このようなコンテンツ再生装置では、再生対象となるコンテンツの数が数百〜数千と多いために、所望コンテンツの再生を容易にすることが求められる。
【０００３】
そこで従来、音楽データを、アーティスト別、アルバム別などのように分類して、分類ごとに音楽データのプレイリストを用意することで、全音楽データを記した１つのプレイリストの中からユーザに所望の音楽データを選択させて再生する場合と比して、所望コンテンツの再生を容易にしたコンテンツ再生装置が提案されている（例えば、特許文献１参照）。
【０００４】
具体的に言うと、このコンテンツ再生装置は、まず複数のプレイリストのタイトル（例えば分類したアーティスト名）を表示して、操作キーにより、ユーザにプレイリストのタイトルを選択操作させる。その後、所望のプレイリストのタイトルが選択された状態で、操作キーにより選択確定操作が行われると、このとき選択されていたプレイリストに登録されている音楽データのタイトルをリスト表示する。そして、コンテンツ再生装置は、操作キーにより、所望の音楽データのタイトルが選択されると、選択された音楽データを再生するようになされている。
【特許文献１】特開２００３−１６２２８５公報
【発明の開示】
【発明が解決しようとする課題】
【０００５】
ところで、上述した従来のコンテンツ再生装置の場合、所望の音楽データを再生するまでに、プレイリストの選択操作、プレイリストの選択確定操作、選択したプレイリストに登録されている音楽データの選択操作というように３段階の操作をユーザに行わせなければならない。また、一旦、プレイリストの選択を確定すると、そのままでは他のプレイリストに登録されている音楽データを選択することはできず、この場合、再度、プレイリストの選択に戻る操作をユーザに行わせなければならなかった。
【０００６】
ここで、このような操作をより簡略化することができれば、従来と比して一段と、所望コンテンツの再生を容易にすることできるものと考えられる。
【０００７】
本発明は以上の点を考慮してなされたもので、従来と比して一段と、所望コンテンツの再生を容易にしたコンテンツ再生装置、コンテンツ再生方法及びコンテンツ再生プログラムを提案しようとするものである。
【課題を解決するための手段】
【０００８】
かかる課題を解決するため本発明においては、第１の方向の操作量を入力する第１の入力手段と、第２の方向の操作量を入力する第２の入力手段と、第１の入力手段または第２の入力手段による入力により指定されたコンテンツを再生する再生手段と、一以上のコンテンツを記憶するコンテンツ記憶手段と、コンテンツの識別情報を有するリストを複数記憶するリスト記憶手段と、第１の入力手段からの入力があると、入力された第１の方向の操作量に従って、リスト記憶手段に記憶された複数のリストのうちの一のリストを選択し、選択したリスト内のコンテンツ識別情報に対応するコンテンツをコンテンツ記憶手段から読み出して再生手段に再生させ、第２の入力手段からの入力があると、入力された第２の方向の操作量に従って、選択されているリスト内の一のコンテンツ識別情報を選択し、選択したコンテンツ識別情報に対応するコンテンツをコンテンツ記憶手段から読み出して再生手段に再生させるように制御する制御手段とを設けるようにした。
【０００９】
このように、第１の入力手段の入力によりリストを選択して、選択したリストに登録されているコンテンツを再生すると共に、第２の入力手段の入力により選択中のリストに登録されているコンテンツを選択して再生するようにしたことにより、所望コンテンツを再生するまでに、リストの選択とリストに登録されているコンテンツの選択との多くて２段階の選択操作を行わせるだけで済み、またリストの選択に対応する第１の入力手段と、コンテンツの選択に対応する第２の入力手段とが別々の入力手段であることにより、リストの選択とコンテンツの選択とを平行して行うことができる。
【発明の効果】
【００１０】
本発明によれば、第１の入力手段の入力によりリストを選択して、選択したリストに登録されているコンテンツを再生すると共に、第２の入力手段の入力により選択中のリストに登録されているコンテンツを選択して再生するようにしたことにより、所望コンテンツを再生するまでに、リストの選択とリストに登録されているコンテンツの選択との多くて２段階の選択操作を行わせるだけで済み、またリストの選択に対応する第１の入力手段と、コンテンツの選択に対応する第２の入力手段とが別々の入力手段であることにより、リストの選択とコンテンツの選択とを平行して行うことができ、かくして、従来と比して一段と、所望コンテンツの再生を容易にしたコンテンツ再生装置、コンテンツ再生方法及びコンテンツ再生プログラムを実現できる。
【発明を実施するための最良の形態】
【００１１】
以下、図面について、本発明の実施の形態を詳述する。
【００１２】
（１）本願発明の基本構成
まず、本願発明の基本構成について説明する。ちなみに、この基本構成を説明したうえで、この基本構成を元に本願発明の第１乃至第４の実施の形態について説明する。
【００１３】
図１において１は、本願発明の基本構成となるコンテンツ再生装置の機能ブロックを示し、このコンテンツ再生装置１は、操作部２より得られる操作命令に応じて、制御部３が各部を制御して、各種処理を実行するようになされている。
【００１４】
またこのコンテンツ再生装置１は、コンテンツとして音楽データを扱うようになされ、さらに音楽データの記録及び再生に関する複数のファンクション（機能）を持ち、制御部３が、これら複数のファンクションを操作部２からの操作命令に応じて切り換え得るようになされていると共に、それぞれのファンクションに対応するＧＵＩ（Graphical User Interface）画面を表示部４に表示するようになされている。ちなみに、ここでの音楽データは、音楽である曲（楽曲とも呼ぶ）に対応するデータであるとする。
【００１５】
すなわちコンテンツ再生装置１の制御部３は、操作部２を介して、例えば、音楽データをダウンロードするファンクション（以下、これをダウンロードファンクションとも呼ぶ）に切り換えるよう命令されると、ダウンロードファンクションに対応するＧＵＩ画面を表示部４に表示し、その後、音楽データをダウンロードするよう命令されると、これに応じて、図示しない音楽提供サーバより提供される音楽データを、ネットワークＮＴを介して通信部５で受信し、これを記憶部６に記憶する。
【００１６】
さらにコンテンツ再生装置１の制御部３は、操作部２を介して、ＣＤ（Compact Disc）を録音するファンクション（ＣＤ録音ファンクションとも呼ぶ）に切り換えるよう命令されると、ＣＤ録音ファンクションに対応するＧＵＩ画面を表示部４に表示し、その後、ＣＤを録音するよう命令されると、このときコンテンツ再生装置１に装填されている図示しないＣＤから音楽データを読み出し、この読み出した音楽データに対して圧縮符号化処理を施したうえで、記憶部６に記憶する。
【００１７】
さらにコンテンツ再生装置１の制御部３は、操作部２を介して、記憶部６に記憶した音楽データを再生するファンクション（通常再生ファンクションとも呼ぶ）に切り換えるよう命令されると、通常再生ファンクションに対応するＧＵＩ画面を表示部４に表示し、その後、音楽データを再生するよう命令されると、これに応じて、記憶部６から音楽データを読み出し、この読み出した音楽データに対して再生部７で復号処理、イコライジング処理、デジタルアナログ変換処理及び増幅処理などの再生処理を施すことによりこの音楽データに基づく音楽（つまり曲）を出力する。
【００１８】
さらにコンテンツ再生装置１の制御部３は、操作部２を介して、ＣＤを再生するファンクション（ＣＤ再生ファンクションとも呼ぶ）に切り換えるよう命令されると、ＣＤ再生ファンクションに対応するＧＵＩ画面を表示部４に表示し、その後、ＣＤを再生するよう命令されると、このときコンテンツ再生装置１に装填されている図示しないＣＤから音楽データを読み出し、この読み出した音楽データに対して再生部７で再生処理を施すことによりこの音楽データに基づく音楽（曲）を出力する。
【００１９】
このようにして、このコンテンツ再生装置１の制御部３は、各種ファンクションに応じた処理を実行するようになされている。
【００２０】
さらに、このコンテンツ再生装置１は、上述したファンクションにくわえて、記憶部６に記憶した音楽データに基づく音楽（曲）を、ラジオ局より放送される音楽を聴くような感覚でユーザに提供するファンクション（以下、これをＭｕｓｉｃＳｔａｔｉｏｎファンクションとも呼ぶ）を持ち、以下、このＭｕｓｉｃＳｔａｔｉｏｎファンクションについて説明する。
【００２１】
まず、このＭｕｓｉｃＳｔａｔｉｏｎファンクションでの音楽データの再生に対応させた、コンテンツ再生装置１による音楽データの管理方法について説明する。
【００２２】
図２に示すように、記憶部６には、音楽データＡｄを管理するデータベースＤＢが構築されている。このデータベースＤＢは、複数の音楽データＡｄのそれぞれを、複数の音楽データ管理情報Ａｍ（Ａｍ１〜ＡｍＸ）のそれぞれにより個別に管理するようになされ、音楽データ管理情報Ａｍのそれぞれには、音楽データＡｄにくわえて、この音楽データＡｄに対応する、曲名、アーティスト名、ジャンル、記録日時、再生時間長、ジャケット画像、再生回数、重要度、及び曲の特徴などからなる情報（以下、これを属性情報とも呼ぶ）Ｔｉが含まれると共に、この音楽データＡｄに基づく曲の特徴的な再生位置（サビ位置、メロディの切り換わり位置などであり、以下、これを特徴位置とも呼ぶ）を示す特徴位置情報Ｃｔが複数（例えばＣｔ１〜Ｃｔ３の３つ）含まれている。
【００２３】
ここで、属性情報Ｔｉに示される曲の特徴は、例えば、音楽データＡｄを１２音解析した結果得られた曲の印象値（曲のテンポ、明るさ、音色などを示す数値）であるとする。また、属性情報Ｔｉ及び特徴位置情報Ｃｔ（Ｃｔ１〜Ｃｔ３）は、例えば、音楽提供サーバより提供される情報であるとする。
【００２４】
くわえて、記憶部６には、データベースＤＢとは別に、音楽データＡｄの再生曲順を管理する複数のプレイリストＰＬ（ＰＬ１〜ＰＬ３、…）が記憶されている。ちなみに、これら複数のプレイリストＰＬ（ＰＬ１〜ＰＬ３、…）のそれぞれは、ラジオ局の各チャンネルで放送される曲のリストに相当するものであり、以下、チャンネルプレイリストＰＬ（ＰＬ１〜ＰＬ３、…）とも呼ぶ。
【００２５】
これら複数のチャンネルプレイリストＰＬ（ＰＬ１〜ＰＬ３、…）のそれぞれは、再生する音楽データＡｄ毎のコンテンツ識別情報である音楽データ情報Ａｉ（Ａｉ１〜Ａｉ５、…）を再生曲順に並べたリストであり、この再生曲順に並べた音楽データ情報Ａｉ（Ａｉ１〜Ａｉ５、…）により、音楽データＡｄの再生曲順を管理するようになされている。ちなみに、これら音楽データ情報Ａｉ（Ａｉ１〜Ａｉ５、…）の再生曲順が、そのまま各音楽データ情報Ａｉ（Ａｉ１〜Ａｉ５、…）の曲番号となる。
【００２６】
ここで、この音楽データ情報Ａｉ（Ａｉ１〜Ａｉ５、…）のそれぞれには、データベースＤＢ上の音楽データＡｄへのリンクＡＫが含まれ、このリンクＡＫにより、再生する音楽データＡｄが指定される。また、この音楽データ情報Ａｉ（Ａｉ１〜Ａｉ５、…）のそれぞれには、リンクＡＫにより指定される音楽データＡｄの再生を音楽データＡｄ単位で許可または禁止する旨を示す音楽データ再生設定Ａｄｉも含まれている。
【００２７】
つまり、複数のチャンネルプレイリストＰＬ（ＰＬ１〜ＰＬ３、…）のそれぞれには、音楽データＡｄの再生曲順と、音楽データＡｄ単位での再生設定（再生許可または再生禁止）とが示されている。
【００２８】
さらに複数のチャンネルプレイリストＰＬ（ＰＬ１〜ＰＬ３、…）のそれぞれには、チャンネルプレイリストＰＬ毎のリスト識別情報であるリスト情報Ｌｉが含まれ、このリスト情報Ｌｉには、チャンネルプレイリストＰＬに割り当てられたチャンネル番号Ｃｎと、チャンネルプレイリストＰＬに登録されている音楽データＡｄの再生をチャンネルプレイリスト単位で許可または禁止する旨を示すリスト再生設定Ｌｄｉと、チャンネルプレイリストＰＬ内の音楽データ情報Ａｉの数（つまりチャンネルプレイリストＰＬに登録されている音楽データＡｄの数であり、以下、これを登録データ数とも呼ぶ）Ｔｎと、チャンネルプレイリストＰＬの名称であるリスト名Ｌｔと、チャンネルプレイリストＰＬの説明であるリスト説明Ｌｄｅと、チャンネルプレイリストＰＬ内の曲順設定Ｌｓとが記されている。
【００２９】
ちなみに、リスト再生設定Ｌｄｉは、通常、ユーザ操作により「再生許可」または「再生禁止」のどちらかに設定可能であるが（設定方法については後述する）、このリスト再生設定Ｌｄｉが「再生許可」に固定されたチャンネルプレイリストＰＬが少なくとも１個は存在する。つまり、このチャンネルプレイリストＰＬは、常に、音楽データＡｄの再生が許可されるリストであり、以下、これをデフォルトプレイリストＤＰＬとも呼ぶ。また、リスト説明Ｌｄｅには、チャンネルプレイリストＰＬの具体的な説明となるテキスト（例えば、「明るい曲を集めました」）、及びこのチャンネルプレイリストＰＬの特徴を示すキーワード（例えば、「明るい」）が記されている。さらに、曲順設定Ｌｓには、チャンネルプレイリストＰＬに示される固定の再生曲順（つまりリスト順）で音楽データＡｄを再生する旨、またはチャンネルプレイリストＰＬに示される再生曲順をランダムに並び替えて再生（シャッフル再生）する旨などが示されている。
【００３０】
さらに、記憶部６には、複数のチャンネルプレイリストＰＬ（ＰＬ１〜ＰＬ３、…）とは別に、ＭｕｓｉｃＳｔａｔｉｏｎファンクションで利用可能なチャンネルのリスト（以下、これをチャンネルリストとも呼ぶ）ＣＬが記憶されている。このチャンネルリストＣＬは、番号順に並べた複数のチャンネル番号ＣＮ（ＣＮ１〜ＣＮ３、…）のリストであり、このチャンネル番号ＣＮが、チャンネルプレイリストＰＬに割り当てられたチャンネル番号Ｃｎと対応する。つまり、このチャンネルリストＣＬは、チャンネル番号ＣＮにより、複数のチャンネルリストＰＬ（ＰＬ１〜ＰＬ３、…）を管理するようになされている。
【００３１】
ちなみに、ＭｕｓｉｃＳｔａｔｉｏｎファンクションで利用可能なチャンネルとチャンネルプレイリストＰＬ（ＰＬ１〜ＰＬ３、…）とは、必ずしも１対１対応である必要はなく、１つのチャンネルに対して、複数のチャンネルプレイリストＰＬが割り当てられていてもよい。
【００３２】
このようにして、コンテンツ再生装置１は、チャンネルリストＣＬにより複数のチャンネルプレイリストＰＬを管理するようになされ、さらに複数のチャンネルプレイリストＰＬのそれぞれによって音楽データＡｄの再生曲順を管理するようになされている。
【００３３】
ところで、ＭｕｓｉｃＳｔａｔｉｏｎファンクションで扱う上述のチャンネルプレイリストＰＬ（ＰＬ１〜ＰＬ３、…）としては、例えば、新しく追加した曲に対応する音楽データＡｄで構成されるチャンネルプレイリスト（以下、これを新規追加リストとも呼ぶ）ＰＬ、再生回数の少ない（または多い）曲に対応する音楽データＡｄで構成されるチャンネルプレイリスト（以下、これを再生少（または多）曲リストとも呼ぶ）ＰＬなどのように、音楽データＡｄの属性情報Ｔｉに示される再生回数に基づいて構成されるチャンネルプレイリストＰＬや、ノリのよい曲に対応する音楽データＡｄで構成されるチャンネルプレイリスト（以下、これをノリ曲リストとも呼ぶ）ＰＬ、明るい曲に対応する音楽データＡｄで構成されるチャンネルプレイリスト（以下、これを明曲リストとも呼ぶ）ＰＬなどのように、音楽データＡｄの属性情報Ｔｉに示される曲の印象値に基づいて構成されるチャンネルプレイリストＰＬや、クラシックの曲に対応する音楽データＡｄで構成されるチャンネルプレイリスト（以下、これをクラシックリストとも呼ぶ）ＰＬ、ヘビーメタルの曲に対応する音楽データＡｄで構成されるチャンネルプレイリスト（以下、これをヘビメタリストとも呼ぶ）ＰＬなどのように、音楽データＡｄの属性情報Ｔｉに示されるジャンルに基づいて構成されるチャンネルプレイリストＰＬなどが予め用意される。
【００３４】
ここで、再生回数に基づくチャンネルプレイリストＰＬは、記憶部６に音楽データＡｄが新たに記憶された場合に、または音楽データＡｄが再生された場合に、自動的に更新されるようになされている。
【００３５】
具体的に言うと、例えば、再生多曲リストＰＬには、キーワードとして「再生回数」「上位１０」が記されており、コンテンツ再生装置１の制御部３は、記憶部６に音楽データＡｄを新たに記憶した後、または音楽データＡｄを再生した後、このキーワード「再生回数」「上位１０」に基づき、記憶部６に記憶されている音楽データＡｄのなかから、再生回数が多い１０個の音楽データＡｄを選び出して、この選び出した音楽データＡｄで構成されるように再生多曲リストＰＬを更新する。
【００３６】
また、曲の印象値に基づくチャンネルプレイリストＰＬ、及びジャンルに基づくチャンネルプレイリストＰＬは、記憶部６に音楽データＡｄが新たに記憶された場合に、自動的に更新されるようになされている。具体的に言うと、例えば、明曲リストＰＬには、キーワードとして「明るい」が記されており、コンテンツ再生装置１の制御部３は、記憶部６に音楽データＡｄを新たに記憶した後、このキーワード「明るい」に基づき、新たに記憶した音楽データＡｄの曲の印象値の明るさを示す値が所定値以上であれば、この音楽データＡｄを明曲リストＰＬに追加登録するようにして明曲リストＰＬを更新する。またクラシックリストＰＬには、キーワードとして「クラシック」が記されており、コンテンツ再生装置１の制御部３は、記憶部６に音楽データＡｄを新たに記憶した後、このキーワード「クラシック」に基づき、新たに記憶した音楽データＡｄのジャンルが「クラシック」であれば、この音楽データＡｄをクラシックリストＰＬに追加登録するようにしてクラシックリストＰＬを更新する。
【００３７】
このように、ＭｕｓｉｃＳｔａｔｉｏｎファンクションでは、新しく追加した曲、再生回数の少ない曲、ノリのよい曲、明るい曲、クラシックの曲、ヘビメタの曲などのように、ユーザが要求すると考えられる分類毎にチャンネルプレイリストＰＬが用意され、コンテンツ再生装置１は、音楽データＡｄの記憶または再生に応じて、記憶部６に記憶している音楽データＡｄを、その再生回数、曲の印象値、ジャンルなどを基に、用意されたチャンネルプレイリストＰＬのうちの該当するチャンネルプレイリストＰＬに登録するようにして、チャンネルプレイリストＰＬを自動的に更新するようになされている。
【００３８】
そして、コンテンツ再生装置１は、後述するＧＵＩ画面上で、新しく追加した曲、再生回数の少ない曲、ノリのよい曲、明るい曲、クラシックの曲、ヘビメタの曲などのように分類されたチャンネルプレイリストＰＬをチャンネルとして、ユーザ操作に応じて選択することにより、ラジオのチャンネルを切り換える感覚で、ユーザが所望の曲を容易に見付けだすことができるようになされている。
【００３９】
次に、このＭｕｓｉｃＳｔａｔｉｏｎファンクションでのＧＵＩ画面について説明する。コンテンツ再生装置１は、操作部２に対するＭｕｓｉｃＳｔａｔｉｏｎファンクション起動操作に応じて、ＭｕｓｉｃＳｔａｔｉｏｎファンクションを起動すると、図３に示すような、チャンネル及び曲を選択するための選択画面１０を、ＧＵＩ画面として表示部４に表示する。
【００４０】
選択画面１０は、画面左隅に、上下方向に長いチャンネル選択領域１１が配されていると共に、残りの部分に、曲選択領域１２が配されている。チャンネル選択領域１１の中央部分には、チャンネルリストＣＬ内のチャンネル番号ＣＮ（ＣＮ１〜ＣＮ３、…）のうち、現在選択中のチャンネルのチャンネル番号ＣＮｓ（例えば「３」）が表示されている。またチャンネル選択領域１１の上側及び下側には、チャンネルリストＣＬ内のチャンネル番号ＣＮ（ＣＮ１〜ＣＮ３、…）の順番にしたがって、現在選択中のチャンネルから切り換えて選択可能なチャンネルのチャンネル番号ＣＮｒ（例えば「２」）及びＣＮｔ（例えば「４」）が表示されている。
【００４１】
さらにチャンネル番号ＣＮｒの上側近傍には、頂点を上側に向けた三角形状の第１のマークＭ１が表示されている一方、チャンネル番号ＣＮｔの下側近傍には、頂点を下側に向けた三角形状の第２のマークＭ２が表示されている。これら第１のマークＭ１及び第２のマークＭ２のそれぞれは、操作部２の操作により選択するチャンネルをチャンネル番号ＣＮｒのチャンネルに、またはチャンネル番号ＣＮｔのチャンネルに切り換えることができる旨を示している。
【００４２】
そしてコンテンツ再生装置１の制御部３は、操作部２に対するチャンネル切換操作に応じて、チャンネル選択領域１１に表示するチャンネル番号ＣＮｓを、チャンネルリストＣＬ内のチャンネル番号ＣＮ（ＣＮ１〜ＣＮ３、…）の順番にしたがって切り換え（つまりチャンネルを切り換え）、これにより、ユーザに対して、チャンネル切換を容易に認識させ得るようになされている。
【００４３】
一方、曲選択領域１２には、その左部分に、選択中のチャンネルに割り当てられたチャンネルプレイリスト（以下、これを選択中リストとも呼ぶ）ＰＬのリスト名（例えば「Heart-Beat Hard Disk」）と、リスト説明（例えば、「ノリノリの曲を集めました」）とが表示されている。そしてコンテンツ再生装置１の制御部３は、操作部２に対するチャンネル切換操作に応じて、曲選択領域１２に表示するリスト名、及びリスト説明を切り換え、これにより、ユーザに対して、選択中のチャンネルの内容を容易に認識させ得るようになされている。
【００４４】
また曲選択領域１２の右部分には、選択中の曲（つまり選択中リストＰＬから選択された音楽データ情報Ａｉに対応する音楽データＡｄに基づく曲）に対応するジャケット画像Ｊｐが表示されると共に、ジャケット画像Ｊｐの下側に選択中の曲に対応する曲名及びアーティスト名が表示されている。
【００４５】
さらにジャケット画像Ｊｐの左側近傍には、頂点を左側に向けた三角形状の第３のマークＭ３が表示されている一方、右側近傍には、頂点を右側に向けた三角形状の第４のマークＭ３が表示されている。これら第３のマークＭ３及び第４のマークＭ４のそれぞれは、操作部２の操作により選択する曲を選択中リストＰＬに従って１つ前の音楽データＡｄに基づく曲に、または１つ先の音楽データＡｄに基づく曲に切り換えることができる旨を示している。
【００４６】
そしてコンテンツ再生装置１の制御部３は、操作部２に対する曲切換操作に応じて、曲選択領域１２に表示するジャケット画像Ｊｐ、曲名及びアーティスト名を切り換え（つまり曲を切り換え）、これにより、ユーザに対して、選択中の音楽データＡｄに基づく曲の内容を容易に認識させ得るようになされている。
【００４７】
このように、コンテンツ再生装置１は、選択画面１０を介してチャンネルの内容及び曲の内容をユーザに視認させつつ、操作部２の操作に従って、チャンネルを切り換えて選択すると共に、再生する曲を切り換えて選択するようになされている。
【００４８】
ちなみに、コンテンツ再生装置１の制御部３は、ＭｕｓｉｃＳｔａｔｉｏｎファンクションを起動すると、例えば、前回のＭｕｓｉｃＳｔａｔｉｏｎファンクション終了時に選択されていたチャンネルを選択すると共に、このチャンネルに割り当てられたチャンネルプレイリストＰＬに登録されている一の音楽データＡｄを選択して、その特徴位置より自動的に再生を開始するようになされている。よって、ＭｕｓｉｃＳｔａｔｉｏｎファンクション起動直後の選択画面１０は、前回のＭｕｓｉｃＳｔａｔｉｏｎファンクション終了時のチャンネルと、このチャンネルに割り当てられたチャンネルプレイリストＰＬに登録されている一の音楽データＡｄに基づく曲とが選択された表示状態となる。
【００４９】
また、このような選択画面１０を表示している状態で、操作部２による曲決定操作が行われると、コンテンツ再生装置１の制御部３は、ＧＵＩ画面を選択画面１０から、図４に示すような再生画面２０に切り換える。
【００５０】
再生画面２０は、画面左隅に、選択チャンネル表示領域２１が配されていると共に、残りの部分に、選択曲表示領域２２が配されている。選択チャンネル表示領域２１には、選択中のチャンネルのチャンネル番号ＣＮｓ（例えば「３」）のみが表示されている。一方、選択曲表示領域２２には、その左部分に、選択中のチャンネルに割り当てられたチャンネルプレイリスト（つまり選択中リスト）ＰＬのリスト名と、選択中の曲に対応する曲名及びアーティスト名とが表示されている。また選択曲表示領域２２の右部分には、選択中の曲に対応するジャケット画像Ｊｐが表示されている。
【００５１】
このように、コンテンツ再生装置１は、再生画面２０を介して、選択されたチャンネル及び曲の内容をユーザに視認させ得るようになされている。
【００５２】
ちなみに、コンテンツ再生装置１の制御部３は、選択画面１０を表示してから所定時間、操作部２に対する操作が何ら行われなかった場合も、曲決定操作が行われた場合と同様に、ＧＵＩ画面を選択画面１０から再生画面２０に切り換えるようになされている。
【００５３】
さらに、コンテンツ再生装置１の制御部３は、再生画面２０を表示している状態で、操作部２に対するチャンネル切換操作が行われたことを認識すると、ＧＵＩ画面を、再生画面２０から、再び、選択画面１０に切り換えるようになされている。
【００５４】
ここで図５を用いて、上述したＧＵＩ画面の画面切り換えと、それに伴う音楽データＡｄの再生制御とについて説明する。コンテンツ再生装置１の制御部３は、ＭｕｓｉｃＳｔａｔｉｏｎファンクションを起動すると、選択画面１０を表示すると共に音楽データＡｄを特徴位置より再生する部分再生モードに移行する。
【００５５】
この部分再生モード時、コンテンツ再生装置１の制御部３は、選択画面１０上でのチャンネル切換操作に応じてチャンネルを切り換えると共に曲を切換後のチャンネルの曲に切り換え、また曲切換操作に応じて同じチャンネル内で曲を切り換えるようになされている。そしてコンテンツ再生装置１の制御部３は、曲を切り換えると、その都度、切換後の曲に対応する音楽データＡｄを特徴位置より再生するようになされている。
【００５６】
ここで、ユーザの多くは、曲の特徴部分（サビ部分、メロディが切り換わる部分など）を覚え、この特徴部分を聴くことで、それぞれの曲を認識するようになされている。つまり、コンテンツ再生装置１は、音楽データＡｄを特徴位置より再生してユーザに特徴部分を聴かせることで、再生した音楽データＡｄに基づく曲をユーザに対して容易に認識させ得るようになされている。
【００５７】
またコンテンツ再生装置１は、チャンネル切換操作及び曲切換操作が行われる度に、切換後の曲に対応する音楽データＡｄを特徴位置より再生することで、ユーザに対してチャンネル及び曲をザッピング感覚で切り換えさせ得るようになされている。
【００５８】
さらにコンテンツ再生装置１は、チャンネル切換時にも、曲を切り換えて切換後の曲に対応する音楽データを再生することで、チャンネル切替後も音楽データＡｄの再生が途切れることなく、あたかもラジオ局より放送される音楽を聴くような感覚で、曲を聴取させることができる。
【００５９】
さらに、コンテンツ再生装置１では、上述したように、選択可能なチャンネルに対して、ユーザが要求すると考えられる分類毎のチャンネルプレイリストＰＬを割り当てていることにより、ユーザが所望のチャンネルに切り換えて容易に所望の曲を見付けだすことができるようになされている。
【００６０】
そして、コンテンツ再生装置１の制御部３は、この部分再生モード時に、操作部２に対する曲決定操作が行われると、またはユーザ操作なく所定時間経過すると、再生画面２０に表示を切り換えると共に音楽データＡｄを通常再生する通常再生モードに移行する。この通常再生モードでは、選択されている曲に対応する音楽データＡｄを終わりまで再生することで曲の全部分をユーザに聴かせ得るようになされている。
【００６１】
その後、コンテンツ再生装置１の制御部３は、操作部２に対するチャンネル切換操作または曲切換操作が行われるまで、選択リストＰＬに従って順次音楽データＡｄをその先頭位置より再生する。そして、コンテンツ再生装置１の制御部３は、操作部２に対するチャンネル切換操作または曲切換操作が行われると、再び、部分再生モードに移行するようになされている。
【００６２】
このようにして、コンテンツ再生装置１の制御部３は、部分再生モードと通常再生モードとを適宜切り換えるようになされ、どちらのモードに切り換わろうとＭｕｓｉｃＳｔａｔｉｏｎファンクション実行中は常に音楽データＡｄを途切れることなく再生するようになされている。
【００６３】
かくするにつき、コンテンツ再生装置１は、このＭｕｓｉｃＳｔａｔｉｏｎファンクション実行時、図６に示すように、あたかもラジオのプリセット局を切り換える感覚で、チャンネル単位でチャンネルプレイリストＰＬを切り換えることができると共に、チャンネル内で曲を切り換えることができ、これにより、ユーザに対して、ラジオ局より放送される音楽を聴くような感覚で、所望の曲を聴取させることができるようになされている。
【００６４】
ここで、このＭｕｓｉｃＳｔａｔｉｏｎファンクションの起動処理（以下、これをＭｕｓｉｃＳｔａｔｉｏｎファンクション起動処理とも呼ぶ）、チャンネル切換処理、曲切換処理の手順について説明する。
【００６５】
まず、ＭｕｓｉｃＳｔａｔｉｏｎファンクション起動処理の手順について説明する。図７に示すように、コンテンツ再生装置１の制御部３は、操作部２を介して、ＭｕｓｉｃＳｔａｔｉｏｎファンクション起動操作が行われたことを認識すると、ＭｕｓｉｃＳｔａｔｉｏｎファンクション起動処理手順ＲＴ１を開始して、ステップＳＰ１に移る。
【００６６】
ステップＳＰ１において制御部３は、ＭｕｓｉｃＳｔａｔｉｏｎファンクションの前回起動時の最後に選択していたチャンネルのチャンネル番号ＣＮを取得して、次のステップＳＰ２に移る。ちなみに、コンテンツ再生装置１の制御部３は、選択中のチャンネルのチャンネル番号ＣＮを示す情報（以下、これを選択中チャンネル情報とも呼ぶ）を記憶部６に記憶すると共に、この選択中チャンネル情報をチャンネル番号ＣＮを切り換えるタイミングで随時更新するようになされている。つまり、この時点で記憶部６に記憶されている選択中チャンネル情報に示されるチャンネル番号ＣＮが、前回起動時の最後に選択されていたチャンネル番号ＣＮであり、制御部３は、この選択中チャンネル情報を取得することで、前回起動時の最後に選択されていたチャンネル番号ＣＮを取得するようになされている。
【００６７】
ステップＳＰ２において制御部３は、取得したチャンネル番号ＣＮに対応するチャンネルプレイリストＰＬを、チャンネルリストＣＬを基に指定して、この指定したチャンネルプレイリスト（以下、これを指定リストとも呼ぶ）ＰＬを記憶部６から読み出して次のステップＳＰ３に移る。
【００６８】
ステップＳＰ３において制御部３は、指定リストＰＬが正しく読み出せたかどうかを判定する。このステップＳＰ３で否定結果を得ると、このことは、例えば、指定リストＰＬのデータが破損していることにより、この指定リストＰＬが正しく読み出せなかったことを意味し、このとき制御部３は、このＭｕｓｉｃＳｔａｔｉｏｎファンクション起動処理手順ＲＴ１をエラー終了する。
【００６９】
これに対して、このステップＳＰ３で肯定結果を得ると、このとき制御部３は、指定リストＰＬが正しく読み出せたと認識して、ステップＳＰ４に移る。
【００７０】
ステップＳＰ４において制御部３は、指定リストＰＬに対する初期化処理（以下、これをチャンネル初期化処理とも呼ぶ）を実行する。このチャンネル初期化処理としては、例えば、チャンネルプレイリストＰＬの曲順設定Ｌｓに、シャッフル再生する旨が示されていた場合に、チャンネルプレイリストＰＬに示される再生曲順をランダムに並び替える処理がある。このようなチャンネル初期化処理を実行した後、制御部３は、次のステップＳＰ５に移る。
【００７１】
ステップＳＰ５において制御部３は、チャンネル初期化処理後の指定リストＰＬの情報（つまりリスト情報Ｌｉ及び音楽データ情報Ａｉ）が正しいかどうかを判定する。このステップＳＰ５で否定結果を得ると、このことは、例えば、指定リストＰＬのリスト情報Ｌｉに含まれるリスト再生設定Ｌｄｉに、指定リストＰＬによる音楽データＡｄの再生が禁止されている旨が示されていることにより、指定リストＰＬの情報が正しくないことを意味し、このとき制御部３は、ステップＳＰ６に移り、音楽データＡｄの再生が許可されている、例えば、デフォルトプレイリストＤＰＬが割り当てられたチャンネルのチャンネル番号ＣＮを新たに取得して、ステップＳＰ２に戻り、この新たに取得したチャンネル番号ＣＮに対応するチャンネルプレイリストＰＬを読み出す。
【００７２】
これに対して、このステップＳＰ５で肯定結果を得ると、このとき制御部３は、指定リストＰＬの情報が正しいと認識して、ステップＳＰ７に移る。
【００７３】
ステップＳＰ７において制御部３は、指定リストＰＬから一の音楽データＡｄ（例えば再生曲順が１番目の音楽データＡｄ）を指定し、この指定した音楽データ（以下、これを指定音楽データとも呼ぶ）Ａｄを記憶部６から読み出して次のステップＳＰ８に移る。
【００７４】
ステップＳＰ８において制御部３は、指定音楽データＡｄが正しく読み出せたかどうかを判定する。このステップＳＰ８で否定結果を得ると、このことは、例えば、指定音楽データＡｄが破損していることにより、この指定音楽データＡｄが正しく読み出せなかったことを意味し、このとき制御部３は、このＭｕｓｉｃＳｔａｔｉｏｎファンクション起動処理手順ＲＴ１をエラー終了する。
【００７５】
これに対して、このステップＳＰ８で肯定結果を得ると、このとき制御部３は、指定音楽データＡｄが正しく読み出せたと認識して、ステップＳＰ９に移る。ステップＳＰ９において制御部３は、上述のステップＳＰ１またはステップＳＰ６で得たチャンネル番号ＣＮを選択中のチャンネルのチャンネル番号ＣＮｓとして表示し、且つ上述のステップＳＰ２で読み出した指定リストＰＬのリスト情報Ｌｉ（リスト名Ｌｔ、リスト説明Ｌｄｅ）と上述のステップＳＰ７で読み出した指定音楽データＡｄの属性情報Ｔｉ（ジャケット画像、曲名、アーティスト名）とを表示した選択画面１０を表示部４に表示すると共に、指定音楽データＡｄの再生を特徴位置（例えば、３つの特徴位置情報Ｃｔ１〜Ｃｔ３のうちの１つにより示される位置）から開始して、このＭｕｓｉｃＳｔａｔｉｏｎファンクション起動処理手順ＲＴ１を終了する。
【００７６】
このようなＭｕｓｉｃＳｔａｔｉｏｎファンクション起動処理手順ＲＴ１によって、音楽再生装置１は、ＭｕｓｉｃＳｔａｔｉｏｎファンクションを起動するようになされている。
【００７７】
このようにコンテンツ再生装置１の制御部３は、ＭｕｓｉｃＳｔａｔｉｏｎファンクション起動後、自動的に音楽データＡｄの再生を開始することで、音楽データＡｄに基づく曲を、あたかもラジオ局より放送される音楽を聴くような感覚でユーザに提供することができるようになされている。
【００７８】
次に、ＭｕｓｉｃＳｔａｔｉｏｎファンクションでのチャンネル切換処理の手順について説明する。図８に示すように、コンテンツ再生装置１の制御部３は、ＭｕｓｉｃＳｔａｔｉｏｎファンクションを起動して、音楽データＡｄを再生している途中で、操作部２を介して、チャンネル切換操作が行われたことを認識すると、チャンネル切換処理手順ＲＴ２を開始して、ステップＳＰ１０に移る。
【００７９】
ステップＳＰ１０において制御部３は、チャンネル切換操作に応じて、チャンネル切換操作の直前まで選択していたチャンネルのチャンネル番号ＣＮ（つまり選択画面１０に表示されたチャンネル番号ＣＮｓ）を基準に、このチャンネル番号ＣＮを−１ずらした番号（つまりチャンネル番号ＣＮｒ）または＋１ずらした番号（つまりチャンネル番号ＣＮｔ）を切換後のチャンネル番号ＣＮとして、次のステップＳＰ１１に移る。
【００８０】
ちなみに、制御部３は、チャンネル番号ＣＮの先頭と最後尾とを繋げるようにして、チャンネル番号ＣＮの切り換えを環状に制御するようになされている。つまり制御部３は、このステップＳＰ１０において、先頭のチャンネル番号ＣＮ−１を最後尾のチャンネル番号ＣＮと認識する一方、最後尾のチャンネル番号ＣＮ＋１を先頭のチャンネル番号ＣＮと認識するようになされている。
【００８１】
ステップＳＰ１１において制御部３は、切換後のチャンネル番号ＣＮに対応するチャンネルプレイリストＰＬを、チャンネルリストＣＬを基に指定して、この指定したチャンネルプレイリスト（指定リスト）ＰＬを記憶部６から読み出して次のステップＳＰ１２に移る。
【００８２】
ステップＳＰ１２において制御部３は、指定リストＰＬが正しく読み出せたかどうかを判定する。このステップＳＰ１２で否定結果を得ると、このことは、例えば、指定リストＰＬのデータが破損していることにより、この指定リストＰＬが正しく読み出せなかったことを意味し、このとき制御部３は、このチャンネル切換処理手順ＲＴ２をエラー終了する。
【００８３】
これに対して、このステップＳＰ１２で肯定結果を得ると、このとき制御部３は、指定リストＰＬが正しく読み出せたと認識して、ステップＳＰ１３に移る。
【００８４】
ステップＳＰ１３において制御部３は、指定リストＰＬに対する処理（以下、これをチャンネル変更時処理とも呼ぶ）を実行する。このチャンネル変更時処理としては、例えば、再生回数の多い曲に対応する音楽データＡｄで構成されるチャンネルプレイリストＰＬを、この時点までの各音楽データＡｄの再生回数に応じて再構成する処理がある。このようなチャンネル変更時処理を実行した後、制御部３は、次のステップＳＰ１４に移る。
【００８５】
ステップＳＰ１４において制御部３は、チャンネル変更時処理後の指定リストＰＬのリスト情報Ｌｉに含まれるリスト再生設定Ｌｄｉに基づき、この指定リストＰＬが割り当てられたチャンネルの表示が許可されているかどうかを判定する。このステップＳＰ１４で否定結果を得ると、このことは、リスト再生設定Ｌｄｉに、指定リストＰＬに登録されている音楽データＡｄの再生を禁止する旨が示されていることにより、この指定リストＰＬが割り当てられているチャンネルの表示が禁止されていることを意味し、このとき制御部３は、ステップＳＰ１０に戻り、先に取得した切替後のチャンネル番号ＣＮを、さらに＋１または−１ずらした番号を新たな切換後のチャンネル番号ＣＮとする。
【００８６】
これに対して、このステップＳＰ１４で肯定結果を得ると、制御部３は、リスト再生設定Ｌｄｉに、指定リストＰＬに登録されている音楽データＡｄの再生を許可する旨が示されていることにより、この指定リストＰＬが割り当てられているチャンネルの表示が許可されていると認識して、ステップＳＰ１５に移る。
【００８７】
ステップＳＰ１５において制御部３は、指定リストＰＬから一の音楽データＡｄ（例えば再生曲順が１番目の音楽データＡｄ）を指定し、この指定した音楽データ（指定音楽データ）Ａｄを記憶部６から読み出して次のステップＳＰ１６に移る。
【００８８】
ステップＳＰ１６において制御部３は、指定音楽データＡｄが正しく読み出せたかどうかを判定する。このステップＳＰ１６で否定結果を得ると、このことは、例えば、指定音楽データＡｄが破損していることにより、この指定音楽データＡｄが正しく読み出せなかったことを意味し、このとき制御部３は、このチャンネル切換処理手順ＲＴ２をエラー終了する。
【００８９】
これに対して、このステップＳＰ１６で肯定結果を得ると、このとき制御部３は、指定音楽データＡｄが正しく読み出せたと認識して、ステップＳＰ１７に移る。ステップＳＰ１７において制御部３は、現在再生中の音楽データＡｄの再生を停止して、上述のステップＳＰ１０で得た切換後のチャンネル番号ＣＮを選択中のチャンネル番号ＣＮｓとして表示し、且つ上述のステップＳＰ１１で読み出した指定リストＰＬのリスト情報Ｌｉ（リスト名Ｌｔ、リスト説明Ｌｄｅ）と上述のステップＳＰ１５で読み出した指定音楽データＡｄの属性情報Ｔｉ（ジャケット画像、曲名、アーティスト名）とを表示した選択画面１０を表示部４に表示すると共に、指定音楽データＡｄの再生を特徴位置（例えば、３つの特徴位置情報Ｃｔ１〜Ｃｔ３のうちの１つにより示される位置）から開始して、このチャンネル切換処理手順ＲＴ２を終了する。
【００９０】
このようなチャンネル切換処理手順ＲＴ２によって、コンテンツ再生装置１は、チャンネルを切り換えるようになされている。
【００９１】
次に、ＭｕｓｉｃＳｔａｔｉｏｎファンクションでの曲切換処理の手順について説明する。図９に示すように、コンテンツ再生装置１の制御部３は、ＭｕｓｉｃＳｔａｔｉｏｎファンクションを起動して、音楽データＡｄを再生している途中で、操作部２を介して、曲切換操作が行われたことを認識すると、曲切換処理手順ＲＴ３を開始して、ステップＳＰ２０に移る。
【００９２】
ステップＳＰ２０において制御部３は、曲切換操作に応じて、曲切換操作の直前まで選択していた曲に対応する音楽データ情報Ａｉの曲番号を基準に、この曲番号を、選択中のチャンネルに割り当てられたチャンネルプレイリストＰＬ内で、−１または＋１ずらした番号を切換後の曲番号として、次のステップＳＰ２１に移る。
【００９３】
ちなみに、制御部３は、曲番号の先頭と最後尾とを繋げるようにして、曲番号の切り換えを環状に制御するようになされている。つまり制御部３は、このステップＳＰ２０において、先頭の曲番号−１を最後尾の曲番号と認識する一方、最後尾の曲番号＋１を先頭の曲番号と認識するようになされている。
【００９４】
ステップＳＰ２１において制御部３は、切換後の曲番号に対応する音楽データ情報Ａｉの音楽データ再生設定Ａｄｉに基づき、この音楽データ情報Ａｉにより指定される音楽データ（指定音楽データ）Ａｄの再生が許可されているかどうかを判定する。このステップＳＰ２１で否定結果を得ると、このことは、指定音楽データＡｄの再生が禁止されていることを意味し、このとき制御部３は、ステップＳＰ２０に戻り、先に取得した切換後の曲番号を、さらに＋１または−１ずらした番号を新たな切換後の曲番号とする。
【００９５】
これに対して、このステップＳＰ２１で肯定結果を得ると、制御部３は、指定音楽データＡｄの再生が許可されていると認識して、ステップＳＰ２２に移る。
【００９６】
ステップＳＰ２２において制御部３は、現在再生中の音楽データＡｄの再生を停止して、次のステップＳＰ２３に移り、ステップＳＰ２３において、指定音楽データＡｄの属性情報Ｔｉ（ジャケット画像、曲名、アーティスト名）を表示した選択画面１０を表示部４に表示すると共に、指定音楽データＡｄの再生を特徴位置（例えば、３つの特徴位置情報Ｃｔ１〜Ｃｔ３のうちの１つにより示される位置）から開始して、この曲切換処理手順ＲＴ３を終了する。
【００９７】
このような曲切換処理手順ＲＴ３によって、コンテンツ再生装置１は、曲を切り換えるようになされている。
【００９８】
ここで、各チャンネルに割り当てられたチャンネルプレイリストＰＬ（ＰＬ１〜ＰＬ３、…）のリスト再生設定Ｌｄｉの設定方法について説明する。ちなみに、ＭｕｓｉｃＳｔａｔｉｏｎファンクションでは、先にチャンネル切換処理手順ＲＴ２の説明で述べたように、チャンネルプレイリストＰＬのリスト再生設定Ｌｄｉに、チャンネルプレイリストＰＬに登録されている音楽データＡｄの再生を許可する旨が示されている場合には、このチャンネルプレイリストＰＬが割り当てられているチャンネルの表示を許可する一方、チャンネルプレイリストＰＬに登録されている音楽データＡｄの再生を禁止する旨が示されている場合には、このチャンネルプレイリストＰＬが割り当てられているチャンネルの表示を禁止するようになされている。
【００９９】
つまり、ＭｕｓｉｃＳｔａｔｉｏｎファンクションでは、このリスト再生設定Ｌｄｉに基づき、ＧＵＩ画面でのチャンネルの表示／非表示を設定し得るようになされている。よって、ここでは、リスト再生設定Ｌｄｉの設定方法を、チャンネルの表示設定方法として説明する。
【０１００】
具体的に、コンテンツ再生装置１の制御部３は、ＭｕｓｉｃＳｔａｔｉｏｎファンクション実行中に、操作部２に対する設定呼出操作が行われたことを認識すると、図１０に示すような、チャンネル表示設定画面３０を表示部４に表示する。
【０１０１】
チャンネル表示設定画面３０は、その中央部分に、ＭｕｓｉｃＳｔａｔｉｏｎファンクションで利用可能なチャンネル毎の情報（以下、これをチャンネル情報とも呼ぶ）をチャンネルリストＣＬの順番に並べたチャンネル情報リスト３１が配されると共に、右下隅に、設定を終了してこのチャンネル表示設定画面３０を閉じるための閉じるボタン３２が配されている。
【０１０２】
このチャンネル情報リスト３１には、表示部４の制約上、全チャンネルのチャンネル情報のうち、例えば４チャンネル分（つまり４行分）のチャンネル情報のみが表示されるようになされ、またチャンネル情報としては、チャンネルの表示設定を示すチェックボックスＣＢと、チャンネル番号（例えば「Ｃｈ２」）と、このチャンネルに割り当てられたチャンネルプレイリストＰＬのリスト名（例えば「あたらしい曲」）と、このチャンネルプレイリストＰＬに登録されている音楽データＡｄの数（例えば「３５曲」）とが表示されるようになされている。ちなみに、チェックボックスＣＢは、チェックマークが付されていればチャンネル表示設定が「表示」、付されていなければチャンネル表示設定が「非表示」であることを示すようになされている。また、チェックボックスＣＢが表示されないチャンネルは、チャンネル表示設定が「表示」に固定されたデフォルトチャンネル、つまりリスト再生設定Ｌｄｉが「再生許可」に固定されたデフォルトプレイリストＤＰＬが割り当てられたチャンネルである。
【０１０３】
さらに、このチャンネル情報リスト３１には、選択されているチャンネル情報に対してフォーカスＦｃが表示されるようになされている。
【０１０４】
また、このチャンネル情報リスト３１の上側近傍には、頂点を上側に向けた三角形状の第５のマークＭ５が表示されている一方、チャンネル情報リスト３１の下側近傍には、頂点を下側に向けた三角形状の第６のマークＭ６が表示されている。これら第５のマークＭ５及び第６のマークＭ６のそれぞれは、操作部２の操作によりチャンネル情報リスト３１に表示されるフォーカスＦｃを１段上または１段下のチャンネル情報にずらすことができる旨を示している。
【０１０５】
そしてコンテンツ再生装置１の制御部３は、操作部２を介したフォーカス移動操作に応じて、チャンネル情報リスト３１内でフォーカスＦｃを移動させてチャンネル情報を選択するようになされている。
【０１０６】
ちなみに、このチャンネル情報リスト３１には、一度に４チャンネル分のチャンネル情報しか表示されないが、例えば、最上段のチャンネル情報にフォーカスＦｃが表示されている状態で、さらにフォーカスＦｃを１段上に移動させるフォーカス移動操作が行われると、または最下段のチャンネル情報にフォーカスＦｃが表示されている状態で、さらにフォーカスＦｃを１段下に移動させるフォーカス移動操作が行われると、チャンネル情報リスト３１に表示されるチャンネル情報が、上方向または下方向に１段ずつスクロールするようになされ、こうすることで、ユーザに対して、全チャンネルのチャンネル情報を確認させ得るようになされている。
【０１０７】
また、このとき、音楽再生装置１の制御部３は、フォーカスＦｃにより選択されたチャンネル情報に対応するチャンネルのチャンネルプレイリストＰＬに登録されている音楽データＡｄを、その特徴位置より例えば数秒間ずつ連続再生することで、チャンネルで流れる曲をユーザに試聴させることができるようにもなされている。
【０１０８】
そしてコンテンツ再生装置１の制御部３は、チャンネル情報を選択した状態で、操作部２に対する表示設定変更操作が行われると、選択しているチャンネル情報のチェックボックスＣＢにチェックマークが付されているのであればこれをはずすことでチャンネル表示設定を「表示」から「非表示」に変更する一方、付されていないのであれば新たに付すことでチャンネル表示設定を「非表示」から「表示」に変更する。
【０１０９】
その後、コンテンツ再生装置１の制御部３は、操作部２に対する操作によりチャンネル表示設定画面３０の閉じるボタン３２が押下されると、このチャンネル表示設定画面３０でのチャンネル表示設定（つまりチェックボックスＣＢのチェックマーク有無）を、各チャンネルに割り当てられているチャンネルプレイリストＰＬのリスト再生設定Ｌｄｉに反映して、このチャンネル表示設定画面３０を閉じるようになされている。
【０１１０】
このように、チャンネル表示設定画面３０では、チャンネル毎にチャンネル表示設定を変更し得るようになされている。そして、チャンネル表示設定が「非表示」に変更されたチャンネルについては、ＧＵＩ画面（つまり選択画面１０及び再生画面２０）に表示されなくなり、当然選択もできなくなる。
【０１１１】
これによりコンテンツ再生装置１は、選択画面１０及び再生画面２０に表示して選択できるチャンネルをどのチャンネルにするかをユーザに設定させることができるので、例えば、選択画面１０に表示するチャンネル構成を、ユーザの好みに合うチャンネル構成にすることもできる。
【０１１２】
つづけて、このチャンネル表示設定の処理（以下、これをチャンネル表示設定処理とも呼ぶ）の手順について説明する。コンテンツ再生装置１の制御部３は、ＭｕｓｉｃＳｔａｔｉｏｎファンクション実行中に、操作部２を介して、設定呼出操作が行われたことを認識すると、ＭｕｓｉｃＳｔａｔｉｏｎファンクションのＧＵＩ画面をチャンネル表示設定画面３０に切り換えると共に、図１１に示すように、チャンネル表示設定処理手順ＲＴ４を開始して、ステップＳＰ３０に移る。
【０１１３】
ステップＳＰ３０において制御部３は、フォーカスＦｃによりチャンネル情報を選択した状態で、操作部２を介して表示設定変更操作を受け付けたかどうかを判定する。このステップＳＰ３０で肯定結果を得ると、このとき制御部３は、ステップＳＰ３１に移る。
【０１１４】
ステップＳＰ３１において制御部３は、選択中のチャンネル情報の現在の表示設定が「表示」であるかどうかを判定する。このステップＳＰ３１で肯定結果を得ると、このことは、選択中のチャンネル情報の現在の表示設定が「表示」であること、つまりチェックボックスＣＢにチェックマークが付されていることを意味し、このとき制御部３は、ステップＳＰ３２に移る。
【０１１５】
ステップＳＰ３２において制御部３は、選択中のチャンネル情報のチェックボックスＣＢに付されたチェックマークをはずすことで、表示設定を「表示」から「非表示」に変更して、次のステップＳＰ３４に移る。
【０１１６】
これに対して、上述のステップＳＰ３１で否定結果を得ると、このことは、選択中のチャンネル情報の現在の表示設定が「非表示」であること、つまりチェックボックスＣＢにチェックマークが付されていないことを意味し、このとき制御部３は、ステップＳＰ３３に移る。
【０１１７】
ステップＳＰ３３において制御部３は、選択中のチャンネル情報のチェックボックスＣＢにチェックマークを付すことで、表示設定を「非表示」から「表示」に変更して、次のステップＳＰ３４に移る。
【０１１８】
一方、上述のステップＳＰ３０で否定結果を得た場合、制御部３は、ステップＳＰ３１〜ステップＳＰ３３を省略して、ステップＳＰ３４に移る。
【０１１９】
ステップＳＰ３４において制御部３は、操作部２を介して、チャンネル表示設定画面３０の閉じるボタン３２が押下されたかどうかを判定する。このステップＳＰ３４で否定結果を得ると、このことは、ユーザがまだチャンネル表示設定を続けようとしていることを意味し、このとき制御部３は、再びステップＳＰ３０に戻り、表示設定変更操作の受付判定を行う。
【０１２０】
これに対してこのステップＳＰ３４で肯定結果を得ると、このことは、ユーザがチャンネル表示設定を終えようとしていることを意味し、このとき制御部３は、ステップＳＰ３５に移り、チャンネル表示設定画面３０上で行われたチャンネル表示設定を、各チャンネルに割り当てられているチャンネルプレイリストＰＬのリスト再生設定Ｌｄｉに反映して、チャンネル表示設定画面３０を閉じると共に、このチャンネル表示設定処理手順ＲＴ４を終了する。
【０１２１】
このようなチャンネル表示設定処理手順ＲＴ４によって、コンテンツ再生装置１は、チャンネルの表示設定を変更するようになされている。
【０１２２】
ここまで説明したように、本願発明の基本構成となるコンテンツ再生装置１は、音楽データの再生ファンクションの１つとしてＭｕｓｉｃＳｔａｔｉｏｎファンクションを持ち、このＭｕｓｉｃＳｔａｔｉｏｎファンクションにより、音楽データＡｄに基づく音楽（つまり曲）を、ラジオ局から放送される音楽を聴くような感覚でユーザに提供することができるようになされている。
【０１２３】
以下、このようなＭｕｓｉｃＳｔａｔｉｏｎファンクションを持つ基本構成を元にした本願発明の第１乃至第４の実施の形態について説明する。
【０１２４】
（２）第１の実施の形態
（２−１）第１の実施の形態の概要
まず、第１の実施の形態の概要を説明する。ちなみにこの概要を説明した後、第１の実施の形態の具体例の説明に移る。
【０１２５】
図１２に示すように、コンテンツ再生装置１００は、第１の方向の操作量を入力する第１の入力部１０１と、第２の方向の操作量を入力する第２の入力部１０２と、第１の入力部１０１または第２の入力部１０２による入力により指定されたコンテンツを再生する再生部１０３と、一以上のコンテンツを記憶するコンテンツ記憶部１０４と、コンテンツの識別情報を有するリストを複数記憶するリスト記憶部１０５と、第１の入力部１０１からの入力があると、入力された第１の方向の操作量に従って、リスト記憶部１０５に記憶された複数のリストのうちの一のリストを選択し、選択したリスト内のコンテンツ識別情報に対応するコンテンツをコンテンツ記憶部１０４から読み出して再生部１０３に再生させ、第２の入力部１０２からの入力があると、入力された第２の方向の操作量に従って、選択されているリスト内の一のコンテンツ識別情報を選択し、選択したコンテンツ識別情報に対応するコンテンツをコンテンツ記憶部１０４から読み出して再生部１０３に再生させるように制御する制御部１０６とを有する。
【０１２６】
尚、第１の入力部１０１及び第２の入力部１０２が、上述した基本構成となるコンテンツ再生装置１（図１）の操作部２に対応するものであり、また、コンテンツ記憶部１０４及びリスト記憶部１０５が、コンテンツ再生装置１の記憶部６に対応するものであり、再生部１０３及び制御部１０６が、それぞれコンテンツ再生装置１の再生部７及び制御部３に対応するものである。
【０１２７】
このような構成を有することで、この第１の実施の形態によるコンテンツ再生装置１００は、所望コンテンツを再生するまでに、第１の入力部１０１によるリストの選択と第２の入力部１０２によるリストに登録されているコンテンツの選択との多くて２段階の選択操作を行わせるだけで済み、またリストの選択に対応する第１の入力部１０１と、コンテンツの選択に対応する第２の入力部１０２とが別々の入力部であることにより、第１の入力部１０１によるリストの選択と第２の入力部１０２によるコンテンツの選択とを平行して行うことができるので、従来と比して一段と、所望コンテンツの再生を容易にすることができる。
【０１２８】
（２−２）第１の実施の形態の具体例
つづけて、この第１の実施の形態の具体例を説明する。図１３に示す音楽再生装置１１０は、上述したコンテンツ再生装置１００の具体例であり、リモートコントローラＲＭ１より送信されてくる操作信号を受信部１１１で受信して操作命令に変換し、この操作命令に応じて、制御部１１２が各部を制御して、各種処理を実行するようになされている。
【０１２９】
またこの音楽再生装置１１０は、音楽データの記録及び再生に関する複数のファンクション（機能）を持ち、制御部１１２が、これら複数のファンクションをリモートコントローラＲＭ１に対する操作に応じて切り換え得るようになされていると共に、それぞれのファンクションに対応するＧＵＩ（Graphical User Interface）画面を表示部１１３に表示するようになされている。ちなみに、ここでの音楽データは、音楽である曲（楽曲）に対応するデータであるとする。
【０１３０】
すなわち音楽再生装置１１０の制御部１１２は、リモートコントローラＲＭ１を介して、例えば、音楽データをダウンロードするダウンロードファンクションに切り換えるよう命令されると、ダウンロードファンクションに対応するＧＵＩ画面を表示部１１３に表示し、その後、音楽データをダウンロードするよう命令されると、これに応じて、図示しない音楽提供サーバより提供される音楽データを、ネットワークＮＴを介してネットワーク接続部１１４で受信し、これをコンテンツ記憶部１１５に記憶する。
【０１３１】
さらに音楽再生装置１１０の制御部１１２は、リモートコントローラＲＭ１を介して、ＣＤを録音するＣＤ録音ファンクションに切り換えるよう命令されると、ＣＤ録音ファンクションに対応するＧＵＩ画面を表示部１１３に表示し、その後、ＣＤを録音するよう命令されると、このとき音楽再生装置１１０に装填されている図示しないＣＤから音楽データを読み出し、この読み出した音楽データに対して圧縮符号化処理を施したうえで、コンテンツ記憶部１１５に記憶する。
【０１３２】
さらに音楽再生装置１１０の制御部１１２は、リモートコントローラＲＭ１を介して、コンテンツ記憶部１１５に記憶した音楽データを再生する通常再生ファンクションに切り換えるよう命令されると、通常再生ファンクションに対応するＧＵＩ画面を表示部１１３に表示し、その後、音楽データを再生するよう命令されると、これに応じて、コンテンツ記憶部１１５から音楽データを読み出し、この読み出した音楽データに対して再生部１１６で復号処理、イコライジング処理、デジタルアナログ変換処理及び増幅処理などの再生処理を施すことによりこの音楽データに基づく音楽（つまり曲）を出力する。
【０１３３】
さらに音楽再生装置１１０の制御部１１２は、リモートコントローラＲＭ１を介して、ＣＤを再生するＣＤ再生ファンクションに切り換えるよう命令されると、ＣＤ再生ファンクションに対応するＧＵＩ画面を表示部１１３に表示し、その後、ＣＤを再生するよう命令されると、このとき音楽再生装置１１０に装填されている図示しないＣＤから音楽データを読み出し、この読み出した音楽データに対して再生部１１６で再生処理を施すことによりこの音楽データに基づく音楽（曲）を出力する。
【０１３４】
このようにして、この音楽再生装置１１０の制御部１１２は、各種ファンクションに応じた処理を実行するようになされている。
【０１３５】
ここで、リモートコントローラＲＭ１の構成について、図１４を用いて説明する。リモートコントローラＲＭ１は、音楽再生装置１１０の電源オン／オフ命令が割り当てられた電源ボタンＢ１と、音量の上げ下げ命令が割り当てられた音量調節ボタンＢ２及びＢ３でなる音量操作部Ｂｇ１と、音楽データの再生制御命令（再生、停止、早送り、巻き戻し、曲送り、曲戻し、一時停止）が割り当てられた再生制御ボタンＢ４、Ｂ５、Ｂ６、Ｂ７、Ｂ８、Ｂ９及びＢ１０でなる再生操作部Ｂｇ２と、ファンクション切換命令が割り当てられたファンクション切換ボタンＢ１１と、各種設定の呼出命令が割り当てられた設定ボタンＢ１２と、ＧＵＩ画面上での上下方向への操作命令が割り当てられた上方向ボタンＢ１３及び下方向ボタンＢ１４、左右方向への操作命令が割り当てられた左方向ボタンＢ１５及び右方向ボタンＢ１６でなる十字操作部Ｂｇ３と、ＧＵＩ画面上での決定命令が割り当てられた決定ボタンＢ１７と、後述するおまかせチャンネル選択命令が割り当てられたおまかせボタンＢ１８とが設けられている。
【０１３６】
つまり、音楽再生装置１１０の制御部１１２は、このリモートコントローラＲＭ１に設けられたファンクション切換ボタンＢ１１に対するユーザ操作に応じて、ファンクションを切り換えるようになされ、また、再生操作部Ｂｇ２に対するユーザ操作に応じて、例えば通常再生ファンクション時の音楽データの再生を制御するようになされ、さらに、十字操作部Ｂｇ３及び決定ボタンＢ１７に対するユーザ操作に応じて、例えばダウンロードファンクション時のダウンロードする音楽データの選択及び決定を行うようになされている。
【０１３７】
尚、このリモートコントローラＲＭ１の上方向ボタンＢ１３及び下方向ボタンＢ１４が、上述したコンテンツ再生装置１００（図１２）の第１の入力部１０１に対応するものであり、左方向ボタンＢ１５及び右方向ボタンＢ１５が、第２の入力部１０２に対応するものである。また音楽再生装置１１０の制御部１１２、コンテンツ記憶部１１５、再生部１１６及びリスト記憶部１１７が、それぞれ上述したコンテンツ再生装置１００の制御部１０６、コンテンツ記憶部１０４、再生部１０３及びリスト記憶部１０５に対応するものである。
【０１３８】
さらに、この音楽再生装置１１０は、上述した基本構成と同様、ＭｕｓｉｃＳｔａｔｉｏｎファンクションを持ち、以下、このＭｕｓｉｃＳｔａｔｉｏｎファンクションについて説明する。尚、この音楽再生装置１１０が持つＭｕｓｉｃＳｔａｔｉｏｎファンクションは、上述の基本構成で説明したＭｕｓｉｃＳｔａｔｉｏｎファンクションを元に、リモートコントローラＲＭ１の操作に対応させたものであり、以下、その操作系を中心に説明する。
【０１３９】
まず、この音楽再生装置１１０が持つＭｕｓｉｃＳｔａｔｉｏｎファンクションでの音楽データＡｄの管理方法について説明する。この管理方法については、データベースＤＢがコンテンツ記憶部１１５に構築（つまり音楽データＡｄがコンテンツ記憶部１１５に記憶）され、チャンネルプレイリストＰＬ及びチャンネルリストＣＬがリスト記憶部１１７に記憶される点以外、上述した基本構成による管理方法と同様であり、その詳細は、上述の基本構成の説明を参照とする。
【０１４０】
つまり、この音楽再生装置１１０も、上述した基本構成と同様、図２に示すように、チャンネルリストＣＬにより複数のチャンネルプレイリストＰＬを管理するようになされ、さらに複数のチャンネルプレイリストＰＬのそれぞれによって音楽データＡｄの再生曲順を管理するようになされている。
【０１４１】
また、このＭｕｓｉｃＳｔａｔｉｏｎファンクションには、上述した基本構成と同様、新しく追加した曲、再生回数の少ない曲、ノリのよい曲、明るい曲、クラシックの曲、ヘビメタの曲などのように、ユーザが要求すると考えられる分類毎にチャンネルプレイリストＰＬが用意され、音楽再生装置１１０の制御部１１２が、音楽データＡｄの記憶または再生に応じて、コンテンツ記憶部１１５に記憶している音楽データＡｄを、その再生回数、曲の印象値、ジャンルなどを基に、用意されたチャンネルプレイリストＰＬのうちの該当するチャンネルプレイリストＰＬに登録するようにして、チャンネルプレイリストＰＬを自動的に更新するようになされている。
【０１４２】
そして、音楽再生装置１１０は、後述するＧＵＩ画面上で、新しく追加した曲、再生回数の少ない曲、ノリのよい曲、明るい曲、クラシックの曲、ヘビメタの曲などのように分類されたチャンネルプレイリストＰＬをチャンネルとして、リモートコントローラＲＭ１に対するユーザ操作に応じて選択することにより、ラジオのチャンネルを切り換える感覚で、ユーザが所望の曲を容易に見付けだすことができるようになされている。
【０１４３】
次に、ＭｕｓｉｃＳｔａｔｉｏｎファンクションでのＧＵＩ画面について説明する。このＧＵＩ画面は、上述した基本構成のＧＵＩ画面と同様の画面構成であるが、リモートコントローラＲＭ１の操作に対応している点が異なるので、この点を中心に説明する。
【０１４４】
すなわち、音楽再生装置１１０は、リモートコントローラＲＭ１のファンクション切換ボタンＢ１１によるＭｕｓｉｃＳｔａｔｉｏｎファンクション起動操作に応じて、ＭｕｓｉｃＳｔａｔｉｏｎファンクションを起動すると、図３との同一部分に同一符号を付した図１５に示す選択画面１２０を、ＧＵＩ画面として表示部１１３に表示する。
【０１４５】
選択画面１２０は、上述した基本構成の選択画面１０と同様、画面左隅に、上下方向に長いチャンネル選択領域１１が配されていると共に、残りの部分に、曲選択領域１２が配されている。チャンネル選択領域１１の中央部分には、現在選択中のチャンネルのチャンネル番号ＣＮｓ（例えば「３」）が表示され、またこのチャンネル選択領域１１の上側及び下側には、現在選択中のチャンネルから切り換えて選択可能なチャンネルのチャンネル番号ＣＮｒ（例えば「２」）及びＣＮｔ（例えば「４」）が表示されている。
【０１４６】
さらにチャンネル番号ＣＮｒの上側近傍には、頂点を上側に向けた三角形状の第１のマークＭ１０が表示されている一方、チャンネル番号ＣＮｔの下側近傍には、頂点を下側に向けた三角形状の第２のマークＭ１１が表示されている。これら第１のマークＭ１０及び第２のマークＭ１１のそれぞれは、リモートコントローラＲＭ１に設けられた上方向ボタンＢ１３及び下方向ボタンＢ１４に対応する形状であり、上方向ボタンＢ１３を押下操作すれば現在選択中のチャンネルをチャンネル番号ＣＮｒのチャンネルに切り換えることができ、下方向ボタンＢ１４を押下操作すれば現在選択中のチャンネルをチャンネル番号ＣＮｔのチャンネルに切り換えることができる旨を示している。
【０１４７】
そして音楽再生装置１１０の制御部１１２は、リモートコントローラＲＭ１の上方向ボタンＢ１３及び下方向ボタンＢ１４を介したチャンネル切換操作に応じて、チャンネル選択領域１１に表示するチャンネル番号ＣＮｓを、チャンネルリストＣＬ内のチャンネル番号ＣＮ（ＣＮ１〜ＣＮ３、…）の順番にしたがって切り換え（つまりチャンネルを切り換え）、これにより、ユーザに対して、チャンネル切換を容易に認識させ得るようになされている。
【０１４８】
一方、曲選択領域１２には、その左部分に、選択中のチャンネルに割り当てられたチャンネルプレイリスト（選択中リスト）ＰＬのリスト名と、リスト説明とが表示されている。そして音楽再生装置１１０の制御部１１２は、リモートコントローラＲＭ１の上方向ボタンＢ１３及び下方向ボタンＢ１４を介したチャンネル切換操作に応じて、曲選択領域１２に表示するリスト名、及びリスト説明を切り換え、これにより、ユーザに対して、選択中のチャンネルの内容を容易に認識させ得るようになされている。
【０１４９】
また曲選択領域１２の右部分には、選択中の曲（つまり選択中リストＰＬから選択された音楽データ情報Ａｉに対応する音楽データＡｄに基づく曲）に対応するジャケット画像Ｊｐが表示されると共に、ジャケット画像Ｊｐの下側に再生中の曲に対応する曲名及びアーティスト名が表示されている。
【０１５０】
さらにジャケット画像Ｊｐの左側近傍には、頂点を左側に向けた三角形状の第３のマークＭ１２が表示されている一方、右側近傍には、頂点を右側に向けた三角形状の第４のマークＭ１３が表示されている。これら第３のマークＭ１２及び第４のマークＭ１３のそれぞれは、リモートコントローラＲＭ１に設けられた左方向ボタンＢ１５及び右方向ボタンＢ１６に対応する形状であり、左方向ボタンＢ１５を押下操作すれば選択する曲を選択中リストＰＬに従って１つ前の音楽データＡｄに基づく曲に切り換えることができ、右方向ボタンＢ１６を押下操作すれば選択する曲を選択中リストＰＬに従って１つ先の音楽データＡｄに基づく曲に切り換えることができる旨を示している。
【０１５１】
そして音楽再生装置１１０の制御部１１２は、リモートコントローラＲＭ１の左方向ボタンＢ１５及び右方向ボタンＢ１６を介した曲切換操作に応じて、曲選択領域１２に表示するジャケット画像Ｊｐ、曲名及びアーティスト名を切り換え（つまり曲を切り換え）、これにより、ユーザに対して、選択中の曲の内容を容易に認識させ得るようになされている。
【０１５２】
このように、音楽再生装置１１０は、選択画面１２０を介してチャンネルの内容及び曲の内容をユーザに視認させつつ、リモートコントローラＲＭ１の上方向ボタンＢ１３及び下方向ボタンＢ１４に対するユーザ操作に従って、チャンネルを切り換えて選択すると共に、リモートコントローラＲＭ１の左方向ボタンＢ１５及び右方向ボタンＢ１６に対するユーザ操作に従って、曲を切り換えて選択するようになされている。
【０１５３】
また、このような選択画面１２０を表示している状態で、リモートコントローラＲＭ１の決定ボタンＢ１７が押下されると、音楽再生装置１１０の制御部１１２は、ＧＵＩ画面を選択画面１２０から、図４との同一部分に同一符号を付した図１６に示す再生画面１３０に切り換える。
【０１５４】
再生画面１３０は、画面左隅に、選択チャンネル表示領域２１が配されていると共に、残りの部分に、選択曲表示領域２２が配されている。選択チャンネル表示領域２１には、現在選択中のチャンネルのチャンネル番号ＣＮｓ（例えば「３」）のみが表示されている。一方、選択曲表示領域２２には、その左部分に、選択中のチャンネルに割り当てられたチャンネルプレイリスト（つまり選択中リスト）ＰＬのリスト名と、選択中の曲に対応する曲名及びアーティスト名とが表示されている。また選択曲表示領域２２の右部分には、選択中の曲に対応するジャケット画像Ｊｐが表示されている。
【０１５５】
このように、音楽再生装置１１０は、再生画面１３０を介して、選択されたチャンネル及び曲の内容をユーザに視認させ得るようになされている。
【０１５６】
ちなみに、音楽再生装置１１０の制御部１１２は、選択画面１２０を表示してから所定時間、リモートコントローラＲＭ１に対するユーザ操作が何ら行われなかった場合も、リモートコントローラＲＭ１の決定ボタンＢ１７が押下された場合と同様に、ＧＵＩ画面を選択画面１２０から再生画面１３０に切り換えるようになされている。
【０１５７】
さらに、音楽再生装置１１０の制御部１１２は、再生画面１３０を表示している状態で、リモートコントローラＲＭ１の上方向ボタンＢ１３及び下方向ボタンＢ１４を介してチャンネル切換操作が行われたこと、または左方向ボタンＢ１５及び右方向ボタンＢ１６を介して曲切換操作が行われたことを認識すると、ＧＵＩ画面を、再生画面１３０から、再び、選択画面１２０に切り換えるようになされている。
【０１５８】
ここで図１７を用いて、上述したＧＵＩ画面の画面切り換えと、それに伴う音楽データＡｄの再生制御とについて説明する。音楽再生装置１１０の制御部１１２は、ＭｕｓｉｃＳｔａｔｉｏｎファンクションを起動すると、選択画面１２０を表示すると共に音楽データＡｄを特徴位置より再生する部分再生モードに移行する。
【０１５９】
この部分再生モード時、音楽再生装置１１０の制御部１１２は、選択画面１２０上でのリモートコントローラＲＭ１によるチャンネル切換操作に応じてチャンネルを切り換えると共に曲を切換後のチャンネルの曲に切り換え、また曲切換操作に応じて同じチャンネル内で曲を切り換えるようになされている。そして音楽再生装置１１０の制御部１１２は、曲を切り換えると、その都度、切換後の曲に対応する音楽データＡｄを特徴位置より再生するようになされている。
【０１６０】
そして、音楽再生装置１１０の制御部１１２は、この部分再生モード時に、リモートコントローラＲＭ１の決定ボタンＢ１７が押下されると、またはリモートコントローラＲＭ１に対するユーザ操作なく所定時間経過すると、再生画面１３０に表示を切り換えると共に音楽データＡｄを通常再生する通常再生モードに移行する。
【０１６１】
その後、音楽再生装置１１０の制御部１１２は、リモートコントローラＲＭ１を介したチャンネル切換操作または曲切換操作が行われるまで、選択リストＰＬに従って順次音楽データＡｄをその先頭位置より再生する。そして、音楽再生装置１１０の制御部１１２は、リモートコントローラＲＭ１を介したチャンネル切換操作または曲切換操作が行われると、再び、部分再生モードに移行するようになされている。
【０１６２】
このようにして、音楽再生装置１１０の制御部１１２は、部分再生モードと通常再生モードとを適宜切り換えるようになされ、どちらのモードに切り換わろうとＭｕｓｉｃＳｔａｔｉｏｎファンクション実行中は常に音楽データＡｄを途切れることなく再生するようになされている。
【０１６３】
かくするにつき、音楽再生装置１１０は、このＭｕｓｉｃＳｔａｔｉｏｎファンクション実行時、図１８に示すように、リモートコントローラＲＭ１の上方向ボタンＢ１３及び下方向ボタンＢ１４の操作に従って、あたかもラジオのプリセット局を切り換える感覚で、チャンネル単位でチャンネルプレイリストＰＬを切り換えることができると共に、左方向ボタンＢ１５及び右方向ボタンＢ１６の操作に従って、チャンネル内で再生する曲を切り換えることができ、これにより、ユーザに対して、ラジオ局より放送される音楽を聴くような感覚で、一段と容易に所望の曲を聴取させることができるようになされている。
【０１６４】
ここで、ＭｕｓｉｃＳｔａｔｉｏｎファンクション起動処理、チャンネル切換処理、曲切換処理の手順について説明する。これらの処理についても、その処理内容は、上述した基本構成での処理とほぼ同様であるが、リモートコントローラＲＭ１の操作に対応した処理であるので、この点を中心に説明する。
【０１６５】
まず、ＭｕｓｉｃＳｔａｔｉｏｎファンクション起動処理の手順について説明する。図１９に示すように、音楽再生装置１１０の制御部１１２は、リモートコントローラＲＭ１を介して、ＭｕｓｉｃＳｔａｔｉｏｎファンクションへの切換操作が行われたことを認識すると、ＭｕｓｉｃＳｔａｔｉｏｎファンクション起動処理手順ＲＴ１０を開始して、ステップＳＰ１００に移る。
【０１６６】
ステップＳＰ１００において制御部１１２は、ＭｕｓｉｃＳｔａｔｉｏｎファンクションの前回起動時の最後に選択していたチャンネルのチャンネル番号ＣＮを取得して、次のステップＳＰ１０１に移る。ちなみに、音楽再生装置１１０の制御部１１２は、選択中のチャンネルのチャンネル番号ＣＮを示す選択中チャンネル情報をコンテンツ記憶部１１５またはリスト記憶部１１７に記憶すると共に、この選択中チャンネル情報をチャンネル番号ＣＮを切り換えるタイミングで随時更新するようになされている。
【０１６７】
ステップＳＰ１０１において制御部１１２は、取得したチャンネル番号ＣＮに対応するチャンネルプレイリストＰＬを、チャンネルリストＣＬを基に指定して、この指定したチャンネルプレイリスト（指定リスト）ＰＬをリスト記憶部１１７から読み出して次のステップＳＰ１０２に移る。
【０１６８】
ステップＳＰ１０２において制御部１１２は、指定リストＰＬが正しく読み出せたかどうかを判定する。このステップＳＰ１０２で否定結果を得ると、このとき制御部１１２は、このＭｕｓｉｃＳｔａｔｉｏｎファンクション起動処理手順ＲＴ１０をエラー終了する。これに対して、このステップＳＰ１０２で肯定結果を得ると、このとき制御部１１２は、ステップＳＰ１０３に移る。
【０１６９】
ステップＳＰ１０３において制御部１１２は、指定リストＰＬに対するチャンネル初期化処理（例えば、指定リストＰＬ内の再生曲順をランダム並び替える処理）を実行して、次のステップＳＰ１０４に移る。ステップＳＰ１０４において制御部１１２は、チャンネル初期化処理後の指定リストＰＬの情報（つまりリスト情報Ｌｉ及び音楽データ情報Ａｉ）が正しいかどうかを判定する。このステップＳＰ１０４で否定結果を得ると、このとき制御部１１２は、ステップＳＰ１０５に移り、例えば、デフォルトプレイリストＤＰＬが割り当てられたチャンネルのチャンネル番号ＣＮを新たに取得して、ステップＳＰ１０１に戻り、この新たに取得したチャンネル番号ＣＮに対応するチャンネルプレイリストＰＬを読み出す。
【０１７０】
これに対して、このステップＳＰ１０４で肯定結果を得ると、このとき制御部１１２は、ステップＳＰ１０６に移る。ステップＳＰ１０６において制御部１１２は、指定リストＰＬから一の音楽データＡｄ（例えば再生曲順が１番目の音楽データＡｄ）を指定し、この指定した音楽データ（指定音楽データ）Ａｄをコンテンツ記憶部１１５から読み出して次のステップＳＰ１０７に移る。
【０１７１】
ステップＳＰ１０７において制御部１１２は、指定音楽データＡｄが正しく読み出せたかどうかを判定する。このステップＳＰ１０７で否定結果を得ると、このとき制御部１１２は、このＭｕｓｉｃＳｔａｔｉｏｎファンクション起動処理手順ＲＴ１０をエラー終了する。これに対して、このステップＳＰ１０７で肯定結果を得ると、このとき制御部１１２は、ステップＳＰ１０８に移る。
【０１７２】
ステップＳＰ１０８において制御部１１２は、上述のステップＳＰ１００またはステップＳＰ１０５で得たチャンネル番号ＣＮを選択中のチャンネルのチャンネル番号ＣＮｓとして表示し、且つ上述のステップＳＰ１０１で読み出した指定リストＰＬのリスト情報Ｌｉ（リスト名Ｌｔ、リスト説明Ｌｄｅ）と上述のステップＳＰ１０６で読み出した指定音楽データＡｄの属性情報Ｔｉ（ジャケット画像、曲名、アーティスト名）とを表示した選択画面１２０を表示部１１３に表示すると共に、指定音楽データＡｄの再生を特徴位置（例えば、３つの特徴位置情報Ｃｔ１〜Ｃｔ３のうちの１つにより示される位置）から開始して、このＭｕｓｉｃＳｔａｔｉｏｎファンクション起動処理手順ＲＴ１０を終了する。
【０１７３】
このようなＭｕｓｉｃＳｔａｔｉｏｎファンクション起動処理手順ＲＴ１０によって、音楽再生装置１１０は、ＭｕｓｉｃＳｔａｔｉｏｎファンクションを起動するようになされている。
【０１７４】
次に、ＭｕｓｉｃＳｔａｔｉｏｎファンクションでのチャンネル切換処理の手順について説明する。図２０に示すように、音楽再生装置１１０の制御部１１２は、ＭｕｓｉｃＳｔａｔｉｏｎファンクションを起動して、音楽データＡｄを再生している途中で、リモートコントローラＲＭ１の上方向ボタンＢ１３または下方向ボタンＢ１４を介して、チャンネル切換操作が行われたことを認識すると、チャンネル切換処理手順ＲＴ１１を開始して、ステップＳＰ１１０に移る。
【０１７５】
ステップＳＰ１１０において制御部１１２は、チャンネル切換操作の直前まで選択していたチャンネルのチャンネル番号ＣＮ（つまり選択画面１２０に表示されたチャンネル番号ＣＮｓ）を基準に、リモートコントローラＲＭ１の上方向ボタンＢ１３が押下された場合には、このチャンネル番号ＣＮを−１ずらした番号（つまりチャンネル番号ＣＮｒ）を切換後のチャンネル番号ＣＮとし、また下方向ボタンＢ１４が押下された場合には、このチャンネル番号ＣＮを＋１ずらした番号（つまりチャンネル番号ＣＮｔ）を切換後のチャンネル番号ＣＮとして、次のステップＳＰ１１１に移る。
【０１７６】
ちなみに、制御部１１２は、チャンネル番号ＣＮの先頭と最後尾とを繋げるようにして、チャンネル番号ＣＮの切り換えをリング状に制御するようになされている。
【０１７７】
ステップＳＰ１１１において制御部１１２は、切換後のチャンネル番号ＣＮに対応するチャンネルプレイリストＰＬを、チャンネルリストＣＬを基に指定して、この指定したチャンネルプレイリスト（指定リスト）ＰＬをリスト記憶部１１７から読み出して次のステップＳＰ１１２に移る。
【０１７８】
ステップＳＰ１１２において制御部１１２は、指定リストＰＬが正しく読み出せたかどうかを判定する。このステップＳＰ１１２で否定結果を得ると、このとき制御部１１２は、このチャンネル切換処理手順ＲＴ１１をエラー終了する。これに対して、このステップＳＰ１１２で肯定結果を得ると、このとき制御部１１２は、ステップＳＰ１１３に移る。
【０１７９】
ステップＳＰ１１３において制御部１１２は、指定リストＰＬに対するチャンネル変更時処理（例えば、指定リストＰＬを再構成する処理）を実行して、次のステップＳＰ１１４に移る。ステップＳＰ１１４において制御部１１２は、チャンネル変更時処理後の指定リストＰＬのリスト情報Ｌｉに含まれるリスト再生設定Ｌｄｉに基づき、この指定リストＰＬが割り当てられたチャンネルの表示が許可されているかどうかを判定する。このステップＳＰ１１４で否定結果を得ると、このとき制御部１１２は、ステップＳＰ１１０に戻り、先に取得した切替後のチャンネル番号ＣＮを、さらに＋１または−１ずらした番号を新たな切換後のチャンネル番号ＣＮとする。
【０１８０】
これに対して、このステップＳＰ１１４で肯定結果を得ると、このとき制御部１１２は、ステップＳＰ１１５に移る。ステップＳＰ１１５において制御部１１２は、指定リストＰＬから一の音楽データＡｄ（例えば再生曲順が１番目の音楽データＡｄ）を指定し、この指定した音楽データ（指定音楽データ）Ａｄをコンテンツ記憶部１１５から読み出して次のステップＳＰ１１６に移る。
【０１８１】
ステップＳＰ１１６において制御部１１２は、指定音楽データＡｄが正しく読み出せたかどうかを判定する。このステップＳＰ１１６で否定結果を得ると、このとき制御部１１２は、このチャンネル切換処理手順ＲＴ１１をエラー終了する。これに対して、このステップＳＰ１１６で肯定結果を得ると、このとき制御部１１２は、ステップＳＰ１１７に移る。
【０１８２】
ステップＳＰ１１７において制御部１１２は、現在再生中の音楽データＡｄの再生を停止して、上述のステップＳＰ１１０で得た切換後のチャンネル番号ＣＮを選択中のチャンネル番号ＣＮｓとして表示し、且つ上述のステップＳＰ１１１で読み出した指定リストＰＬのリスト情報Ｌｉ（リスト名Ｌｔ、リスト説明Ｌｄｅ）と上述のステップＳＰ１１５で読み出した指定音楽データＡｄの属性情報Ｔｉ（ジャケット画像、曲名、アーティスト名）とを表示した選択画面１２０を表示部１１３に表示すると共に、指定音楽データＡｄの再生を特徴位置（例えば、３つの特徴位置情報Ｃｔ１〜Ｃｔ３のうちの１つにより示される位置）から開始して、このチャンネル切換処理手順ＲＴ１１を終了する。
【０１８３】
このようなチャンネル切換処理手順ＲＴ１１によって、音楽再生装置１１０は、リモートコントローラＲＭ１の操作に応じてチャンネルを切り換えるようになされている。
【０１８４】
次に、ＭｕｓｉｃＳｔａｔｉｏｎファンクションでの曲切換処理の手順について説明する。図２１に示すように、音楽再生装置１１０の制御部１１２は、ＭｕｓｉｃＳｔａｔｉｏｎファンクションを起動して、音楽データＡｄを再生している途中で、リモートコントローラＲＭ１の左方向ボタンＢ１５または右方向ボタンＢ１６を介して、曲切換操作が行われたことを認識すると、曲切換処理手順ＲＴ１２を開始して、ステップＳＰ１２０に移る。
【０１８５】
ステップＳＰ１２０において制御部１１２は、曲切換操作の直前まで選択していた曲に対応する音楽データ情報Ａｉの曲番号を基準に、リモートコントローラＲＭ１の左方向ボタンＢ１５が押下された場合には、選択中のチャンネルに割り当てられたチャンネルプレイリストＰＬ内で、この曲番号を−１ずらした番号を切換後の曲番号とする一方、右方向ボタンＢ１６が押下された場合には、現在選択中のチャンネルに割り当てられたチャンネルプレイリストＰＬ内で、この曲番号を＋１ずらした番号を切換後の曲番号として、次のステップＳＰ１２１に移る。
【０１８６】
ちなみに、制御部１１２は、曲番号の先頭と最後尾とを繋げるようにして、曲番号の切り換えをリング状に制御するようになされている。
【０１８７】
ステップＳＰ１２１において制御部１１２は、切換後の曲番号に対応する音楽データ情報Ａｉの音楽データ再生設定Ａｄｉに基づき、この音楽データ情報Ａｉにより指定される音楽データ（指定音楽データ）Ａｄの再生が許可されているかどうかを判定する。このステップＳＰ１２１で否定結果を得ると、このとき制御部１１２は、ステップＳＰ１２０に戻り、先に取得した切換後の曲番号を、さらに＋１または−１ずらした番号を新たな切換後の曲番号とする。
【０１８８】
これに対して、このステップＳＰ１２１で肯定結果を得ると、このとき制御部１１２は、ステップＳＰ１２２に移る。ステップＳＰ１２２において制御部１１２は、現在再生中の音楽データＡｄの再生を停止して、次のステップＳＰ１２３に移り、ステップＳＰ１２３において、指定音楽データＡｄの属性情報Ｔｉ（ジャケット画像、曲名、アーティスト名）を表示した選択画面１２０を表示部１１３に表示すると共に、指定音楽データＡｄの再生を特徴位置（例えば、３つの特徴位置情報Ｃｔ１〜Ｃｔ３のうちの１つにより示される位置）から開始して、この曲切換処理手順ＲＴ１２を終了する。
【０１８９】
このような曲切換処理手順ＲＴ１２によって、音楽再生装置１１０は、リモートコントローラＲＭ１の操作に応じて曲を切り換えるようになされている。
【０１９０】
次に、チャンネルの表示設定方法について説明する。この表示設定方法についても、上述した基本構成での表示設定方法とほぼ同様であるが、リモートコントローラＲＭ１の操作に対応している点が異なるため、この点を中心に説明する。
【０１９１】
すなわち、音楽再生装置１１０の制御部１１２は、ＭｕｓｉｃＳｔａｔｉｏｎファンクション実行中に、リモートコントローラＲＭ１に設けられた設定ボタンＢ１２が押下されたことを認識すると、図１０との同一部分に同一符号を付した図２２に示すようなチャンネル表示設定画面１４０を表示部１１３に表示する。
【０１９２】
チャンネル表示設定画面１４０は、その中央部分に、ＭｕｓｉｃＳｔａｔｉｏｎファンクションで利用可能なチャンネル毎のチャンネル情報をチャンネルリストＣＬの順番に並べたチャンネル情報リスト３１が配されると共に、右下隅に、設定を終了してこのチャンネル表示設定画面１４０を閉じるための閉じるボタン３２が配されている。
【０１９３】
またチャンネル情報リスト３１には、選択されているチャンネル情報に対してフォーカスＦｃが表示されるようになされている。
【０１９４】
このチャンネル情報リスト３１の上側近傍には、頂点を上側に向けた三角形状の第５のマークＭ１４が表示されている一方、チャンネル情報リスト３１の下側近傍には、頂点を下側に向けた三角形状の第６のマークＭ１５が表示されている。これら第５のマークＭ１４及び第６のマークＭ１５のそれぞれは、リモートコントローラＲＭ１に設けられた上方向ボタンＢ１３及び下方向ボタンＢ１４に対応する形状であり、上方向ボタンＢ１３を押下操作すればチャンネル情報リスト３１に表示されるフォーカスＦｃを１段上のチャンネル情報にずらすことができ、下方向ボタンＢ１４を押下操作すればフォーカスＦｃを１段下のチャンネル情報にずらすことができる旨を示している。
【０１９５】
そして音楽再生装置１１０の制御部１１２は、リモートコントローラＲＭ１の上方向ボタンＢ１３及び下方向ボタンＢ１４を介したフォーカス移動操作に応じて、チャンネル情報リスト３１内でフォーカスＦｃを移動させて、チャンネル情報を選択するようになされている。
【０１９６】
ちなみに、このチャンネル情報リスト３１には、一度に４チャンネル分のチャンネル情報しか表示されないが、例えば、最上段のチャンネル情報にフォーカスＦｃが表示されている状態でリモートコントローラＲＭ１の上方向ボタンＢ１３が押下操作されると、または最下段のチャンネル情報にフォーカスＦｃが表示されている状態でリモートコントローラＲＭ１の下方向ボタンＢ１４が押下操作されると、チャンネル情報リスト３１に表示されるチャンネル情報が、上方向または下方向に１段ずつスクロールするようになされ、こうすることで、ユーザに対して、全チャンネルのチャンネル情報を確認させ得るようになされている。
【０１９７】
また、このとき、音楽再生装置１１０の制御部１１２は、フォーカスＦｃにより選択されたチャンネル情報に対応するチャンネルのチャンネルプレイリストＰＬに登録されている音楽データＡｄを、その特徴位置より例えば数秒間ずつ連続再生することで、チャンネルで流れる曲をユーザに試聴させることができるようにもなされている。
【０１９８】
そして音楽再生装置１１０の制御部１１２は、チャンネル情報を選択した状態で、リモートコントローラＲＭ１の決定ボタンＢ１７が押下操作されると、選択しているチャンネル情報のチェックボックスＣＢにチェックマークが付されているのであればこれをはずすことでチャンネル表示設定を「表示」から「非表示」に変更する一方、付されていないのであれば新たに付すことでチャンネル表示設定を「非表示」から「表示」に変更する。
【０１９９】
その後、音楽再生装置１１０の制御部１１２は、リモートコントローラＲＭ１に対するユーザ操作によりチャンネル表示設定画面１４０の閉じるボタン３２が押下されると、このチャンネル表示設定画面１４０でのチャンネル表示設定（つまりチェックボックスＣＢのチェックマーク有無）を、各チャンネルに割り当てられているチャンネルプレイリストＰＬのリスト再生設定Ｌｄｉに反映して、このチャンネル表示設定画面１４０を閉じるようになされている。
【０２００】
このように、チャンネル表示設定画面１４０では、リモートコントローラＲＭ１の操作に応じてチャンネル毎にチャンネル表示設定を変更し得るようになされている。そして、チャンネル表示設定が「非表示」に変更されたチャンネルについては、ＧＵＩ画面（つまり選択画面１２０及び再生画面１３０）に表示されなくなり、当然選択もできなくなる。
【０２０１】
これにより音楽再生装置１１０は、選択画面１２０及び再生画面１３０に表示して選択できるチャンネルをどのチャンネルにするかをユーザに設定させることができるので、例えば、選択画面１２０及び再生画面１３０に表示するチャンネル構成を、ユーザの好みに合うチャンネル構成にすることもできる。
【０２０２】
つづけて、このチャンネル表示設定処理の手順について説明する。音楽再生装置１１０の制御部１１２は、ＭｕｓｉｃＳｔａｔｉｏｎファンクション実行中に、リモートコントローラＲＭ１の設定ボタンＢ１２が押下操作されたことを認識すると、ＭｕｓｉｃＳｔａｔｉｏｎファンクションのＧＵＩ画面をチャンネル表示設定画面１４０に切り換えると共に、図２３に示すように、チャンネル表示設定処理手順ＲＴ１３を開始して、ステップＳＰ１３０に移る。
【０２０３】
ステップＳＰ１３０において制御部１１２は、フォーカスＦｃによりチャンネル情報を選択した状態で、リモートコントローラＲＭ１の決定ボタンＢ１７が押下操作されたか否か、つまり表示設定変更操作を受け付けたかどうかを判定する。このステップＳＰ１３０で肯定結果を得ると、このとき制御部１１２は、ステップＳＰ１３１に移る。
【０２０４】
ステップＳＰ１３１において制御部１１２は、選択中のチャンネル情報の現在の表示設定が「表示」であるかどうかを判定する。このステップＳＰ１３１で肯定結果を得ると、このとき制御部１１２は、ステップＳＰ１３２に移る。
【０２０５】
ステップＳＰ１３２において制御部１１２は、選択中のチャンネル情報のチェックボックスＣＢに付されたチェックマークをはずすことで、表示設定を「表示」から「非表示」に変更して、次のステップＳＰ１３４に移る。
【０２０６】
これに対して、上述のステップＳＰ１３１で否定結果を得ると、このとき制御部１１２は、ステップＳＰ１３３に移る。ステップＳＰ１３３において制御部１１２は、選択中のチャンネル情報のチェックボックスＣＢにチェックマークを付すことで、表示設定を「非表示」から「表示」に変更して、次のステップＳＰ１３４に移る。
【０２０７】
一方、上述のステップＳＰ１３０で否定結果を得た場合、制御部１１２は、ステップＳＰ１３１〜ステップＳＰ１３３を省略して、ステップＳＰ１３４に移る。
【０２０８】
ステップＳＰ１３４において制御部１１２は、リモートコントローラＲＭ１を介して、チャンネル表示設定画面１４０の閉じるボタン３２が押下されたかどうかを判定する。このステップＳＰ１３４で否定結果を得ると、このとき制御部１１２は、再びステップＳＰ１３０に戻り、表示設定変更操作の受付判定を行う。
【０２０９】
これに対してこのステップＳＰ１３４で肯定結果を得ると、このとき制御部１１２は、ステップＳＰ１３５に移り、チャンネル表示設定画面１４０でのチャンネル表示設定を、各チャンネルに割り当てられているチャンネルプレイリストＰＬのリスト再生設定Ｌｄｉに反映して、チャンネル表示設定画面１４０を閉じると共に、このチャンネル表示設定処理手順ＲＴ１３を終了する。
【０２１０】
このようなチャンネル表示設定処理手順ＲＴ１３によって、音楽再生装置１１０は、リモートコントローラＲＭ１の操作に応じてチャンネルの表示設定を変更するようになされている。
【０２１１】
ここまで説明したように、この第１の実施の形態の音楽再生装置１１０は、リモートコントローラＲＭ１の操作に対応するＭｕｓｉｃＳｔａｔｉｏｎファンクションを持ち、ＭｕｓｉｃＳｔａｔｉｏｎファンクションの起動、チャンネル切換、曲切換、チャンネルの表示設定などを、リモートコントローラＲＭ１の操作により容易に行うことができるようになされている。
【０２１２】
ところで、この第１の実施の形態の音楽再生装置１１０には、ＭｕｓｉｃＳｔａｔｉｏｎファンクションで扱うチャンネルの１つとして、時間帯（例えば、朝、昼、夕方、夜、深夜）に応じて割り当てられるチャンネルプレイリストＰＬが自動的に切り換わる特殊なチャンネル（これを、おまかせチャンネルとも呼ぶ）が用意されている。
【０２１３】
また、このおまかせチャンネルに割り当てられるチャンネルプレイリストＰＬとして、音楽再生装置１１０には、朝に適した曲に対応する音楽データＡｄで構成されるチャンネルプレイリスト（以下、朝用リストとも呼ぶ）ＰＬ、昼に適した曲に対応する音楽データＡｄで構成されるチャンネルプレイリスト（以下、昼用リストとも呼ぶ）ＰＬ、夕方に適した曲に対応する音楽データＡｄで構成されるチャンネルプレイリスト（以下、夕方用リストとも呼ぶ）ＰＬ、夜に適した曲に対応する音楽データＡｄで構成されるチャンネルプレイリスト（以下、夜用リストとも呼ぶ）ＰＬ、深夜に適した曲に対応する音楽データＡｄに対応する音楽データＡｄで構成されるチャンネルプレイリスト（以下、深夜用リストとも呼ぶ）ＰＬといった、時間帯に応じたチャンネルプレイリストＰＬが用意されている。
【０２１４】
ここで、この時間帯に応じたチャンネルプレイリストＰＬは、コンテンツ記憶部１１５に音楽データＡｄが記憶された場合に、自動的に更新されるようになされている。
【０２１５】
具体的に言うと、例えば、夜用リストＰＬには、キーワードとして、「静か」が記されており、音楽再生装置１１０の制御部１１２は、コンテンツ記憶部１１５に音楽データＡｄを新たに記憶した後、このキーワード「静か」に基づき、コンテンツ記憶部１１５に記憶されている音楽データＡｄのなかから、曲の印象値の静かさを示す値が所定値以上の音楽データＡｄを選び出して、この選び出した音楽データＡｄで構成されるように夜用リストＰＬの構成を更新するようになされている。
【０２１６】
そして、音楽再生装置１１０の制御部１１２は、ＭｕｓｉｃＳｔａｔｉｏｎファンクション実行中、リモートコントローラＲＭ１の上方向ボタンＢ１３及び下方向ボタンＢ１４を介したチャンネル切換操作に従って、おまかせチャンネルを選択すると、計時部１１８より得られる時刻に基づいて現在の時間帯を特定し、この特定した時間帯に応じて、おまかせチャンネルに割り当てられた朝用リストＰＬ、昼用リストＰＬ、夕方用リストＰＬ、夜用リストＰＬ及び深夜用リストＰＬのうちの１つを指定し、この指定したリストに従って、音楽データＡｄを再生するようになされている。
【０２１７】
このように、音楽再生装置１１０は、おまかせチャンネルを選択した場合、現在の時間帯に応じたチャンネルプレイリストＰＬを選択して、選択したチャンネルプレイリストＰＬに従って音楽データＡｄを再生することで、現在の時間帯に適した曲をユーザに聴かせることができるようになされている。
【０２１８】
また、音楽再生装置１１０の制御部１１２は、リモートコントローラＲＭ１に設けられたおまかせボタンＢ１８が押下操作された場合、チャンネルリストＣＬのチャンネル番号ＣＮの順番に関係なく、直ちに、選択中のチャンネルをおまかせチャンネルに切り換えることができるようにもなされている。このように、音楽再生装置１１０は、リモートコントローラＲＭ１のおまかせボタンＢ１８が押下操作されると、直ちに、おまかせチャンネルに切り換えることで、リモートコントローラＲＭ１の上方向ボタンＢ１３及び下方向ボタンＢ１４を介したチャンネル切換操作を省略して、より単純な操作で、現在の時間帯に適した曲をユーザに聴かせることができるようにもなされている。
【０２１９】
ここで、おまかせチャンネルに切り換えたときの、チャンネルプレイリストＰＬの指定処理（以下、これをリスト指定処理とも呼ぶ）について、図２４を用いて説明する。ちなみに、この処理は、上述したチャンネル切換処理手順ＲＴ１１（図２０）のステップＳＰ１１０において切換後のチャンネル番号ＣＮがおまかせチャンネルのチャンネル番号ＣＮであった場合に、つづくステップＳＰ１１１で実行される処理である。
【０２２０】
すなわち音楽再生装置１１０の制御部１１２は、切換後のチャンネル番号ＣＮがおまかせチャンネルのチャンネル番号ＣＮであった場合、ステップＳＰ１１１での処理としてリスト指定処理手順ＲＴ１４を開始し、ステップＳＰ１４０に移る。
【０２２１】
ステップＳＰ１４０において制御部１１２は、計時部１１８より得られる時刻に基づいて現在の時間帯を特定して、次のステップＳＰ１４１に移る。ステップＳＰ１４１において制御部１１２は、特定した時間帯に応じて、おまかせチャンネルに割り当てられた朝用リストＰＬ、昼用リストＰＬ、夕方用リストＰＬ、夜用リストＰＬ及び深夜用リストＰＬのうちの１つを指定して、指定リストＰＬをリスト記憶部１１７から読み出し、このリスト指定処理手順ＲＴ１４を終了する（チャンネル切換処理手順ＲＴ１１のステップＳＰ１１２に移る）。
【０２２２】
このようなリスト指定処理手順ＲＴ１４によって、音楽再生装置１１０は、おまかせチャンネルに割り当てられた朝用リストＰＬ、昼用リストＰＬ、夕方用リストＰＬ、夜用リストＰＬ及び深夜用リストＰＬのうちの１つを指定するようになされている。
【０２２３】
ちなみに、おまかせボタンＢ１８が押下操作された場合、切換後のチャンネル番号ＣＮはおまかせチャンネルのチャンネル番号ＣＮとなるので、上述したチャンネル切換処理手順ＲＴ１１のステップＳＰ１１０を省略して、ただちにこのリスト指定処理手順ＲＴ４を開始すればよい。
【０２２４】
（２−３）第１の実施の形態による動作及び効果
以上の構成において、音楽再生装置１１０は、コンテンツ記憶部１１５に記憶する複数の音楽データＡｄを、リスト記憶部１１７に記憶している、音楽データＡｄのコンテンツ識別情報である音楽データ情報Ａｉをリスト化した複数のチャンネルプレイリストＰＬにより管理する。
【０２２５】
そして音楽再生装置１１０の制御部１１２は、リモートコントローラＲＭ１の上方向ボタンＢ１３及び下方向ボタンＢ１４の操作に従って、複数のチャンネルプレイリストＰＬのうちの１つをチャンネルの選択を介して選択すると共に、この選択したチャンネルプレイリストＰＬに登録されている音楽データＡｄのうちの１つを任意に選択して再生し、またリモートコントローラＲＭ１の左方向ボタンＢ１５及び右方向ボタンＢ１６の操作に従って、選択中のチャンネルプレイリストＰＬに登録されている音楽データＡｄのうちの１つを選択して再生する。
【０２２６】
この結果、音楽再生装置１１０は、ユーザが所望する音楽データＡｄを再生するまでに、リモートコントローラＲＭ１の上方向ボタンＢ１３及び下方向ボタンＢ１４によるチャンネルプレイリストＰＬの選択と、左方向ボタンＢ１５及び右方向ボタンＢ１６による音楽データＡｄの選択との多くて２段階の選択操作を行わせるだけで済み、またチャンネルプレイリストＰＬの選択に対応する上方向ボタンＢ１３及び下方向ボタンＢ１４と音楽データＡｄの選択に対応する左方向ボタンＢ１５及び右方向ボタンＢ１６とが別々のボタンであることにより、上方向ボタンＢ１３及び下方向ボタンＢ１４によるチャンネルプレイリストＰＬの選択と、左方向ボタンＢ１５及び右方向ボタンＢ１６による音楽データＡｄの選択とを平行して行うことができる。
【０２２７】
また、この音楽再生装置１１０の制御部１１２は、選択中のチャンネルプレイリストＰＬの情報（割り当てられたチャンネル番号、リスト名、リスト説明）と、選択中の音楽データＡｄの情報（ジャケット画像、曲名、アーティスト名）とを同一画面上に表示するようにしたことにより、チャンネルプレイリストＰＬの内容と音楽データＡｄの内容とを同一画面上でユーザに確認させつつ、チャンネルプレイリストＰＬ及び音楽データＡｄの選択操作を行わせることができる。
【０２２８】
さらに、この音楽再生装置１１０の制御部１１２は、朝用リストＰＬ、昼用リストＰＬ、夕方用リストＰＬ、夜用リストＰＬ、深夜用リストＰＬといった、時間帯に応じたチャンネルプレイリストＰＬをリスト記憶部１１７に記憶し、現在の時間帯に応じて、これらのうちの１つを選択し、この選択したチャンネルプレイリストＰＬに従って音楽データＡｄを再生することにより、現在の時間帯に適した曲をユーザに聴かせることができるようになされている。
【０２２９】
以上の構成によれば、この第１の実施の形態による音楽再生装置１１０は、ユーザが所望する音楽データＡｄを再生するまでに、リモートコントローラＲＭ１の上方向ボタンＢ１３及び下方向ボタンＢ１４によるチャンネルプレイリストＰＬの選択と、左方向ボタンＢ１５及び右方向ボタンＢ１６による音楽データＡｄの選択との多くて２段階の選択操作を行わせるだけで済み、またチャンネルプレイリストＰＬの選択に対応する上方向ボタンＢ１３及び下方向ボタンＢ１４と音楽データＡｄの選択に対応する左方向ボタンＢ１５及び右方向ボタンＢ１６とが別々のボタンであることにより、上方向ボタンＢ１３及び下方向ボタンＢ１４によるチャンネルプレイリストＰＬの選択と、左方向ボタンＢ１５及び右方向ボタンＢ１６による音楽データＡｄの選択とを平行して行うことができるので、従来と比して一段と、所望コンテンツの再生を容易にすることができる。
【０２３０】
（２−４）第１の実施の形態に対する他の実施の形態
尚、この第１の実施の形態では、上述した基本構成と同様、ＭｕｓｉｃＳｔａｔｉｏｎファンクションを、前回起動時の最後に選択していたチャンネルを選択した状態で、起動するようにした場合について述べたが、本発明はこれに限らず、起動時に選択するチャンネルを、任意のチャンネルに固定するようにしてもよい。
【０２３１】
この場合、起動時に選択するチャンネルの設定は、例えば、図２５に示すような起動時チャンネル設定画面１５０を介して行う。音楽再生装置１１０の制御部１１２は、ＭｕｓｉｃＳｔａｔｉｏｎファンクション実行中に、リモートコントローラＲＭ１の設定ボタンＢ１２が押下されたことを認識すると、この起動時チャンネル設定画面１５０を表示部１１３に表示する。
【０２３２】
ちなみに、設定ボタンＢ１２には、上述したチャンネル表示設定画面１４０の呼出命令も割り当てられているので、例えば、設定ボタンＢ１２が押下される毎に、このチャンネル表示設定画面１４０の表示と起動時チャンネル設定画面１５０の表示とを切り換えるようにすればよい。また、チャンネル表示設定画面１４０の呼出命令に対応する設定ボタンと起動時チャンネル設定画面１５０の呼出命令に対応する設定ボタンとの２つを、リモートコントローラＲＭ１に設けるようにしてもよい。
【０２３３】
起動時チャンネル設定画面１５０には、起動時に選択されるチャンネルのチャンネル番号（例えば「Ｃｈ１」）が表示される起動時チャンネル表示ボックス１５１と、設定を終了して起動時チャンネル設定画面１５０を閉じるための閉じるボタン１５２とが配されている。
【０２３４】
そして音楽再生装置１１０の制御部１１２は、リモートコントローラＲＭ１の上方向ボタンＢ１３及び下方向ボタンＢ１４の操作に従って、起動時チャンネル表示ボックス１５０に表示するチャンネル番号を切り換え、リモートコントローラＲＭ１の操作により閉じるボタン１５２が押下されると、このとき起動時チャンネル表示ボックス１５１に表示しているチャンネル番号を、起動時に選択するチャンネルのチャンネル番号を示す情報（以下、起動時チャンネル情報とも呼ぶ）として、コンテンツ記憶部１１５またはリスト記憶部１１７に記憶する。
【０２３５】
このようにして、音楽再生装置１１０の制御部１１２は、起動時に選択するチャンネルをユーザに設定させることができるようになされている。この場合、上述したＭｕｓｉｃＳｔａｔｉｏｎファンクション起動処理手順ＲＴ１０のステップＳＰ１００での処理を、前回起動時の最後に選択していたチャンネルのチャンネル番号を取得するのではなく、起動時チャンネル情報に示されるチャンネル番号を取得するように変更すればよい。
【０２３６】
さらに、これに限らず、ＭｕｓｉｃＳｔａｔｉｏｎファンクション起動時に選択するチャンネルを、前回起動時の最後に選択していたチャンネルと、起動時のチャンネルとして設定したチャンネルとのどちらにするかを、ユーザに選択させて設定するようにしてもよい。この場合、例えば、起動時チャンネル情報に、前回起動時の最後に選択していたチャンネルのチャンネル番号または起動時のチャンネルとして設定したチャンネルのチャンネル番号のどちらかを記すようにすればよい。
【０２３７】
ちなみに、ここでは、起動時に選択するチャンネルのチャンネル番号を示す情報、つまり最初に選択するチャンネルプレイリストＰＬを示すリスト選択情報として、起動時チャンネル情報を用いるようにしたが、最初に選択するチャンネルプレイリストＰＬを示す情報であれば、この他種々の情報を用いてもよい。
【０２３８】
また、この第１の実施の形態では、上述した基本構成と同様、チャンネルプレイリストＰＬの曲順設定Ｌｓにシャッフル再生する旨が示されていた場合、チャンネル初期化処理時（ＭｕｓｉｃＳｔａｔｉｏｎファンクション起動処理手順ＲＴ１０のステップＳＰ１０３）に、このチャンネルプレイリストＰＬに示される再生曲順をランダムに並び替えることで、チャンネルプレイリスト内でのランダム再生を実現するようにした場合について述べたが、本発明はこれに限らず、チャンネル変更処理時（チャンネル切換処理手順ＲＴ１１のステップＳＰ１１３）に、このチャンネルプレイリストＰＬに示される再生曲順をランダムに並び替えるようにしてもよい。
【０２３９】
また、これに限らず、例えば、曲切換時に、その都度、チャンネルプレイリストＰＬに登録されている音楽データＡｄのうちの１つをランダムで選択することで、チャンネルプレイリストＰＬ内でのランダム再生を実現するようにしてもよい。具体的には、例えば、曲切換処理手順ＲＴ１２のステップＳＰ１２０での処理に対して、選択中のチャンネルに割り当てられたチャンネルプレイリストＰＬに曲順設定Ｌｓにシャッフル再生する旨が示されていた場合には、このチャンネルプレイリストＰＬ内でランダムに曲番号を選択して、この曲番号を切換後の曲番号とする処理を追加すればよい。
【０２４０】
さらに、この第１の実施の形態では、操作部としてリモートコントローラＲＭ１を用いた場合について述べたが、本発明はこれに限らず、例えば、リモートコントローラＲＭ１に設けられた各種ボタンと同様の機能を有する各種ボタンを音楽再生装置１１０の筐体に設けて、これを操作部としてもよい。
【０２４１】
さらに、この第１の実施の形態では、第１の入力部１０１としてリモートコントローラＲＭ１の上方向ボタンＢ１３及び下方向ボタンＢ１４を用い、また、第２の入力部１０２としてリモートコントローラＲＭ１の左方向ボタンＢ１５及び右方向ボタンＢ１６を用いるようにした場合について述べたが、本発明はこれに限らず、例えば、第１の入力部１０１及に上下方向に回動可能なジョグダイヤルを用いると共に第２の入力部１０２に左右方向に回動可能なジョグダイヤルを用いるようにしてもよいし、この他種々の入力デバイスを用いるようにしてもよい。
【０２４２】
さらに、この第１の実施の形態では、リモートコントローラＲＭ１を介したチャンネル切換操作及び曲切換操作に応じて、選択した音楽データＡｄの再生を特徴位置（サビ位置、メロディが切り換わる位置など）から開始するようにした場合について述べたが、本発明はこれに限らず、先頭から開始するようにしてもよい。
【０２４３】
さらに、この第１の実施の形態では、音楽再生装置１１０の制御部１１２が、朝用リストＰＬ、昼用リストＰＬ、夕方用リストＰＬ、夜用リストＰＬ及び深夜用リストＰＬを１まとめにした特定リストとしてのおまかせチャンネル選択時に、そのときの時間帯に応じて、これら朝用リストＰＬ、昼用リストＰＬ、夕方用リストＰＬ、夜用リストＰＬ及び深夜用リストＰＬのうちの１つを選択し、この選択したチャンネルプレイリストＰＬに従って音楽データＡｄを再生するようにした場合について述べたが、本発明はこれに限らず、時間帯に応じて、音楽データＡｄ再生時の音量または音質を変更するようにしてもよい。
【０２４４】
この場合、音楽再生装置１１０には、音楽データＡｄ再生時の音量設定として、例えば、朝用音量設定、昼用音量設定、夕方用音量設定、夜用音量設定、深夜用音量設定が用意されている。具体的に言うと、例えば、朝用音量設定の音量が最も大きく、次いで昼用音量設定、夕方用音量設定、夜用音量設定、深夜用音量設定の順に音量が小さくなるように設定されている。
【０２４５】
そして、音楽再生装置１１０の制御部１１２は、音楽データＡｄの再生時に、そのときの時間帯に応じて、朝用音量設定、昼用音量設定、夕方用音量設定、夜用音量設定、深夜用音量設定のうちの１つを選択し、この選択した音量設定に基づく音量で音楽データＡｄが再生されるよう再生部１１６での増幅を制御する。これにより、音楽再生装置１１０は、現在の時間帯に適した音量で音楽をユーザに聴かせることができる。
【０２４６】
また一方で、音楽再生装置１１０には、音楽データＡｄ再生時の音質設定として、例えば、朝用音質設定、昼用音質設定、夕方用音質設定、夜用音質設定、深夜用音質設定が用意されている。具体的に言うと、例えば、朝用音質設定の低音強調度が最も大きく、次いで昼用音量設定、夕方用音量設定、夜用音量設定、深夜用音量設定の順に低音強調度が小さくなるように設定されている。
【０２４７】
そして、音楽再生装置１１０の制御部１１２は、音楽データＡｄの再生時に、そのときの時間帯に応じて、朝用音質設定、昼用音質設定、夕方用音質設定、夜用音質設定、深夜用音質設定のうちの１つを選択し、この選択した音質設定に基づく音質で音楽データＡｄが再生されるよう再生部１１６でのイコライジングを制御する。これにより、音楽再生装置１１０は、現在の時間帯に適した音質で音楽をユーザに聴かせることができる。
【０２４８】
さらに、これら音量または音質だけでなく、表示部１１３の明るさまたは色合を変更するようにしてもよい。この場合、音楽再生装置１１０には、表示部１１３の明るさ設定として、例えば、朝用明るさ設定、昼用明るさ設定、夕方用明るさ設定、夜用明るさ設定、深夜用明るさ設定が用意されている。具体的に言うと、例えば、朝用明るさ設定が最も暗く、次いで昼用音量設定、夕方用音量設定、夜用音量設定、深夜用音量設定の順に明るくなるように設定されている。
【０２４９】
そして、音楽再生装置１１０の制御部１１２は、装置起動時に、そのときの時間帯に応じて、朝用明るさ設定、昼用明るさ設定、夕方用明るさ設定、夜用明るさ設定、深夜用明るさ設定のうちの１つを選択し、この選択した明るさ設定に基づく明るさでＧＵＩ画面を表示部１１３に表示する。これにより、音楽再生装置１１０は、現在の時間帯に適した明るさでＧＵＩ画面をユーザに見せることができる。
【０２５０】
また一方で、音楽再生装置１１０には、表示部１１３の色合設定として、例えば、朝用色合設定、昼用色合設定、夕方用色合設定、夜用色合設定、深夜用色合設定が用意されている。具体的に言うと、例えば、朝用色合設定が最も明るい感じの色合で、次いで昼用音量設定、夕方用音量設定、夜用音量設定、深夜用音量設定の順に暗い感じの色合になるように設定されている。
【０２５１】
そして、音楽再生装置１１０の制御部１１２は、装置起動時に、そのときの時間帯に応じて、朝用色合設定、昼用色合設定、夕方用色合設定、夜用色合設定、深夜用色合設定のうちの１つを選択し、この選択した色合設定に基づく色合でＧＵＩ画面を表示部１１３に表示する。これにより、音楽再生装置１１０は、現在の時間帯に適した色合でＧＵＩ画面をユーザに見せることができる。
【０２５２】
さらに、この第１の実施の形態では、チャンネルプレイリストＰＬの選択の可否（つまり表示の有無）を示すリスト選択可否情報として、リスト情報Ｌｉに含まれるリスト再生設定Ｌｄｉを用いるようにした場合について述べたが、本発明はこれに限らず、チャンネルプレイリストＰＬの選択の可否（つまり表示の有無）を示す情報であれば、この他種々の情報を用いてもよい。
【０２５３】
さらに、この第１の実施の形態では、チャンネルプレイリストＰＬ内の再生順序を規定するリスト再生順序情報として、曲順設定Ｌｓを用いるようにした場合について述べたが、本発明はこれに限らず、チャンネルプレイリストＰＬ内の再生順序を規定する情報であれば、この他種々の情報を用いてもよい。
【０２５４】
さらに、この第１の実施の形態では、第１の表示としての再生画面１３０と、第２の表示として選択画面１２０とを切り換えて表示するようにした場合について述べたが、本発明はこれに限らず、これら選択画面１２０及び再生画面１３０とは異なる画面を、第１の画面及び第２の画面として切り換えるようにしてもよい。
【０２５５】
さらに、この第１の実施の形態では、リスト情報Ｌｉのリスト説明Ｌｄｅに、チャンネルプレイリストＰＬの特徴を示すキーワードを、文字情報（例えば「明るい」）として記すようにした場合について述べたが、本発明はこれに限らず、例えば「ＫＷ０１」などのようにキーワードを識別する識別情報として記すなど、文字情報以外の情報として記すようにしてもよい。この場合、音楽再生装置１１０の制御部１１２は、例えば、このリスト説明Ｌｄｅに記された識別情報「ＫＷ０１」に基づいてキーワード「明るい」を認識する。
【０２５６】
さらに、この第１の実施の形態では、再生画面１３０を表示している状態で、チャンネル切換操作または曲切換操作が行われると、ＧＵＩ画面を再生画面１３０から選択画面１２０に切り換えるようにした場合について述べたが、本発明はこれに限らず、再生画面１３０を表示している状態で、チャンネル切換操作が行われた場合のみ、ＧＵＩ画面を再生画面１３０から選択画面１２０に切り換えるようにして、曲切換操作が行われた場合には、再生画面１３０のまま、再生画面１３０に表示される曲名、アーティスト名、ジャケット画像Ｊｐを切り換えるようにしてもよい。
【０２５７】
（３）第２の実施の形態
（３−１）第２の実施の形態の概要
次に、第２の実施の形態の概要を説明する。ちなみにこの概要を説明した後、第２の実施の形態の具体例の説明に移る。
【０２５８】
図２６に示すように、コンテンツ再生装置２００は、一以上のコンテンツを記憶するコンテンツ記憶部２０１と、コンテンツを識別するコンテンツ識別情報を有する複数のリストを記憶するリスト記憶部２０２と、リスト記憶部２０２に記憶されたリストに基づいてコンテンツ記憶部２０１に記憶されたコンテンツを再生する再生部２０３と、操作入力を受け付ける入力部２０４と、リスト記憶部２０２に記憶されたリストのうちの一のリストを選択すると共に、選択しているリストに基づいて再生部２０３がコンテンツを再生しているときに入力部２０４からの所定の操作入力を検出すると、再生されているコンテンツのコンテンツ識別情報と選択しているリストのリスト識別情報とを一時記憶部２０５に記憶し、再度入力部２０４からの所定の操作入力を検出すると、このとき選択しているリストのリスト識別情報と一時記憶部２０５に記憶しているリスト識別情報とが一致するかどうか判定し、一致しない場合にはこのとき選択しているリストに一時記憶部２０５に記憶しているコンテンツ識別情報を追加するように制御する制御部２０６とを有する。
【０２５９】
尚、コンテンツ記憶部２０１及びリスト記憶部２０２が、上述した基本構成となるコンテンツ再生装置１（図１）の記憶部６に対応するものであり、入力部２０４がコンテンツ再生装置１の操作部２に対応するものであり、また、再生部２０３及び制御部２０６が、それぞれコンテンツ再生装置１の再生部７及び制御部３に対応するものである。
【０２６０】
このような構成を有することで、この第２の実施の形態によるコンテンツ再生装置２００は、ユーザに対して、コンテンツの内容を認識させたうえで、ユーザが所望するコンテンツを、所定の操作を２回繰り返すという単純な操作により他のリストに追加することができるので、従来と比して一段と、ユーザの意図通りの編集を容易にすることができる。
【０２６１】
（３−２）第２の実施の形態の具体例
つづけて、この第２の実施の形態の具体例を説明する。図２７に示す音楽再生装置２１０は、上述したコンテンツ再生装置２００の具体例であり、図１３との同一部分に同一符号を付して示すように、上述した第１の実施の形態の音楽再生装置１１０と比較して、計時部１１８を有していない点と、新たに一時記憶部２１１を有している点とが異なる構成を有している。
【０２６２】
また、図１４との同一部分に同一符号を付して示す図２８に示すように、この音楽再生装置２１０のリモートコントローラＲＭ２は、第１の実施の形態の音楽再生装置１１０のリモートコントローラＲＭ１と比較して、おまかせボタンＢ１８に代えて後述するリクエストボタンＢ２０が設けられている点が異なる構成を有している。
【０２６３】
尚、このリモートコントローラＲＭ２に設けられたリクエストボタンＢ２０が、上述したコンテンツ再生装置２００（図２６）の入力部２０４に対応するものであり、また音楽再生装置２１０の制御部１１２、コンテンツ記憶部１１５、再生部１１６、リスト記憶部１１７、一時記憶部２１１が、それぞれ上述したコンテンツ再生装置２００の制御部２０６、コンテンツ記憶部２０１、再生部２０３、リスト記憶部２０２、一時記憶部２０５に対応するものである。
【０２６４】
そして、この音楽再生装置２１０は、上述した第１の実施の形態の音楽再生装置１１０と同様、ダウンロードファンクション、ＣＤ録音ファンクション、通常再生ファンクション、ＣＤ再生ファンクション、ＭｕｓｉｃＳｔａｔｉｏｎファンクションを持ち、リモートコントローラＲＭ２に対する操作に応じて、制御部１１２が、これらのファンクションに応じた処理を実行するようになされている。
【０２６５】
ここで、この音楽再生装置２１０が持つＭｕｓｉｃＳｔａｔｉｏｎファンクションについて説明する。まず、この音楽再生装置２１０が持つＭｕｓｉｃＳｔａｔｉｏｎファンクションでの音楽データＡｄの管理方法について説明する。この管理方法については、上述した第１の実施の形態の音楽再生装置１１０による管理方法と同様であり、その詳細は、上述の第１の実施の形態の説明を参照とする。
【０２６６】
すなわち、この第２の実施の形態による音楽再生装置２１０は、図２に示すように、チャンネルリストＣＬにより複数のチャンネルプレイリストＰＬを管理するようになされ、さらに複数のチャンネルプレイリストＰＬのそれぞれによって音楽データＡｄの再生曲順を管理するようになされている。
【０２６７】
また、このＭｕｓｉｃＳｔａｔｉｏｎファンクションには、上述した第１の実施の形態と同様、新しく追加した曲、再生回数の少ない曲、ノリのよい曲、明るい曲、クラシックの曲、ヘビメタの曲などのように、ユーザが要求すると考えられる分類毎にチャンネルプレイリストＰＬが用意され、音楽再生装置２１０の制御部１１２が、音楽データＡｄの記憶または再生に応じて、コンテンツ記憶部１１５に記憶している音楽データＡｄを、その再生回数、曲の印象値、ジャンルなどを基に、用意されたチャンネルプレイリストＰＬのうちの該当するチャンネルプレイリストＰＬに登録するようにして、チャンネルプレイリストＰＬを自動的に更新するようになされている。
【０２６８】
そして、音楽再生装置２１０は、ＧＵＩ画面上で、新しく追加した曲、再生回数の少ない曲、ノリのよい曲、明るい曲、クラシックの曲、ヘビメタの曲などのように分類されたチャンネルプレイリストＰＬをチャンネルとして、リモートコントローラＲＭ２に対するユーザ操作に応じて選択することにより、ラジオのチャンネルを切り換える感覚で、ユーザが所望の曲を容易に見付けだすことができるようになされている。
【０２６９】
さらに、ＭｕｓｉｃＳｔａｔｉｏｎファンクションでのＧＵＩ画面についても、上述した第１の実施の形態の音楽再生装置１１０のＧＵＩ画面と同様の画面構成であり、その詳細は、上述の第１の実施の形態の説明を参照とする。
【０２７０】
すなわち、この第２の実施の形態による音楽再生装置２１０は、図１５に示す選択画面１２０を介してチャンネルの内容及び曲の内容をユーザに視認させつつ、リモートコントローラＲＭ２の上方向ボタンＢ１３及び下方向ボタンＢ１４に対するユーザ操作に従って、チャンネルを切り換えて選択すると共に、リモートコントローラＲＭ２の左方向ボタンＢ１５及び右方向ボタンＢ１６に対するユーザ操作に従って、曲を切り換えて選択するようになされている。
【０２７１】
また、音楽再生装置２１０は、所定条件（決定ボタンＢ１７の押下または操作なく所定時間経過）に基づいて選択画面１２０を再生画面１３０に切り換え、この再生画面１３０を介して、選択されたチャンネル及び曲の内容をユーザに視認させ得るようになされている。
【０２７２】
さらに、このＧＵＩ画面の切り換えに伴う音楽データＡｄの再生制御についても、上述した第１の実施の形態の音楽再生装置１１０による再生制御と同様であり、その詳細は、上述の第１の実施の形態の説明を参照とする。
【０２７３】
すなわち、この第２の実施の形態による音楽再生装置２１０は、選択画面１２０表示時には選択中の音楽データＡｄを特徴位置より再生する部分再生モードに遷移し、再生画面１３０表示時には選択中の音楽データＡｄを通常再生する通常再生モードに遷移するようになされ、どちらのモードに切り換わろうとＭｕｓｉｃＳｔａｔｉｏｎファンクション実行中は常に音楽データＡｄを途切れることなく再生するようになされている。
【０２７４】
かくするにつき、音楽再生装置２１０は、このＭｕｓｉｃＳｔａｔｉｏｎファンクション実行時、第１の実施の形態の音楽再生装置１１０と同様、リモートコントローラＲＭ２の上方向ボタンＢ１３及び下方向ボタンＢ１４の操作に従って、あたかもラジオのプリセット局を切り換える感覚で、チャンネル単位でチャンネルプレイリストＰＬを切り換えることができると共に、左方向ボタンＢ１５及び右方向ボタンＢ１６の操作に従って、チャンネル内で再生する曲を切り換えることができ、これにより、ユーザに対して、ラジオ局より放送される音楽を聴くような感覚で、一段と容易に所望の曲を聴取させることができるようになされている。
【０２７５】
さらに、ＭｕｓｉｃＳｔａｔｉｏｎファンクション起動処理、チャンネル切換処理、曲切換処理の手順についても、上述した第１の実施の形態の音楽再生装置１１０により実行される処理の手順と同様であり、その詳細は、上述の第１の実施の形態の説明を参照とする。
【０２７６】
さらに、ＭｕｓｉｃＳｔａｔｉｏｎファンクションでのチャンネルの表示設定方法についても、上述した第１の実施の形態の音楽再生装置１１０による表示設定方法と同様であり、その詳細は、上述の第１の実施の形態の説明を参照とする。
【０２７７】
すなわち、この第２の実施の形態による音楽再生装置２１０は、図２２に示すチャンネル表示設定画面１４０を介してチャンネル毎にチャンネル表示設定を「表示」または「非表示」に変更し得るようになされている。
【０２７８】
ここまで説明したように、この第２の実施の形態の音楽再生装置２１０は、上述した第１の実施の形態と同様、リモートコントローラＲＭ２の操作に対応するＭｕｓｉｃＳｔａｔｉｏｎファンクションを持ち、ＭｕｓｉｃＳｔａｔｉｏｎファンクションの起動、チャンネル切換、曲切換、チャンネルの表示設定などを、リモートコントローラＲＭ２の操作により容易に行うことができるようになされている。
【０２７９】
ところで、この第２の実施の形態によるＭｕｓｉｃＳｔａｔｉｏｎファンクションでは、上述したように、ユーザが要求すると考えられる分類毎にチャンネルプレイリストＰＬが用意され、音楽再生装置２１０の制御部１１２が、コンテンツ記憶部１１５に記憶している音楽データＡｄを、その再生回数、曲の印象値、ジャンルなどを基に、該当するチャンネルプレイリストＰＬに自動的に登録するようになされている。
【０２８０】
このように、音楽再生装置２１０は、自動的に、音楽データＡｄをその分類に該当するチャンネルプレイリストＰＬへ登録することで、ユーザへの負担を軽減できる一方、このように音楽データＡｄのチャンネルプレイリストＰＬへの登録を自動で行う場合、必ずしもユーザの意図通りに、音楽データＡｄのチャンネルプレイリストＰＬへの登録が行われるとは限らない。
【０２８１】
そこで、この第２の実施の形態の音楽再生装置２１０は、音楽データＡｄのチャンネルプレイリストＰＬへの登録を自動で行った後、ユーザからの要求（リクエスト）に応じて、再生中の音楽データＡｄを現在登録されているチャンネルプレイリストＰＬから削除、または別のチャンネルプレイリストＰＬへ追加登録できるようになされている。
【０２８２】
ここで、再生中の音楽データＡｄを現在登録されているチャンネルプレイリストＰＬから削除、または別のチャンネルプレイリストＰＬへ追加登録する方法（以下、これをリスト編集方法とも呼ぶ）の手順について説明する。
【０２８３】
音楽再生装置２１０の制御部１１２は、ＭｕｓｉｃＳｔａｔｉｏｎファンクション実行中に、リモートコントローラＲＭ２に設けられたリクエストボタンＢ２０が押下されると、このとき再生している音楽データＡｄをリクエスト（現在登録されているチャンネルプレイリストＰＬからの削除または別のチャンネルプレイリストＰＬへの追加登録）の対象として指定するようユーザに指示されたと認識して、再生中の音楽データＡｄの音楽データ情報Ａｉと、選択中のチャンネルに割り当てられたチャンネルプレイリストＰＬ（つまり再生中の音楽データＡｄが現在登録されているチャンネルプレイリストＰＬ）のリスト情報Ｌｉとを一時記憶部２１１に記憶することにより再生中の音楽データＡｄをリクエスト対象に指定すると共に、図２９に示すように、このとき表示している選択画面１２０または再生画面１３０に重ねるようにして、再生中の音楽データＡｄをリクエスト対象に指定した旨をユーザに通知するためのリクエスト受付ダイアログ２２０を表示する。
【０２８４】
このリクエスト受付ダイアログ２２０には、再生中の音楽データＡｄをリクエスト対象に指定した旨を示す文字情報（例えば、「現在の再生曲“虹を見ながら”をリクエストボックスに保存しました。」）２２１が記されると共に、このリクエスト受付ダイアログ２２０を閉じるための閉じるボタン２２２が配されている。
【０２８５】
そして、音楽再生装置２１０の制御部１１２は、リモートコントローラＲＭ２に対するユーザ操作により閉じるボタン２２２が押下されると、このリクエスト受付ダイアログ２２０を閉じるようになされている。
【０２８６】
その後、再度リクエストボタンＢ２０が押下されると、音楽再生装置２１０の制御部１１２は、このとき選択しているチャンネルのチャンネルプレイリストＰＬが、前回リクエストボタンＢ２０が押下されたときに選択していたチャンネルのチャンネルプレイリストＰＬと同一であるか否かを、一時記憶部２１１に記憶しているリスト情報Ｌｉより判断する。
【０２８７】
そして同一であると判断した場合、制御部１１２は、前回リクエストボタンＢ２０が押下されたときと同じチャンネルが選択された状態で再度リクエストボタンＢ２０が押下されたことから、前回リクエストボタンＢ２０が押下されたときにリクエスト対象に指定した音楽データＡｄを、選択中のチャンネルのチャンネルプレイリストＰＬ（つまりリクエスト対象の音楽データＡｄが現在登録されているチャンネルプレイリストＰＬ）から削除するようユーザにリクエストされたと認識すると共に、図３０に示すように、このとき表示している選択画面１２０または再生画面１３０に重ねるようにして、リクエスト対象の音楽データＡｄを選択中のチャンネルのチャンネルプレイリストＰＬから削除してもよいか確認するための削除確認ダイアログ２３０を表示する。
【０２８８】
この削除確認ダイアログ２３０には、リクエスト対象の音楽データＡｄを選択中のチャンネルのチャンネルプレイリストＰＬから削除してもよいかを確認する内容の文字情報（例えば、「リクエストボックスの曲“虹を見ながら”をCｈ３  Head Beat Hard Jukeから削除しますか？」）２３１が記されると共に、削除処理を実行するための削除実行ボタン２３２と、削除処理を中止するための削除中止ボタン２３３と、リクエスト対象の音楽データＡｄをリクエスト対象から外してリクエストを解除するためのリクエスト解除ボタン２３４とが設けられている。
【０２８９】
そして、音楽再生装置２１０の制御部１１２は、リモートコントローラＲＭ２に対するユーザ操作により削除実行ボタン２３２が押下されると、削除処理を実行する。
【０２９０】
具体的に言うと、音楽再生装置２１０の制御部１１２は、選択中のチャンネルプレイリストＰＬ内の、一時記憶部２１１に記憶している音楽データ情報Ａｉと一致する音楽データ情報Ａｉの音楽データ再生設定Ａｄｉを「再生許可」から「再生禁止」に変更する。ここで、このＭｕｓｉｃＳｔａｔｉｏｎファンクションでは、音楽データ再生設定Ａｄｉが「再生許可」であれば、この音楽データ再生設定Ａｄｉに対応する音楽データＡｄの属性情報Ｔｉ（ジャケット画像、曲名、アーティスト名）のＧＵＩ画面での表示を許可する一方、「再生禁止」であれば、対応する音楽データＡｄの属性情報ＴｉのＧＵＩ画面での表示を禁止するようになされている。
【０２９１】
つまり、リクエスト対象の音楽データＡｄの音楽データ再生設定Ａｄｉを「再生禁止」にすることは、この音楽データＡｄが登録されているチャンネルプレイリストＰＬから再生されなくなると共に、その属性情報ＴｉがＧＵＩ画面に表示されなくなることを意味し、結果として、リクエスト対象の音楽データＡｄを現在登録中のチャンネルプレイリストＰＬから削除することと同義となる。
【０２９２】
よって、音楽再生装置２１０の制御部１１２は、削除実行ボタン２３２が押下されると、リクエスト対象の音楽データＡｄの音楽データ再生設定Ａｄｉを「再生禁止」に変更することで、この音楽データＡｄを選択中のチャンネルプレイリストＰＬから削除したことにして、この削除確認ダイアログ２３０を閉じるようになされている。また、このようにして、削除処理を実行した後、音楽再生装置２１０の制御部１１２は、一時記憶部２１１から音楽データ情報Ａｉ及びリスト情報Ｌｉを消去することで、リクエスト対象の指定を解除するようになされている。
【０２９３】
また、削除中止ボタン２３３が押下された場合、音楽再生装置２１０の制御部１１２は、削除処理を実行せずに、この削除確認ダイアログ２３０を閉じるようになされている。この場合、音楽再生装置２１０の制御部１１２は、まだリクエストに応じた処理を実行していないので、一時記憶部２１１に記憶している音楽データ情報Ａｉ及びリスト情報Ｌｉは、そのまま保持するようになされている。
【０２９４】
さらに、リクエスト解除ボタン２３４が押下された場合、音楽再生装置２１０の制御部１１２は、一時記憶部２１１から音楽データ情報Ａｉ及びリスト情報Ｌｉを消去することでリクエスト対象の指定を解除して、この削除確認ダイアログ２３０を閉じるようになされている。
【０２９５】
このように、音楽再生装置２１０の制御部１１２は、リクエスト対象の音楽データＡｄを現在登録されているチャンネルプレイリストＰＬから削除するようリクエストされた場合には、削除確認ダイアログ２３０を介して、削除するか否かをユーザに確認させたうえで、ユーザの指示の基、削除処理の実行、中止、リクエストの解除を行うようになされている。
【０２９６】
一方で、再度リクエストボタンＢ２０が押下されたときに選択しているチャンネルのチャンネルプレイリストＰＬが、前回リクエストボタンＢ２０が押下されたときに選択していたチャンネルのチャンネルプレイリストＰＬと異なっている場合、音楽再生装置２１０の制御部１１２は、前回リクエストボタンＢ２０が押下されたときと違うチャンネルを選択した状態で再度リクエストボタンＢ２０が押下されたことから、前回リクエストボタンＢ２０が押下されたときにリクエスト対象に指定した音楽データＡｄを、選択中のチャンネルのチャンネルプレイリストＰＬに追加登録するようユーザにリクエストされたと認識すると共に、図３１に示すように、このとき表示している選択画面１２０または再生画面１３０に重ねるようにして、リクエスト対象の音楽データＡｄを選択中のチャンネルのチャンネルプレイリストＰＬに追加登録してよいか確認するための追加確認ダイアログ２４０を表示する。
【０２９７】
この追加確認ダイアログ２４０には、リクエスト対象の音楽データＡｄを選択中のチャンネルのチャンネルプレイリストＰＬに追加登録してもよいかを確認する内容の文字情報（例えば、「リクエストボックスの曲“虹を見ながら”をCｈ４  Zen Styleに追加登録しますか？」）２４１が記されると共に、追加登録処理を実行するための追加登録実行ボタン２４２と、追加登録処理を中止するための追加登録中止ボタン２４３と、リクエスト対象の音楽データＡｄをリクエスト対象から外してリクエストを解除するためのリクエスト解除ボタン２４４とが設けられている。
【０２９８】
そして、音楽再生装置２１０の制御部１１２は、リモートコントローラＲＭ２に対するユーザ操作により追加登録実行ボタン２４２が押下されると、選択中のチャンネルプレイリストＰＬの最後尾に、一時記憶部２１１に記憶している音楽データ情報Ａｉを追加登録することで、リクエスト対象の音楽データＡｄを選択中のチャンネルプレイリストＰＬに追加登録して、この追加確認ダイアログ２４０を閉じるようになされている。また、このようにして、追加登録処理を実行した後、音楽再生装置２１０の制御部１１２は、一時記憶部２１１から音楽データ情報Ａｉ及びリスト情報Ｌｉを消去することで、リクエスト対象の指定を解除するようになされている。
【０２９９】
また、追加登録中止ボタン２４３が押下された場合、追加登録処理をせずに、この追加確認ダイアログ２４０を閉じるようになされている。この場合、音楽再生装置２１０の制御部１１２は、まだリクエストに応じた処理を実行していないので、一時記憶部２１１に記憶している音楽データ情報Ａｉ及びリスト情報Ｌｉは、そのまま保持するようになされている。
【０３００】
さらに、リクエスト解除ボタン２４４が押下された場合、音楽再生装置２１０の制御部１１２は、一時記憶部２１１から音楽データ情報Ａｉ及びリスト情報Ｌｉを消去することでリクエスト対象の指定を解除して、この追加確認ダイアログ２４０を閉じるようになされている。
【０３０１】
このように、音楽再生装置２１０の制御部１１２は、リクエスト対象の音楽データＡｄを他のチャンネルプレイリストＰＬに追加登録するリクエストされた場合には、追加確認ダイアログ２４０を介して、追加登録するか否かをユーザに確認させたうえで、ユーザの指示の基、追加登録処理の実行、中止、リクエストの解除を行うようになされている。
【０３０２】
ここまで説明したように、この音楽再生装置２１０では、リクエストボタンＢ２０が押下されたときに再生している音楽データＡｄをリクエスト対象に指定して、再度リクエストボタンＢ２０が押下されたときに選択しているチャンネルが、前回リクエストボタンＢ２０が押下されたときに選択していたチャンネルと同一チャンネルであれば、リクエスト対象の音楽データＡｄを選択しているチャンネルのチャンネルプレイリストＰＬから削除する一方、同一チャンネルでなければ、リクエスト対象の音楽データＡｄを選択しているチャンネルのチャンネルプレイリストＰＬに追加登録するようになされている。
【０３０３】
これにより、音楽再生装置２１０は、音楽データＡｄに基づく曲を聴かせてその内容をユーザに認識させたうえで、リクエストボタンＢ２０の押下を2回繰り返すという単純な操作で、音楽データＡｄを現在登録されているチャンネルプレイリストＰＬから削除したり、他のチャンネルプレイリストＰＬに追加登録すること、つまりチャンネルプレイリストＰＬの編集を行うことができるようになされている。
【０３０４】
つづけて、このリスト編集の処理（以下、これをリスト編集処理とも呼ぶ）の手順について説明する。音楽再生装置２１０の制御部１１２は、ＭｕｓｉｃＳｔａｔｉｏｎファンクション実行中に、リモートコントローラＲＭ２のリクエストボタンＢ２０が押下操作されたことを認識すると、図３２に示すように、リスト編集処理手順ＲＴ２０を開始して、ステップＳＰ２００に移る。
【０３０５】
ステップＳＰ２００において制御部１１２は、一時記憶部２１１に音楽データ情報Ａｉ及びリスト情報Ｌｉが既に記憶されているかどうかを判定する。このステップＳＰ２００で否定結果を得ると、このことは、リクエスト対象となる音楽データＡｄを指定していない状態であることを意味し、このとき制御部１１２は、ステップＳＰ２０１に移る。
【０３０６】
ステップＳＰ２０１において制御部１１２は、再生中の音楽データＡｄの音楽データ情報Ａｉを一時記憶部２１１に記憶して、次のステップＳＰ２０２に移る。ステップＳＰ２０２において制御部１１２は、現在選択中のチャンネルに割り当てられたチャンネルプレイリストＰＬのリスト情報Ｌｉを一時記憶部２１１に記憶して、次のステップＳＰ２０３に移る。ステップＳＰ２０３において制御部１１２は、リクエスト受付ダイアログ２２０を表示して、このリスト編集処理手順ＲＴ２０を終了する。
【０３０７】
これに対して、上述のステップＳＰ２００で肯定結果を得ると、このことは、リクエスト対象となる音楽データＡｄが指定されている状態であることを意味し、このとき制御部１１２は、ステップＳＰ２０４に移る。
【０３０８】
ステップＳＰ２０４において制御部１１２は、一時記憶部２１１に記憶されているリスト情報Ｌｉにより識別されるチャンネルプレイリストＰＬと、現在選択中のチャンネルのチャンネルプレイリストＰＬとが同じであるかどうかを判定する。このステップＳＰ２０４で肯定結果を得ると、このことは、前回リクエストボタンＢ２０が押下されたときと同じチャンネルで再度リクエストボタンＢ２０が押下されたこと、つまり、リクエスト対象の音楽データを、選択中のチャンネルのチャンネルプレイリストＰＬから削除するようリクエストされていることを意味し、このとき制御部１１２は、ステップＳＰ２０５に移る。
【０３０９】
ステップＳＰ２０５において制御部１１２は、削除確認ダイアログ２３０を表示して、次のステップＳＰ２０６に移る。ステップＳＰ２０６において制御部１１２は、削除確認ダイアログ２３０の削除実行ボタン２３２が押下されたかどうかを判定する。このステップＳＰ２０６で肯定結果を得ると、このとき制御部１１２は、ステップＳＰ２０７に移り、リクエスト対象の音楽データＡｄの音楽データ再生設定Ａｄｉを「再生禁止」に変更（つまり属性情報Ｔｉの表示設定を「非表示」に変更）することで、この音楽データＡｄを選択中のチャンネルプレイリストＰＬから削除したことにすると共に、削除確認ダイアログ２３０を閉じて、さらに一時記憶部２１１から音楽データ情報Ａｉ及びリスト情報Ｌｉを消去することでリクエスト対象の指定を解除した後、このリスト編集処理手順ＲＴ２０を終了する。
【０３１０】
これに対して、上述のステップＳＰ２０６で否定結果を得ると、このとき制御部１１２は、削除処理を実行せずに、削除確認ダイアログ２３０を閉じて、このリスト編集処理手順ＲＴ２０を終了する。
【０３１１】
また一方で、上述のステップＳＰ２０４で否定結果を得ると、このことは、前回リクエストボタンＢ２０が押下されたときと違うチャンネルで再度リクエストボタンＢ２０が押下されたこと、つまり、リクエスト対象の音楽データを、選択中のチャンネルのチャンネルプレイリストＰＬに追加登録するようリクエストされていることを意味し、このとき制御部１１２は、ステップＳＰ２０８に移る。
【０３１２】
ステップＳＰ２０８において制御部１１２は、追加確認ダイアログ２４０を表示して、次のステップＳＰ２０９に移る。ステップＳＰ２０９において制御部１１２は、追加確認ダイアログ２４０の追加登録実行ボタン２４２が押下されたかどうかを判定する。このステップＳＰ２０９で肯定結果を得ると、このとき制御部１１２は、ステップＳＰ２１０に移り、リクエスト対象の音楽データＡｄの音楽データ情報Ａｉを選択中のチャンネルプレイリストＰＬに追加登録すると共に、追加確認ダイアログ２４０を閉じて、さらに一時記憶部２１１から音楽データ情報Ａｉ及びリスト情報Ｌｉを消去することでリクエスト対象の指定を解除した後、このリスト編集処理手順ＲＴ２０を終了する。
【０３１３】
これに対して、上述のステップＳＰ２０９で否定結果を得ると、このとき制御部１１２は、追加登録処理を実行せずに、追加確認ダイアログ２４０を閉じて、このリスト編集処理手順ＲＴ２０を終了する。
【０３１４】
このようなリスト編集処理手順ＲＴ２０によって、音楽再生装置２１０は、リスト編集を行うようになされている。
【０３１５】
ところで、ここまで説明したように、このＭｕｓｉｃＳｔａｔｉｏｎファンクションは、コンテンツ記憶部１１５に記憶されている音楽データＡｄに基づく曲を、ラジオを聴くような感覚でユーザに提供するファンクションであり、当然のことながらコンテンツ記憶部１１５に少なくとも１個以上の音楽データＡｄが記憶されていないと曲を提供できない。換言すると、このＭｕｓｉｃＳｔａｉｏｎファンクションでは、コンテンツ記憶部１１５に記憶されている音楽データＡｄの数が多いほど、多彩なチャンネルを提供できるとも言える。
【０３１６】
そこで、音楽再生装置２１０の制御部１１２は、例えば、コンテンツ記憶部１１５に１個も音楽データＡｄが記憶されていない場合、ＭｕｓｉｃＳｔａｉｏｎファンクション起動時に、図３３に示すような、コンテンツ記憶部１１５に音楽データＡｄが１個も記憶されていない旨をユーザに通知するためのデータ無通知ダイアログ２５０を表示部１１３に表示する。
【０３１７】
このデータ無通知ダイアログ２５０には、コンテンツ記憶部１１５に音楽データＡｄが１個も記憶されていない旨を示す文字情報（例えば「ＭｕｓｉｃＳｔａｔｉｏｎで再生する曲がありません。」）２５１、及び音楽データＡｄの追加（録音、ダウンロードなど）をユーザに促す内容の文字情報（例えば「音楽の録音、取込をすることでＭｕｓｉｃＳｔａｔｉｏｎを楽しむことが出来ます。」）２５２が記されると共に、このデータ無通知ダイアログ２５０を閉じるための閉じるボタン２５３が設けられている。
【０３１８】
そして、音楽再生装置２１０の制御部１１２は、リモートコントローラＲＭ２に対するユーザ操作により閉じるボタン２５３が押下されると、このデータ無通知ダイアログ２５０を閉じると共に、ＭｕｓｉｃＳｔａｔｉｏｎファンクションを終了するようになされている。
【０３１９】
こうすることで、音楽再生装置２１０の制御部１１２は、コンテンツ記憶部１１５に音楽データＡｄが１個も記憶されていない場合に、この旨を、データ無通知ダイアログ２５０を介してユーザに通知することができると共に、音楽データＡｄを追加することによりＭｕｓｉｃＳｔａｔｉｏｎファンクションが楽しめるようになる旨をユーザに認識させることができ、この結果、ユーザに対して音楽データＡｄの追加を促すことができるようになされている。
【０３２０】
くわえて、このＭｕｓｉｃＳｔａｔｉｏｎファンクションでは、リスト再生設定Ｌｄｉが「再生許可」のチャンネルプレイリストＰＬ（つまり、チャンネルとしてＧＵＩ画面に表示されるチャンネルプレイリストＰＬ）であっても、登録されている音楽データＡｄの数が所定数未満（例えば３個未満）であれば、そのチャンネルプレイリストＰＬに登録された音楽データＡｄを再生しないようになされている。
【０３２１】
実際上、音楽再生装置２１０の制御部１１２は、ＭｕｓｉｃＳｔａｔｉｏｎファンクション実行中に、チャンネル切換操作などに応じて、リスト再生設定Ｌｄｉが「再生許可」でありながら登録されている音楽データＡｄの数が例えば０個のチャンネルプレイリストＰＬが割り当てられたチャンネルを選択すると、現在再生中の音楽データＡｄの再生を停止すると共に、図３４に示すように、選択画面１２０の曲選択領域１２に、現在選択中のチャンネルのチャンネルプレイリストＰＬに登録される音楽データＡｄの数が所定数に達すればこのチャンネルで音楽データＡｄの再生を開始する旨を示す文字情報（例えば「あと３曲でこのチャンネルから再生が開始されます。」）２６０を表示する。
【０３２２】
このように、音楽再生装置２１０は、音楽データＡｄを追加することで新たなチャンネルが楽しめるようになる旨をユーザに認識させることができ、ユーザに対して、より一層音楽データＡｄの追加を促すことができるようになされている。
【０３２３】
かくして、音楽再生装置２１０は、コンテンツ記憶部１１５に記憶される音楽データＡｄの数が多いほどＭｕｓｉｃＳｔａｔｉｏｎファンクションがより楽しめるようになる旨をユーザに伝えて、音楽データＡｄの追加を一段と促すことができるようになされている。
【０３２４】
ちなみに、音楽再生装置２１０の制御部１１２は、例外として、デフォルトチャンネルや以前に１度でも音楽データＡｄを再生したことのあるチャンネルを選択した場合には、これらのチャンネルに割り当てられているチャンネルプレイリストＰＬに登録されている音楽データＡｄの数が所定数未満であっても、少なくとも１個の音楽データＡｄが登録されてさえいれば、文字情報２６０を表示することなく、音楽データＡｄを再生するようになされている。
【０３２５】
こうすることで、コンテンツ記憶部１１５に音楽データＡｄが記憶されているにも関わらず再生可能なチャンネルプレイリストＰＬが１個もないような状況を回避することができる。
【０３２６】
つづけて、このような音楽データＡｄの追加を促す処理（以下、これを追加促し処理とも呼ぶ）の手順について説明する。音楽再生装置２１０の制御部１１２は、ＭｕｓｉｃＳｔａｔｉｏｎファンクションを起動すると、図３５に示すように、追加促し処理手順ＲＴ２１を開始して、ステップＳＰ２２０に移る。
【０３２７】
ステップＳＰ２２０において制御部１１２は、コンテンツ記憶部１１５に記憶されている音楽データＡｄの数を確認して、次のステップＳＰ２２１に移る。ステップＳＰ２２１において制御部１１２は、ステップＳＰ２２０での確認結果を基にコンテンツ記憶部１１５に音楽データＡｄが存在するかどうかを判定する。
【０３２８】
このステップＳＰ２２１で否定結果を得ると、このことは、コンテンツ記憶部１１５に１個も音楽データＡｄが記憶されていないことを意味し、このとき制御部１１２は、ステップＳＰ２２２に移る。ステップＳＰ２２２において制御部１１２は、データ無通知ダイアログ２５０を表示した後、この追加促し処理手順ＲＴ２１を終了する。
【０３２９】
これに対してステップＳＰ２２１で肯定結果を得ると、このことは、コンテンツ記憶部１１５に少なくとも１個以上の音楽データＡｄが記憶されていることを意味し、このとき制御部１１２は、ステップＳＰ２２３に移る。ステップＳＰ２２３において制御部１１２は、現在選択中のチャンネルのチャンネルプレイリストＰＬに所定数以上の音楽データＡｄが登録されているかどうかを判定する。
【０３３０】
このステップＳＰ２２３で否定結果を得ると、このことは、選択中のチャンネルのチャンネルプレイリストＰＬに登録されている音楽データＡｄの数が所定数に達していないことを意味し、このとき制御部１１２は、ステップＳＰ２２４に移る。
【０３３１】
ステップＳＰ２２４において制御部１１２は、選択中のチャンネルプレイリストＰＬがデフォルトプレイリストＤＰＬまたは以前に1度でも音楽データＡｄを再生したことのあるチャンネルプレイリストＰＬであるかどうかを判定する。ちなみにチャンネルプレイリストＰＬが１度でも音楽データＡｄを再生したことがあるかどうかを示す情報は、コンテンツ記憶部１１５またはリスト記憶部１１７に記憶され、チャンネルプレイリストＰＬにしたがってはじめて音楽データＡｄが再生された際に、更新されるようになされている。
【０３３２】
このステップＳＰ２２４で否定結果を得ると、このことは、選択中のチャンネルプレイリストＰＬがデフォルトプレイリストＤＰＬではなく、１度も音楽データＡｄを再生したことのないチャンネルプレイリストＰＬであることを意味し、このとき制御部１１２は、ステップＳＰ２２５に移る。
【０３３３】
ステップＳＰ２２５において制御部１１２は、再生中の音楽データＡｄの再生を停止すると共に、選択画面１２０の曲選択領域１２に、選択中のチャンネルのチャンネルプレイリストＰＬに登録された音楽データＡｄの数が所定数に達すればこのチャンネルで音楽データＡｄの再生を開始する旨を示す文字情報２６０を表示して、この追加促し処理手順ＲＴ２１を終了する。
【０３３４】
これに対してステップＳＰ２２３で肯定結果を得ると、このことは、選択中のチャンネルのチャンネルプレイリストＰＬに登録されている音楽データＡｄの数が所定数に達していることを意味し、このとき制御部１１２は、ステップＳＰ２２６に移る。またステップＳＰ２２４で肯定結果を得た場合も、制御部１１２は、ステップＳＰ２２６に移る。
【０３３５】
ステップＳＰ２２６において制御部１１２は、チャンネル選択時の通常処理（すなわち、図１９に示したＭｕｓｉｃＳｔａｔｉｏｎファンクション起動処理手順ＲＴ１０のステップＳＰ１０６〜ＳＰ１０８の処理、または図２０に示したチャンネル切換処理手順ＲＴ１１のステップＳＰ１１５〜ステップＳＰ１１８の処理）を実行した後、この追加促し処理手順ＲＴ２１を終了する。
【０３３６】
このような追加促し処理手順ＲＴ２１によって、音楽再生装置２１０は、コンテンツ記憶部１１５に記憶されている音楽データＡｄの数に応じて、音楽データＡｄの追加を促すようになされている。
【０３３７】
ちなみに、ここでは説明の便宜上、この追加促し処理手順ＲＴ２１を、上述したＭｕｓｉｃＳｔａｔｉｏｎファンクション起動処理手順ＲＴ１０（図１９）及びチャンネル切換処理手順ＲＴ１１（図２０）と分けて説明したが、実際には、ＭｕｓｉｃＳｔａｔｉｏｎファンクション起動処理手順ＲＴ１０及びチャンネル切換処理手順ＲＴ１１内で実行される処理である。
【０３３８】
例えば、この追加促し処理手順ＲＴ２１のステップＳＰ２２０、ＳＰ２２１は、ＭｕｓｉｃＳｔａｔｉｏｎファンクション起動処理手順ＲＴ１０のステップＳＰ１００の前段で実行される処理であり、またこの追加促し処理手順ＲＴ２１のステップＳＰ２２２は、ＭｕｓｉｃＳｔａｔｉｏｎファンクション起動処理手順ＲＴ１０のステップＳＰ１００〜ＳＰ１０８の代わりに実行される処理であり、さらにこの追加促し処理手順ＲＴ２１のステップＳＰ２２３及びＳＰ２２４は、ＭｕｓｉｃＳｔａｔｉｏｎファンクション起動処理手順ＲＴ１０のステップＳＰ１０６の前段、及びチャンネル切換処理手順ＲＴ１１のステップＳＰ１１５の前段で実行される処理であり、さらにこの追加促し処理手順ＲＴ２１のステップＳＰ２２５はＭｕｓｉｃＳｔａｔｉｏｎファンクション起動処理手順ＲＴ１０のステップＳＰ１０６〜ＳＰ１０８、及びチャンネル切換処理手順ＲＴ１１のステップＳＰ１１５〜ＳＰ１１８の代わりに実行される処理であり、さらにこの追加促し処理手順ＲＴ２１のステップＳＰ２２６はＭｕｓｉｃＳｔａｔｉｏｎファンクション起動処理手順ＲＴ１０のステップＳＰ１０６〜ＳＰ１０８、及びチャンネル切換処理手順ＲＴ１１のステップＳＰ１１５〜ＳＰ１１８に対応する処理である。
【０３３９】
また、音楽再生装置２１０は、このようにしてユーザに音楽データＡｄの追加を促す一方で、音楽データＡｄが追加された場合（つまりコンテンツ記憶部１１５に新たに音楽データＡｄを記憶した場合）、この追加によりチャンネルプレイリストＰＬを更新した旨をユーザに通知するようになされている。
【０３４０】
実際上、音楽再生装置２１０の制御部１１２は、コンテンツ記憶部１１５に新たに音楽データＡｄを記憶した場合、この音楽データＡｄを、その曲の印象値、ジャンルなどを基に、該当するチャンネルプレイリストＰＬに追加登録して、このチャンネルプレイリストＰＬを更新する。
【０３４１】
そして、音楽再生装置２１０の制御部１１２は、ＭｕｓｉｃＳｔａｔｉｏｎファンクション実行中に、チャンネル切換操作などに応じて、更新したチャンネルプレイリストＰＬが割り当てられたチャンネルを選択すると、図３６に示すように、選択画面１２０の曲選択領域１２に、このチャンネルのチャンネルプレイリストＰＬを更新した旨を通知するための更新通知アイコン２７０を表示する。ちなみに、図示はしないが、この更新通知アイコン２７０は、再生画面１３０の選択曲表示領域２２にも表示される。
【０３４２】
このようにして、音楽再生装置２１０は、選択中のチャンネルのチャンネルプレイリストＰＬが更新された旨をユーザに認識させることができるようになされている。
【０３４３】
つづけて、このようなチャンネルプレイリストＰＬが更新された旨をユーザに通知する処理（以下、これを更新通知処理とも呼ぶ）の手順について説明する。音楽再生装置２１０の制御部１１２は、ＭｕｓｉｃＳｔａｔｉｏｎファンクション実行中、チャンネル切換操作などに応じて、一のチャンネルプレイリストＰＬを選択すると、図３７に示すように、更新通知処理手順ＲＴ２２を開始して、ステップＳＰ２３０に移る。
【０３４４】
ステップＳＰ２３０において制御部１１２は、選択中のチャンネルプレイリストＰＬに現在登録されている音楽データＡｄの数を確認して、次のステップＳＰ２３１に移る。ここで、制御部１１２は、チャンネルプレイリストＰＬ内の音楽データ情報Ａｉの数を確認することで、現在登録されている音楽データＡｄの数を認識するようになされている。
【０３４５】
ステップＳＰ２３１において制御部１１２は、現在登録されている音楽データＡｄの数が、前回のＭｕｓｉｃＳｔａｔｉｏｎファンクション起動時にこのチャンネルプレイリストＰＬに登録されていた音楽データＡｄの数より多いかどうかを判定する。ここで、制御部１１２は、ＭｕｓｉｃＳｔａｉｏｎファンクション終了時に更新するチャンネルプレイリストＰＬの登録データ数Ｔｎを確認することで、前回起動時にこのチャンネルプレイリストＰＬに登録されていた音楽データＡｄの数を認識するようになされている。
【０３４６】
このステップＳＰ２３１で否定結果を得ると、このことは、選択中のチャンネルプレイリストＰＬに現在登録されている音楽データＡｄの数が、前回起動時に登録されていた音楽データＡｄの数以下であること、つまり、前回のＭｕｓｉｃＳｔａｉｏｎファンクション終了時から現在までにこのチャンネルプレイリストＰＬが更新されていないことを意味し、このとき制御部１１２は、この更新通知処理手順ＲＴ２２を終了する。
【０３４７】
これに対してステップＳＰ２３１で肯定結果を得ると、このことは、選択中のチャンネルプレイリストＰＬに現在登録されている音楽データＡｄの数が、前回起動時に登録されていた音楽データＡｄの数より多いこと、つまり、前回のＭｕｓｉｃＳｔａｉｏｎファンクション終了時から現在までにこのチャンネルプレイリストＰＬが更新されたことを意味し、このとき制御部１１２は、ステップＳＰ２３２に移る。
【０３４８】
ステップＳＰ２３２において制御部１１２は、選択画面１２０の曲選択領域１２に、チャンネルプレイリストＰＬを更新した旨を通知するための更新通知アイコン２７０を表示して、この更新通知処理手順ＲＴ２２を終了する。
【０３４９】
このような更新通知処理手順ＲＴ２２によって、音楽再生装置２１０は、チャンネルプレイリストＰＬを更新した旨をユーザに伝えるようになされている。
【０３５０】
ちなみに、ここでは説明の便宜上、この更新通知処理手順ＲＴ２２を、上述したＭｕｓｉｃＳｔａｔｉｏｎファンクション起動処理手順ＲＴ１０及びチャンネル切換処理手順ＲＴ１１と分けて説明したが、実際には、ＭｕｓｉｃＳｔａｔｉｏｎファンクション起動処理手順ＲＴ１０及びチャンネル切換処理手順ＲＴ１１内で実行される処理である。つまり、この更新通知処理手順ＲＴ２２は、例えば、ＭｕｓｉｃＳｔａｔｉｏｎファンクション起動処理手順ＲＴ１０のステップＳＰ１０８、及びチャンネル切換処理手順ＲＴ１１のステップＳＰ１１８で実行される処理である。
【０３５１】
さらに、上述したチャンネルプレイリストＰＬの登録データ数Ｔｎを更新する処理（以下、これを登録データ数更新処理とも呼ぶ）の手順についても説明する。音楽再生装置２１０の制御部１１２は、ＭｕｓｉｃＳｔａｔｉｏｎファンクション終了操作が行われたことを認識すると、図３８に示すように、登録データ数更新処理手順ＲＴ２３を開始して、ステップＳＰ２４０に移る。
【０３５２】
ステップＳＰ２４０において制御部１１２は、チャンネルプレイリストＰＬ毎に現在登録されている音楽データＡｄの数と、登録データ数Ｔｎとを比較して、異なっているのであれば、登録データ数Ｔｎを、現在登録されている音楽データＡｄの数に更新して、この登録データ数更新処理手順ＲＴ２３を終了する。
【０３５３】
このような登録データ数更新処理手順ＲＴ２３によって、音楽再生装置２１０は、各チャンネルプレイリストＰＬの登録データ数Ｔｎを更新するようになされている。
【０３５４】
（３−３）第２の実施の形態による動作及び効果
以上の構成において、音楽再生装置２１０は、コンテンツ記憶部１１５に記憶する複数の音楽データＡｄを、リスト記憶部１１７に記憶している、音楽データＡｄのコンテンツ識別情報である音楽データ情報Ａｉをリスト化した複数のチャンネルプレイリストＰＬにより管理する。
【０３５５】
そして音楽再生装置２１０の制御部１１２は、複数のチャンネルプレイリストＰＬのうちの１つをチャンネルの選択を介して選択すると共に、この選択したチャンネルプレイリストＰＬにしたがって音楽データＡｄを再生しているときに、リモートコントローラＲＭ２のリクエストボタンＢ２０が押下されると、再生中の音楽データＡｄを識別する音楽データ情報Ａｉと、選択中のチャンネルプレイリストＰＬを識別するリスト情報Ｌｉとを一時記憶部２１１に記憶することで、再生中の音楽データＡｄをリクエスト対象に指定する。
【０３５６】
その後、再度リクエストボタンＢ２０が押下されると、音楽再生装置２１０の制御部１１２は、このとき選択しているチャンネルプレイリストＰＬが、前回リクエストボタンＢ２０が押下されたときに選択しているチャンネルプレイリストＰＬと同じであるか否かを、選択中のチャンネルプレイリストＰＬのリスト情報Ｌｉと一時記憶部２１１に記憶しているリスト情報Ｌｉとを比較することで判定する。
【０３５７】
そして音楽再生装置２１０の制御部１１２は、同じであると判定した場合に、リクエスト対象の音楽データＡｄを選択中のチャンネルプレイリストＰＬ（つまりリクエスト対象の音楽データＡｄが現在登録されているチャンネルプレイリストＰＬ）から削除する一方で、異なっていると判定した場合に、リクエスト対象の音楽データＡｄを選択中のチャンネルプレイリストＰＬ（つまりリクエスト対象の音楽データＡｄが現在登録されているチャンネルプレイリストＰＬとは別のチャンネルプレイリストＰＬ）に追加登録する。
【０３５８】
こうすることで、音楽再生装置２１０は、ユーザに対して、音楽データＡｄに基づく曲を聴取させてその内容を認識させたうえで、ユーザが所望する音楽データＡｄを、リクエストボタンＢ２０を２回押下するという単純な操作により現在のリストから削除したり、別のリストに追加登録したりすることができる。
【０３５９】
くわえて、音楽再生装置２１０は、音楽データＡｄをその特徴位置より再生することで、この音楽データＡｄに基づく曲の特徴部分をユーザに聴かせることができ、結果として、ユーザに対して、曲の内容をより容易に認識させることもできる。
【０３６０】
以上の構成によれば、この第２の実施の形態による音楽再生装置２１０は、ユーザに対して、コンテンツである音楽データＡｄの内容を認識させたうえで、ユーザが所望する音楽データＡｄを、リクエストボタンＢ２０の押下操作を２回繰り返すという単純な操作により他のリストに追加することができるので、従来と比して一段と、ユーザの意図通りの編集を容易にすることができる。
【０３６１】
（３−４）第２の実施の形態に対する他の実施の形態
尚、この第２の実施の形態では、音楽データＡｄの再生制御については、上述した基本構成、及び第１の実施の形態と同様、部分再生モード時または通常再生モード時のどちらであれ、選択中の音楽データＡｄを再生するようにした場合について述べたが、本発明はこれに限らず、リクエスト対象の音楽データＡｄを指定している間は、このリクエスト対象の音楽データＡｄのみを繰り返し再生し続けるようにしてもよい。
【０３６２】
ここで、このような再生制御の処理手順について説明する。音楽再生装置２１０の制御部１１２は、ＭｕｓｉｃＳｔａｔｉｏｎファンクションを起動すると、図３９に示すように、再生制御処理手順ＲＴ２４を開始して、ステップＳＰ２５０に移る。ステップＳＰ２５０において制御部１１２は、一時記憶部２１１に音楽データ情報Ａｉ及びリスト情報Ｌｉが記憶されているか判定する。
【０３６３】
このステップＳＰ２５０で否定結果を得ると、このことは、一時記憶部２１１に音楽データ情報Ａｉ及びリスト情報Ｌｉが記憶されていないこと、すなわち、リクエスト対象となる音楽データＡｄを指定していない状態であることを意味し、このとき制御部１１２は、ステップＳＰ２５１に移り、選択中の音楽データを再生するようにして、再びステップＳＰ２５０に戻る。
【０３６４】
これに対して、このステップＳＰ２５０で肯定結果を得ると、このことは、一時記憶部２１１に音楽データ情報Ａｉ及びリスト情報Ｌｉが記憶されていること、すなわち、リクエスト対象となる音楽データＡｄを指定している状態であることを意味し、このとき制御部１１２は、ステップＳＰ２５２に移り、リクエスト対象の音楽データＡｄ（一時記憶部２１１に記憶している音楽データ情報Ａｉに対応する音楽データＡｄ）を再生するようにして、再びステップＳＰ２５０に戻る。この場合、制御部１１２は、リクエストが実行または解除されるまで、このリクエスト対象の音楽データＡｄを繰り返し再生する。
【０３６５】
これにより、音楽再生装置２１０は、例えば、リクエスト対象の音楽データＡｄに基づく曲をユーザに聴取させながら、ユーザ操作に応じてチャンネルを切り換えてユーザにこの音楽データＡｄの追加登録先となるチャンネルプレイリストＰＬを選ばせることができるので、リスト編集時の使い勝手を一段と向上させることができる。
【０３６６】
また、これに限らず、リクエスト対象の音楽データＡｄを指定している間、図４０に示すように、この旨を示すリクエスト対象指定中アイコン２８０を、選択画面１２０の曲選択領域１２に表示し続けるようにしてもよい。ちなみに、図示はしないが、このリクエスト対象指定中アイコン２８０は、再生画面１３０の選択曲表示領域２２にも表示する。
【０３６７】
さらに、この第２の実施の形態では、前回リクエストボタンＢ２０が押下されたときと違うチャンネルを選択した状態で再度リクエストボタンＢ２０が押下されると、リクエスト対象の音楽データＡｄを、現在登録されているチャンネルプレイリストＰＬとは別のチャンネルプレイリストＰＬに追加登録（つまりコピー）する場合について述べたが、本発明はこれに限らず、このとき、この音楽データＡｄを元々登録されているチャンネルプレイリストＰＬから削除（つまりムーブ）するようにしてもよい。
【０３６８】
さらに、この第２の実施の形態では、リクエストボタンＢ２０の押下によりリクエスト対象の音楽データＡｄを現在登録されているチャンネルプレイリストＰＬから削除する場合に、この音楽データＡｄに対応する音楽データ情報Ａｉの音楽データ再生設定Ａｄｉを「再生禁止」にすることで、リクエスト対象の音楽データＡｄを現在登録されているチャンネルプレイリストＰＬから削除したようにみなしたが、本発明はこれに限らず、実際に、この音楽データＡｄに対応する音楽データ情報Ａｉを、チャンネルプレイリスストＰＬから削除するようにしてもよい。
【０３６９】
ちなみに、この第２の実施の形態では、音楽データＡｄに対応する音楽データ情報Ａｉの音楽データ再生設定Ａｄｉを「再生禁止」にすることでリクエスト対象の音楽データＡｄを現在登録されているチャンネルプレイリストＰＬから削除したようにみなすことで、例えば、この削除した音楽データＡｄを元に戻したい場合に、単にこの音楽データＡｄの音楽データ再生設定Ａｄｉを「再生許可」に変更するだけで済み、リスト編集時の使い勝手を一段と向上させることができる。また、このように削除した音楽データＡｄを元に戻す処理を実行する場合、全チャンネルプレイリストＰＬに対して実行してもよいし、任意のチャンネルプレイリストＰＬに対して実行するようにしてもよい。
【０３７０】
さらに、この第２の実施の形態では、削除処理または追加登録処理を行う旨を確認するためのメッセージとして、選択画面１２０または再生画面１３０に重ねるようにして削除確認ダイアログ２３０または追加確認ダイアログ２４０を表示するようにした場合について述べたが、本発明はこれに限らず、例えば、選択画面１２０または再生画面１３０上に直接、削除処理及び追加登録処理を行う旨を示す文字情報を表示するなどしてもよく、要は、ＧＵＩ画面上で、ユーザに削除処理または追加登録処理を行う旨を確認させることができるのであれば、この他種々の情報をメッセージとして表示するようにしてもよい。
【０３７１】
さらに、この第２の実施の形態では、リクエスト受付ダイアログ２２０及びデータ無通知ダイアログ２５０を、それぞれに配された閉じるボタン２２２及び閉じるボタン２５３の押下に応じて、閉じるようにした場合について述べたが、本発明はこれに限らず、例えば、リクエスト受付ダイアログ２２０及びデータ無通知ダイアログ２５０を表示した後、所定時間経過すると自動的に閉じるようにしてもよい。
【０３７２】
さらに、この第２の実施の形態では、削除中止ボタン２３３及び追加登録中止ボタン２４３が押下されたときには、一時記憶部２１１から音楽データ情報Ａｉ及びリスト情報Ｌｉを消去しないようにした場合について述べたが、本発明はこれに限らず、これら削除中止ボタン２３３及び追加登録中止ボタン２４３が押下されたときにも、一時記憶部２１１から音楽データ情報Ａｉ及びリスト情報Ｌｉを消去するようにしてもよい。
【０３７３】
さらに、この第２の実施の形態では、デフォルトチャンネルや以前に１度でも音楽データＡｄを再生したことのあるチャンネルを選択した場合には、これらのチャンネルのチャンネルプレイリストＰＬに登録されている音楽データＡｄの数が所定数未満であっても、少なくとも１個の音楽データＡｄが登録されてさえいれば、音楽データＡｄを再生するようにした場合について述べたが、本発明はこれに限らず、例えば、ユーザ操作に応じて、チャンネル表示設定画面１４０でチャンネル表示設定を「表示」に変更したチャンネルを選択した場合も、このチャンネルのチャンネルプレイリストＰＬに少なくとも１個の音楽データＡｄが登録されてさえいれば、音楽データＡｄを再生するようにしてもよい。
【０３７４】
（４）第３の実施の形態
（４−１）第３の実施の形態の概要
次に、第３の実施の形態の概要を説明する。ちなみにこの概要を説明した後、第３の実施の形態の具体例の説明に移る。
【０３７５】
図４１に示す表示制御装置３００は、複数のコンテンツの再生順序を規定したプレイリストの表示を制御する装置であり、プレイリストに登録されている複数のコンテンツに基づいてプレイリストの特徴を抽出するプレイリスト特徴抽出部３０１と、プレイリスト特徴抽出部３０１により抽出されるプレイリストの特徴に基づいてプレイリストを表示する表示パターンを選定する表示パターン選定部３０２と、表示パターン選定部３０２により選定される表示パターンに従って表示部３０３にプレイリストを表示するように表示部３０３を制御する表示制御部３０４とを有する。
【０３７６】
尚、プレイリスト特徴抽出部３０１、表示パターン選定部３０２及び表示制御部３０４が、上述した基本構成となるコンテンツ再生装置１（図１）の制御部３に対応するものである。
【０３７７】
このような構成を有することで、この第３の実施の形態による表示制御装置３００は、プレイリストの特徴に合った表示パターンでプレイリストを表示することができるので、コンテンツに関する従来とは異なる新たな楽しみ方を提供することができる。
【０３７８】
（４−２）第３の実施の形態の具体例
つづけて、この第３の実施の形態の具体例を説明する。図４２に示す音楽再生装置３１０は、上述した表示制御装置３００の具体例であり、図１３との同一部分に同一符号を付して示すように、上述した第１の実施の形態の音楽再生装置１１０と比較して、計時部１１８を有していない点が異なる構成を有している。
【０３７９】
また、この音楽再生装置３１０は、制御部１１２内に、後述する、チャンネルプレイリストＰＬの特徴を抽出する役割を担うプレイリスト特徴抽出部１１２Ａと、抽出したチャンネルプレイリストＰＬの特徴に基づいてチャンネルプレイリストＰＬ表示時の表示パターンを選定する役割を担う表示パターン選定部１１２Ｂと、選定した表示パターンにしたがってＧＵＩ画面を表示するように表示部１１３を制御する役割を担う表示制御部１１２Ｃとが設けられている。
【０３８０】
さらに、この音楽再生装置３１０は、第１の実施の形態と同様のリモートコントローラＲＭ１を有している。
【０３８１】
尚、この音楽再生装置３１０のプレイリスト特徴検出部１１２Ａ、表示パターン選定部１１２Ｂ、表示制御部１１２Ｃが、それぞれ上述した表示制御装置３００のプレイリスト特徴検出部３０１、表示パターン選定部３０２、表示制御部３０４に対応するものである。
【０３８２】
そして、この音楽再生装置３１０は、上述した第１の実施の形態の音楽再生装置１１０と同様、ダウンロードファンクション、ＣＤ録音ファンクション、通常再生ファンクション、ＣＤ再生ファンクション、ＭｕｓｉｃＳｔａｔｉｏｎファンクションを持ち、リモートコントローラＲＭ１に対する操作に応じて、制御部１１２が、これらのファンクションに応じた処理を実行するようになされている。
【０３８３】
ここで、この音楽再生装置３１０が持つＭｕｓｉｃＳｔａｔｉｏｎファンクションについて説明する。まず、この音楽再生装置３１０が持つＭｕｓｉｃＳｔａｔｉｏｎファンクションでの音楽データＡｄの管理方法について説明する。この管理方法については、上述した第１の実施の形態の音楽再生装置１１０による管理方法と同様であり、その詳細は、上述の第１の実施の形態の説明を参照とする。
【０３８４】
すなわち、この第３の実施の形態による音楽再生装置３１０は、図２に示すように、チャンネルリストＣＬにより複数のチャンネルプレイリストＰＬを管理するようになされ、さらに複数のチャンネルプレイリストＰＬのそれぞれによって音楽データＡｄの再生曲順を管理するようになされている。
【０３８５】
また、このＭｕｓｉｃＳｔａｔｉｏｎファンクションには、上述した第１の実施の形態と同様、新しく追加した曲、再生回数の少ない曲、ノリのよい曲、明るい曲、クラシックの曲、ヘビメタの曲などのように、ユーザが要求すると考えられる分類毎にチャンネルプレイリストＰＬが用意され、音楽再生装置３１０の制御部１１２が、音楽データＡｄの記憶または再生に応じて、コンテンツ記憶部１１５に記憶している音楽データＡｄを、その再生回数、曲の印象値、ジャンルなどを基に、用意されたチャンネルプレイリストＰＬのうちの該当するチャンネルプレイリストＰＬに登録するようにして、チャンネルプレイリストＰＬを自動的に更新するようになされている。
【０３８６】
そして、音楽再生装置３１０は、ＧＵＩ画面上で、新しく追加した曲、再生回数の少ない曲、ノリのよい曲、明るい曲、クラシックの曲、ヘビメタの曲などのように分類されたチャンネルプレイリストＰＬをチャンネルとして、リモートコントローラＲＭ１に対するユーザ操作に応じて選択することにより、ラジオのチャンネルを切り換える感覚で、ユーザが所望の曲を容易に見付けだすことができるようになされている。
【０３８７】
さらに、ＭｕｓｉｃＳｔａｔｉｏｎファンクションでのＧＵＩ画面についても、上述した第１の実施の形態の音楽再生装置１１０のＧＵＩ画面と同様の画面構成であり、その詳細は、上述の第１の実施の形態の説明を参照とする。
【０３８８】
すなわち、この第３の実施の形態による音楽再生装置３１０は、図１５に示す選択画面１２０を介してチャンネルの内容及び曲の内容をユーザに視認させつつ、リモートコントローラＲＭ１の上方向ボタンＢ１３及び下方向ボタンＢ１４に対するユーザ操作に従って、チャンネルを切り換えて選択すると共に、リモートコントローラＲＭ１の左方向ボタンＢ１５及び右方向ボタンＢ１６に対するユーザ操作に従って、曲を切り換えて選択するようになされている。
【０３８９】
また、音楽再生装置３１０は、所定条件（決定ボタンＢ１７の押下または操作なく所定時間経過）に基づいて選択画面１２０を再生画面１３０に切り換え、この再生画面１３０を介して、選択されたチャンネル及び曲の内容をユーザに視認させ得るようになされている。
【０３９０】
さらに、このＧＵＩ画面の切り換えに伴う音楽データＡｄの再生制御についても、上述した第１の実施の形態の音楽再生装置１１０による再生制御と同様であり、その詳細は、上述の第１の実施の形態の説明を参照とする。
【０３９１】
すなわち、この第３の実施の形態による音楽再生装置３１０は、選択画面１２０表示時には選択中の音楽データＡｄを特徴位置より再生する部分再生モードに遷移し、再生画面１３０表示時には選択中の音楽データＡｄを通常再生する通常再生モードに遷移するようになされ、どちらのモードに切り換わろうとＭｕｓｉｃＳｔａｔｉｏｎファンクション実行中は常に音楽データＡｄを途切れることなく再生するようになされている。
【０３９２】
かくするにつき、音楽再生装置３１０は、このＭｕｓｉｃＳｔａｔｉｏｎファンクション実行時、第１の実施の形態の音楽再生装置１１０と同様、リモートコントローラＲＭ１の上方向ボタンＢ１３及び下方向ボタンＢ１４の操作に従って、あたかもラジオのプリセット局を切り換える感覚で、チャンネル単位でチャンネルプレイリストＰＬを切り換えることができると共に、左方向ボタンＢ１５及び右方向ボタンＢ１６の操作に従って、チャンネル内で再生する曲を切り換えることができ、これにより、ユーザに対して、ラジオ局より放送される音楽を聴くような感覚で、一段と容易に所望の曲を聴取させることができるようになされている。
【０３９３】
さらに、ＭｕｓｉｃＳｔａｔｉｏｎファンクション起動処理、チャンネル切換処理、曲切換処理の手順についても、上述した第１の実施の形態の音楽再生装置１１０により実行される処理の手順と同様であり、その詳細は、上述の第１の実施の形態の説明を参照とする。
【０３９４】
さらに、ＭｕｓｉｃＳｔａｔｉｏｎファンクションでのチャンネルの表示設定方法についても、上述した第１の実施の形態の音楽再生装置１１０による表示設定方法と同様であり、その詳細は、上述の第１の実施の形態の説明を参照とする。
【０３９５】
すなわち、この第３の実施の形態による音楽再生装置３１０は、図２２に示すチャンネル表示設定画面１４０を介してチャンネル毎にチャンネル表示設定を「表示」または「非表示」に変更し得るようになされている。
【０３９６】
ここまで説明したように、この第３の実施の形態の音楽再生装置３１０は、上述した第１の実施の形態と同様、リモートコントローラＲＭ１の操作に対応するＭｕｓｉｃＳｔａｔｉｏｎファンクションを持ち、ＭｕｓｉｃＳｔａｔｉｏｎファンクションの起動、チャンネル切換、曲切換、チャンネルの表示設定などを、リモートコントローラＲＭ１の操作により容易に行うことができるようになされている。
【０３９７】
ところで、このＭｕｓｉｃＳｔａｔｉｏｎファンクションでは、上述したように、リスト再生設定Ｌｄｉが「再生許可」に固定のデフォルトプレイリストＰＬと、それ以外のチャンネルプレイリスト、つまりリスト再生設定Ｌｄｉを「再生許可」から「再生禁止」にまたはその逆に変更可能なチャンネルプレイリスト（以下、これを設定変更可能プレイリストとも呼ぶ）ＰＬとが存在し、音楽再生装置３１０は、設定変更可能プレイリストＰＬのリスト再生設定Ｌｄｉを、チャンネル表示設定画面１４０上でのユーザ操作に応じて、設定変更可能プレイリストＰＬが割り当てられたチャンネルのチャンネル表示設定として変更するようになされている。
【０３９８】
このようにして、ユーザの指示の基、各設定変更可能プレイリストＰＬのリスト再生設定Ｌｄｉ（つまり各チャンネルのチャンネル表示設定）を変更する一方で、この第３の実施の形態による音楽再生装置３１０は、各設定変更可能プレイリストＰＬの特徴（例えば、登録されている音楽データＡｄの数）に応じて、各設定変更可能プレイリストＰＬのリスト再生設定Ｌｄｉ（各チャンネルのチャンネル表示設定）を自動的に選定するようにもなされている。
【０３９９】
具体的に言うと、音楽再生装置３１０は、制御部１１２のプレイリスト特徴抽出部１１２Ａによって各設定変更可能プレイリストＰＬに登録されている音楽データＡｄの数を取得し、この取得した数に応じて、制御部１１２の表示パターン選定部１１２Ｂが各設定変更可能プレイリストＰＬのリスト再生設定Ｌｄｉ（各チャンネルのチャンネル表示設定）を選定するようになされている。
【０４００】
この場合、表示パターン選定部１１２Ｂは、例えば、プレイリスト特徴抽出部１１２Ａによって取得される設定変更可能プレイリストＰＬに登録されている音楽データＡｄの数が０個の場合は、この設定変更可能プレイリストＰＬのリスト再生設定Ｌｄｉを「再生禁止」にすることでこの設定変更可能プレイリストＰＬが割り当てられたチャンネルのチャンネル表示設定を「非表示」にするようになされ、プレイリスト特徴抽出部１１２Ａによって取得される設定変更可能プレイリストＰＬに登録されている音楽データＡｄの数が１個以上の場合は、リスト再生設定Ｌｄｉを「再生許可」にすることでこの設定変更可能プレイリストＰＬが割り当てられたチャンネルのチャンネル表示設定を「表示」にするようになされている。
【０４０１】
そして、この表示パターン選定部１１２Ｂにより自動的に選定されたチャンネル表示設定にしたがって、制御部１１２の表示制御部１１２Ｃが、選択画面１２０及び再生画面１３０を表示部１１３に表示するようになされている。
【０４０２】
すなわち、音楽再生装置３１０の制御部１１２は、例えば、購入直後などのように、設定変更可能プレイリストＰＬにまだ１個も音楽データＡｄを登録していないときには、この設定変更可能プレイリストＰＬが割り当てられたチャンネルのチャンネル表示設定を「非表示」にする（つまり設定変更可能プレイリストＰＬのリスト情報Ｌｉを選択画面１２０上に表示しない）ことで、このチャンネル（つまり設定変更可能プレイリストＰＬ）を選択画面１２０上で選択できないようにし、音楽データＡｄの追加にともない設定変更可能プレイリストＰＬに音楽データＡｄを1個でも登録すると、この設定変更可能プレイリストＰＬが割り当てられたチャンネルのチャンネル表示設定を「表示」にする（つまり設定変更可能プレイリストＰＬのリスト情報Ｌｉを選択画面１２０上に表示する）ことで、このチャンネル（つまり設定変更可能プレイリストＰＬ）を選択画面１２０上で選択できるようにする。
【０４０３】
この結果、ＭｕｓｉｃＳｔａｔｉｏｎファンクションでは、例えば、最初はデフォルトチャンネルしか選択できない（つまりデフォルトプレイリストＤＰＬしか選択できない）が、音楽データＡｄの追加にともなって、選択できるチャンネルが増えていく（つまり選択できる設定変更可能プレイリストＰＬが増えていく）。
【０４０４】
こうすることで、音楽再生装置３１０は、ユーザに対して、音楽データＡｄを追加すればＭｕｓｉｃＳｔａｔｉｏｎファンクションで楽しめるチャンネルが増えることを認識させることができ、この結果、ユーザに対して、音楽データＡｄの追加を一段と促すことができると共に、単に曲を聴くという楽しみ方にくわえて、チャンネルを増やすといった楽しみ方や、新たなチャンネルを探すといった楽しみ方を提供することができるようになされている。
【０４０５】
また、音楽再生装置３１０は、このようにして新たに選択可能なチャンネルを追加した場合、ＭｕｓｉｃＳｔａｔｉｏｎファンクション起動時やチャンネル選択時などに、その旨を、ユーザに通知するようにもなされている。
【０４０６】
具体的に言うと、音楽再生装置３１０は、上述したように、新たに選択可能なチャンネルを追加した場合、例えば、ＭｕｓｉｃＳｔａｔｉｏｎファンクション起動時、図４３に示すように、このとき表示している選択画面１２０に重ねるようにして、新たに選択可能なチャンネルを追加した旨をユーザに通知するためのチャンネル追加通知ダイアログ３２０を表示する。
【０４０７】
このチャンネル追加通知ダイアログ３２０には、新たに選択可能なチャンネルを追加した旨を示す文字情報（例えば、「新しいChannelが追加されました。Ch4 “Zen Style” Ch8 “ボーカル”」）３２１が記されると共に、このチャンネル追加ダイアログ３２０を閉じるための閉じるボタン３２２が配されている。
【０４０８】
そして、音楽再生装置３１０の制御部１１２は、リモートコントローラＲＭ１に対するユーザ操作により閉じるボタン３２２が押下されると、このチャンネル追加ダイアログ３２０を閉じるようになされている。
【０４０９】
また、音楽再生装置３１０は、新たに選択可能なチャンネルを追加した場合、例えば、チャンネル切換操作に応じて、この新たに追加したチャンネルを選択した時、図４４に示すように、選択画面１２０の曲選択領域１２に、このチャンネルが新たに追加したチャンネルである旨を通知するため追加通知アイコン３３０を表示する。ちなみに、図示はしないが、この追加通知アイコン３３０は、再生画面１３０の選択曲表示領域２２にも表示される。
【０４１０】
このようにして、音楽再生装置３１０は、新たに選択可能なチャンネルが追加された旨をユーザに認識させることができるようになされている。ちなみに、チャンネル追加ダイアログ３２０及び追加通知アイコン３３０は、表示パターン選定部１１２Ｂの指示の基、表示制御部１１２Ｃが表示部１１３に表示させるものである。
【０４１１】
つづけて、上述した、設定変更可能プレイリストＰＬの特徴に応じて、リスト再生設定Ｌｄｉ（つまりチャンネル表示設定）を自動で変更する処理（以下、これをチャンネル表示設定変更処理とも呼ぶ）の手順について説明する。
【０４１２】
音楽再生装置３１０の制御部１１２は、ユーザの指示の基、例えば、ダウンロードファンクションで音楽データＡｄをダウンロードすることにより、コンテンツ記憶部１１５に新たな音楽データＡｄを追加（記憶）すると、図４５に示すように、チャンネル表示設定変更処理手順ＲＴ３０を開始して、ステップＳＰ３００に移る。
【０４１３】
ステップＳＰ３００において制御部１１２は、プレイリスト特徴部１１２Ａによって、全チャンネルプレイリストＰＬのリスト情報Ｌｉのそれぞれから登録データ数Ｔｎを取得すると共に、この取得したチャンネルプレイリストＰＬ毎の登録データ数Ｔｎをコンテンツ記憶部１１５またはリスト記憶部１１７に一時記憶して、次のステップＳＰ３０１に移る。ちなみに、登録データ数Ｔｎは、ＭｕｓｉｃＳｔａｉｏｎファンクション終了時に更新されるようになされていることから、前回起動時にこのチャンネルプレイリストＰＬに登録されていた音楽データＡｄの数、つまり音楽データＡｄが追加される前のチャンネルプレイリストＰＬに登録されていた音楽データＡｄの数を示すことになる。
【０４１４】
ステップＳＰ３０１において制御部１１２は、コンテンツ記憶部１１５に未処理の音楽データＡｄ（すなわちどのチャンネルプレイリストＰＬにも登録されていない音楽データＡｄ）があるかどうかを、コンテンツ記憶部１１５に構築されたデータベースＤＢ及びリスト記憶部１１７に記憶されたチャンネルプレイリストＰＬを基に判定する。
【０４１５】
このステップＳＰ３０１で肯定結果を得ると、このことは、まだ、新たに追加した音楽データＡｄの全てをチャンネルプレイリストＰＬに登録し終えていないことを意味し、このとき制御部１１２は、ステップＳＰ３０２に移り、このステップＳＰ３０２において、登録し終えていない音楽データＡｄを、その再生回数、曲の印象値、ジャンルなどを基に、用意されたチャンネルプレイリストＰＬのうちの該当するチャンネルプレイリストＰＬに登録して、再びステップＳＰ３０１に戻る。
【０４１６】
このようにして、新たに追加した音楽データＡｄの全てをチャンネルプレイリストＰＬに登録し終えると、制御部１１２は、このステップＳＰ３０１で肯定結果を得て、ステップＳＰ３０３に移る。
【０４１７】
ステップＳＰ３０３において制御部１１２は、全てのチャンネルに対してチャンネル表示設定（すなわちチャンネルプレイリストＰＬのリスト再生設定Ｌｄｉ）を確認するにあたり、まず全てのチャンネルに対してチャンネル表示設定を確認し終えたかどうかを判定する。ここでは、まだ１チャンネルも確認していないので、否定結果を得て、制御部１１２は、ステップＳＰ３０４に移る。
【０４１８】
ステップＳＰ３０４において制御部１１２は、プレイリスト特徴抽出部１１２Ａによって、チャンネルリストＣＬの例えば先頭のチャンネル番号ＣＮに対応するチャンネル（以下、これを先頭チャンネルとも呼ぶ）のチャンネル表示設定を確認（つまり先頭チャンネルのチャンネルプレイリストＰＬのリスト再生設定Ｌｄｉを確認）すると共に、このチャンネル表示設定が「非表示」であるかどうか（つまりリスト再生設定Ｌｄｉが「再生禁止」であるかどうか）を判定する。このステップＳＰ３０４で否定結果を得ると、このことはこの先頭チャンネルのチャンネル表示設定が「表示」であること、すなわちこの先頭チャンネルが既にＭｕｓｉｃＳｔａｔｉｏｎファンクションで表示される（選択可能な）チャンネルであることを意味し、このとき制御部１１２は、ステップＳＰ３０３に戻る。
【０４１９】
これに対して、このステップＳＰ３０４で肯定結果を得ると、このことは、この先頭チャンネルのチャンネル表示設定が「非表示」であること、すなわちこの先頭チャンネルが現在ＭｕｓｉｃＳｔａｔｉｏｎファンクションで表示されない（選択できない）チャンネルであることを意味し、このとき制御部１１２は、ステップＳＰ３０５に移る。
【０４２０】
ステップＳＰ３０５において制御部１１２は、チャンネルプレイリスト毎の登録データ数Ｔｎを一時記憶しているコンテンツ記憶部１１５またはリスト記憶部１１７から、この先頭チャンネルのチャンネルプレイリストＰＬの登録データ数Ｔｎを読み出すと共に、プレイリスト特徴抽出部１１２Ａによって、この先頭チャンネルのチャンネルプレイリストＰＬ内の音楽データ情報Ａｉの数（つまり現在登録されている音楽データＡｄの数）を確認し、登録データ数Ｔｎが閾値未満（例えば１個未満、つまり０個）であり、且つ音楽データ情報Ａｉの数が閾値以上（例えば１個以上）であるかどうか、つまり先頭チャンネルのチャンネルプレイリストＰＬに音楽データＡｄが少なくとも１個以上登録されたかどうかを判定する。
【０４２１】
このステップＳＰ３０５で否定結果を得ると、このことは、先頭チャンネルのチャンネルプレイリストＰＬにまだ１個も音楽データＡｄが登録されていないことを意味し、このときプレイリスト特徴抽出部１１２Ａは、ステップＳＰ３０３に戻る。
【０４２２】
これに対して、このステップＳＰ３０５で肯定結果を得ると、このことは、先頭チャンネルのチャンネルプレイリストＰＬに音楽データＡｄが少なくとも１個以上登録されたことを意味し、このときプレイリスト特徴抽出部１１２Ａは、ステップＳＰ３０６に移る。ステップＳＰ３０６において制御部１１２は、表示パターン選定部１１２Ｂによって、先頭チャンネルのチャンネル表示設定を「非表示」から「表示」に変更することにより、この先頭チャンネルをＭｕｓｉｃＳｔａｔｉｏｎファンクションで新たに表示される（選択可能な）チャンネルとして、次のステップＳＰ３０７に移る。
【０４２３】
ステップＳＰ３０７において制御部１１２は、この先頭チャンネルが、新たに追加されたチャンネルであることを示す情報（以下、これをチャンネル追加情報とも呼ぶ）を、コンテンツ記憶部１１５またはリスト記憶部１１７に記憶して、ステップＳＰ３０３に戻る。ちなみに、このチャンネル追加情報は、ＭｕｓｉｃＳｔａｔｉｏｎファンクション起動時、新たに追加されたチャンネルを特定するときに使用される。
【０４２４】
そして、ステップＳＰ３０３に戻った制御部１１２は、ステップＳＰ３０３〜ＳＰ３０７の処理を、先頭チャンネル以降の全てのチャンネルに対しても実行して、全てのチャンネルに対して実行し終えると（すなわち全てのチャンネルのチャンネル表示設定を確認し終えると）、ステップＳＰ３０３で肯定結果を得て、このチャンネル表示設定変更処理手順ＲＴ３０を終了する。
【０４２５】
このようなチャンネル表示設定変更処理手順によって、音楽再生装置３１０の制御部１１２は、各チャンネルのチャンネル表示設定を自動で変更するようになされている。
【０４２６】
さらに、このＭｕｓｉｃＳｔａｉｏｎファンクションでは、チャンネルプレイリストＰＬの特徴（例えば登録されている音楽データＡｄの数）に応じて、そのチャンネルプレイリストＰＬが割り当てられたチャンネルを選択したときの選択画面１２０及び再生画面１３０の彩度（あざやかさ）を変更するようにもなされている。
【０４２７】
具体的に言うと、音楽再生装置３１０は、制御部１１２のプレイリスト特徴抽出部１１２Ａにより取得されるチャンネルプレイリストＰＬに登録されている音楽データ数Ａｄの数に応じて、そのチャンネルプレイリストＰＬが割り当てられたチャンネルを選択したときの選択画面１２０及び再生画面１３０（つまりそのチャンネルプレイリストＰＬのリスト情報Ｌｉが表示されるときの選択画面１２０及び再生画面１３０）の彩度を表示パターン選定部１１２Ｂが選定するようになされている。
【０４２８】
この場合、表示パターン選定部１１２Ｂは、例えば、プレイリスト特徴抽出部１１２Ａにより取得されるチャンネルプレイリストＰＬに登録されている音楽データ数Ａｄの数が５個以下である場合には、そのチャンネルプレイリストＰＬのリスト情報Ｌｉが表示されるときの選択画面１２０の彩度として、図４６（Ａ）に示すように、最も低い第１の彩度を選定し、６個以上１０個以下である場合には、図４６（Ｂ）に示すように、第１の彩度よりも高い第２の彩度を選定し、１１個以上である場合には、図４６（Ｃ）に示すように、第２の彩度よりも高い第３の彩度を選定するようになされている。ちなみに図示しないが、再生画面１３０の彩度も同様に選定される。
【０４２９】
そして、この表示パターン選定部１１２Ｂにより自動的に選定された彩度にしたがって、制御部１１２の表示制御部１１２Ｃが、選択画面１２０及び再生画面１３０を表示部１１３に表示するようになされている。
【０４３０】
こうすることで、音楽再生装置３１０は、音楽データＡｄを追加して新たな曲を聴くという楽しみ方にくわえて、音楽データＡｄを追加してよりあざやかに表示されるチャンネルプレイリストＰＬを見るという楽しみ方をユーザに提供することができ、この結果、ユーザに対して、より一層音楽データＡｄの追加を促すことができる。
【０４３１】
つづけて、このような選択画面１２０及び再生画面１３０の彩度を選定する処理（以下、これを画面彩度選定処理とも呼ぶ）の手順について説明する。ちなみに、ここでは説明の便宜上、選択画面１２０の彩度を選定する場合を一例として説明する。音楽再生装置３１０の制御部１１２は、ＭｕｓｉｃＳｔａｔｉｏｎファンクション起動時にチャンネルの選択を介して一のチャンネルプレイリストＰＬを選択すると、または、ＭｕｓｉｃＳｔａｔｉｏｎファンクション起動中にチャンネル切換操作に応じたチャンネルの選択を介して一のチャンネルプレイリストＰＬを選択すると、図４７に示すように、画面彩度選定処理手順ＲＴ３１を開始して、ステップＳＰ３１０に移る。
【０４３２】
ステップＳＰ３１０において制御部１１２は、プレイリスト特徴抽出部１１２Ａによって、選択中のチャンネルプレイリストＰＬに現在登録されている音楽データＡｄの数を取得して、次のステップＳＰ３１１に移る。ここで、プレイリスト特徴抽出部１１２Ａは、チャンネルプレイリストＰＬ内の音楽データ情報Ａｉの数を取得することで、現在登録されている音楽データＡｄの数を取得するようになされている。
【０４３３】
ステップＳＰ３１１において制御部１１２は、取得した音楽データＡｄの数が第１の閾値（例えば「５」）以下であるかどうかを判定する。このステップＳＰ３１１で肯定結果を得ると、このことは、選択中のチャンネルプレイリストＰＬに登録されている音楽データＡｄの数が５個以下であることを意味し、このとき制御部１１２は、ステップＳＰ３１２に移る。
【０４３４】
ステップＳＰ３１２において制御部１１２は、表示パターン選定部１１２Ｂにより、選択中のチャンネルプレイリストＰＬのリスト情報Ｌｉが表示される選択画面１２０の彩度として、図４６（Ａ）に示したような、最も低い第１の彩度を選定して、この画面彩度選定処理手順ＲＴ３１を終了する。
【０４３５】
これに対して、上述のステップＳＰ３１１で否定結果を得ると、このことは、選択中のチャンネルプレイリストＰＬに登録されている音楽データＡｄの数が６個以上であることを意味し、このとき制御部１１２は、ステップＳＰ３１３に移る。
【０４３６】
ステップＳＰ３１３において制御部１１２は、取得した音楽データＡｄの数が第２の閾値（例えば「１０」）以下であるかどうかを判定する。このステップＳＰ３１３で肯定結果を得ると、このことは、選択中のチャンネルプレイリストＰＬに登録されている音楽データＡｄの数が６個以上１０個以下であることを意味し、このときプレイリスト特徴抽出部１１２Ａは、ステップＳＰ３１４に移る。
【０４３７】
ステップＳＰ３１４において制御部１１２は、表示パターン選定部１１２Ｂにより、選択中のチャンネルプレイリストＰＬのリスト情報Ｌｉが表示される選択画面１２０の彩度として、図４６（Ｂ）に示したような、第１の彩度よりも高い第２の彩度を選定して、この画面彩度選定処理手順ＲＴ３１を終了する。
【０４３８】
これに対して、上述のステップＳＰ３１３で否定結果を得ると、このことは、選択中のチャンネルプレイリストＰＬに登録されている音楽データＡｄの数が１１個以上であることを意味し、このとき制御部１１２は、ステップＳＰ３１５に移る。
【０４３９】
ステップＳＰ３１５において制御部１１２は、表示パターン選定部１１２Ｂにより、選択中のチャンネルプレイリストＰＬのリスト情報Ｌｉが表示される選択画面１２０の彩度として、図４６（Ｃ）に示したような、第２の彩度よりも高い第３の彩度を選定して、この画面彩度選定処理手順ＲＴ３１を終了する。
【０４４０】
このような画面彩度選定処理手順ＲＴ３１によって、音楽再生装置３１０の制御部１１２は、選択中のチャンネルプレイリストＰＬに対応する選択画面１２０の彩度を選定するようになされている。
【０４４１】
ちなみに、ここでは説明の便宜上、この画面彩度選定処理手順ＲＴ３１を、上述したＭｕｓｉｃＳｔａｔｉｏｎファンクション起動処理手順ＲＴ１０及びチャンネル切換処理手順ＲＴ１１と分けて説明したが、実際には、ＭｕｓｉｃＳｔａｔｉｏｎファンクション起動処理手順ＲＴ１０及びチャンネル切換処理手順ＲＴ１１内で実行される処理である。つまり、この画面彩度選定処理手順ＲＴ３１は、例えば、ＭｕｓｉｃＳｔａｔｉｏｎファンクション起動処理手順ＲＴ１０のステップＳＰ１０８、及びチャンネル切換処理手順ＲＴ１１のステップＳＰ１１８で実行される処理である。
【０４４２】
よって、ＭｕｓｉｃＳｔａｔｉｏｎファンクション起動処理手順ＲＴ１０のステップＳＰ１０８、及びチャンネル切換処理手順ＲＴ１１のステップＳＰ１１８で表示する選択画面１２０が、表示制御部１１２Ｃによって、表示パターン選定部１１２Ｂにより選定された彩度で表示される。
【０４４３】
（４−３）第３の実施の形態による動作及び効果
以上の構成において、音楽再生装置３１０は、コンテンツ記憶部１１５に記憶する複数の音楽データＡｄを、リスト記憶部１１７に記憶している、音楽データＡｄのコンテンツ識別情報である音楽データ情報Ａｉをリスト化した複数のチャンネルプレイリストＰＬにより管理する。
【０４４４】
そして、音楽再生装置３１０の制御部１１２は、リモートコントローラＲＭ１のユーザ操作にしたがって、複数のチャンネルプレイリストＰＬのうちの１つを選択すると、この選択したチャンネルプレイリストＰＬのリスト情報Ｌｉ（リスト名Ｌｔ及びリスト説明Ｌｄｅ）を選択画面１２０上に表示する。
【０４４５】
ここで、音楽再生装置３１０の制御部１１２は、プレイリスト特徴抽出部１１２Ａによって、各チャンネルプレイリストＰＬの特徴（登録されている音楽データＡｄの数）を抽出し、この抽出した特徴に応じて、表示パターン選定部１１２Ｂにより各チャンネルプレイリストＰＬを選択画面１２０に表示するときの表示パターン（表示／非表示及び彩度）を選定する。
【０４４６】
具体的に言うと、表示パターン選定部１１２Ｂは、チャンネルプレイリストＰＬに登録されている音楽データＡｄの数が０個であれば、このチャンネルプレイリストＰＬを非表示にして、チャンネルプレイリストＰＬに登録されている音楽データＡｄの数が１個以上であれば、このチャンネルプレイリストＰＬを表示にする。
【０４４７】
すなわち、音楽再生装置３１０は、ユーザによる音楽データＡｄの追加にともなってチャンネルプレイリストＰＬに少なくとも１個の音楽データＡｄを登録してはじめて、このチャンネルプレイリストＰＬを表示してその存在をユーザに教えるようにしたことにより、音楽データＡｄを追加して選択可能なチャンネルプレイリストＰＬを増やす、あるいは新たなチャンネルプレイリストＰＬを探すといった、従来にはない新たな楽しみ方をユーザに提供することができる。
【０４４８】
また、表示パターン選定部１１２Ｂは、チャンネルプレイリストＰＬに登録されている音楽データＡｄの数が第１の閾値（例えば５個）以下であれば、このチャンネルプレイリストＰＬを表示するときの彩度として第１の彩度を選定し、この数が第１の閾値より大きく第２の閾値（例えば１０個）以下であれば、を第２の彩度を選定して、この数が第２の閾値より大きければ、第３の彩度を選定する。
【０４４９】
すなわち、音楽再生装置３１０は、チャンネルプレイリストＰＬに登録されている音楽データＡｄの数に応じて異なる彩度でチャンネルプレイリストＰＬを表示するようにしたことにより、登録されている音楽データＡｄの数により彩度を変えて表示されるチャンネプレイリストＰＬを見るといった従来にはない新たな楽しみ方をユーザに提供することができる。
【０４５０】
また、このように、各チャンネルプレイリストＰＬに登録されている音楽データＡｄの数に応じて、各チャンネルプレイリストＰＬを選択画面１２０に表示するときの表示パターンを選定するようにしたことにより、音楽再生装置３１０は、音楽データＡｄを追加することで新たな楽しみ方が提供される旨をユーザに認識させることができ、結果として、音楽データＡｄの追加をより一層ユーザに促すこともできる。
【０４５１】
以上の構成によれば、音楽再生装置３１０は、チャンネルプレイリストＰＬの特徴に合った表示パターンでチャンネルプレイリストＰＬを表示することができるので、音楽データＡｄに関する従来とは異なる新たな楽しみ方をユーザに提供することができる。
【０４５２】
（４−４）第３の実施の形態に対する他の実施の形態
尚、この第３の実施の形態では、チャンネルプレイリストＰＬの特徴に応じて選定する表示パターンとして選択画面１２０及び再生画面１３０の彩度を選定するようにした場合について述べたが、本発明はこれに限らず、明度（つまり表示部１１３のバックライトの明るさ）を選定するようにしてもよい。
【０４５３】
ここで、このような画面の明度を選定する処理（以下、これを画面明度選定処理とも呼ぶ）の手順について説明する。ちなみに、ここでは説明の便宜上、選択画面１２０の明度を選定する場合を一例として説明する。音楽再生装置３１０の制御部１１２は、ＭｕｓｉｃＳｔａｔｉｏｎファンクション起動時にチャンネルの選択を介して一のチャンネルプレイリストＰＬを選択すると、または、ＭｕｓｉｃＳｔａｔｉｏｎファンクション起動中にチャンネル切換操作に応じたチャンネルの選択を介して一のチャンネルプレイリストＰＬを選択すると、図４８に示すように、画面明度選定処理手順ＲＴ３２を開始して、ステップＳＰ３２０に移る。
【０４５４】
ステップＳＰ３２０において制御部１１２は、プレイリスト特徴抽出部１１２Ａによって、選択中のチャンネルプレイリストＰＬに現在登録されている音楽データＡｄの数を取得して、次のステップＳＰ３２１に移る。ここで、プレイリスト特徴抽出部１１２Ａは、チャンネルプレイリストＰＬ内の音楽データ情報Ａｉの数を取得することで、現在登録されている音楽データＡｄの数を取得するようになされている。
【０４５５】
ステップＳＰ３２１において制御部１１２は、取得した音楽データＡｄの数が第１の閾値（例えば「５」）以下であるかどうかを判定する。このステップＳＰ３２１で肯定結果を得ると、このとき制御部１１２は、ステップＳＰ３２２に移る。
【０４５６】
ステップＳＰ３２２において制御部１１２は、表示パターン選定部１１２Ｂにより、選択中のチャンネルプレイリストＰＬのリスト情報Ｌｉが表示される選択画面１２０の明度として、最も低い第１の明度を選定して、この画面明度選定処理手順ＲＴ３２を終了する。
【０４５７】
これに対して、上述のステップＳＰ３２１で否定結果を得ると、このとき制御部１１２は、ステップＳＰ３２３に移る。ステップＳＰ３２３において制御部１１２は、取得した音楽データＡｄの数が第２の閾値（例えば「１０」）以下であるかどうかを判定する。このステップＳＰ３２３で肯定結果を得ると、このときプレイリスト特徴抽出部１１２Ａは、ステップＳＰ３２４に移る。
【０４５８】
ステップＳＰ３２４において制御部１１２は、表示パターン選定部１１２Ｂにより、選択中のチャンネルプレイリストＰＬのリスト情報Ｌｉが表示される選択画面１２０の明度として、第１の明度よりも高い第２の明度を選定して、この画面明度選定処理手順ＲＴ３２を終了する。
【０４５９】
これに対して、上述のステップＳＰ３２３で否定結果を得ると、このとき制御部１１２は、ステップＳＰ３２５に移る。ステップＳＰ３２５において制御部１１２は、表示パターン選定部１１２Ｂにより、選択中のチャンネルプレイリストＰＬのリスト情報Ｌｉが表示される選択画面１２０の明度として、第２の明度よりも高い第３の明度を選定して、この画面明度選定処理手順ＲＴ３２を終了する。
【０４６０】
そして、この結果、制御部１１２の表示制御部１１２Ｃが、表示パターン選定部１１２Ｂにより選定された明度にしたがって、選択画面１２０及び再生画面１３０を表示部１１３に表示する。
【０４６１】
こうすることで、音楽再生装置３１０は、登録されている音楽データＡｄの数により明るさを変えて表示されるチャンネプレイリストＰＬを見るといった従来にはない新たな楽しみ方をユーザに提供することもできる。また、表示パターンとしては、彩度、明度に限らず、色、濃度、透明度などを選定するようにしてもよい。
【０４６２】
また、この場合、選択画面１２０及び再生画面１３０全体の表示パターンを選定するに限らず、その一部の表示パターンを選定するようにしてもよい。すなわち、例えば、選択画面１２０の曲選択領域１２及び再生画面１３０の選択曲表示領域２２の表示パターンを選定するようにしてもよいし、選択画面１２０に記される文字情報及び再生画面１３０に記される文字情報の表示パターン（フォント、文字サイズ、文字色など）を選定するようにしてもよい。
【０４６３】
さらに、例えば、図４９（Ａ）、（Ｂ）及び（Ｃ）に示すように、選択画面１２０に各チャンネルプレイリストＰＬに固有のキャラクタアイコン３４０を表示して、このキャラクタアイコン３４０の表示パターンを選定するようにしてもよい。この場合、音楽再生装置３１０は、例えば、生物を模したキャラクタアイコン３４０を表示するようにし、チャンネルプレイリストＰＬに登録されている音楽データＡｄの数が増えるにつれて、このキャラクタアイコン３４０があたかも成長するように、そのキャラクタアイコン３４０の表示パターンを変更する。こうすることで、音楽再生装置３１０は、音楽データＡｄの追加によりチャンネプレイリストＰＬを育てるといった従来にはない新たな楽しみ方をユーザに提供することができる。
【０４６４】
さらに、この第３の実施の形態では、チャンネルプレイリストＰＬの登録データ数Ｔｎではなく、チャンネルプレイリストＰＬ内の音楽データ情報Ａｉの数を確認することで、チャンネルプレイリストＰＬに登録されている音楽データＡｄの数を取得するようにした場合について述べたが、本発明はこれに限らず、登録データ数Ｔｎの更新を、ＭｕｓｉｃＳｔａｔｉｏｎファンクション終了時ではなく、チャンネルプレイリストＰＬへの音楽データＡｄ登録時にして、この登録データ数Ｔｎを、チャンネルプレイリストＰＬに登録されている音楽データＡｄの数として取得するようにしてもよい。
【０４６５】
さらに、この第３の実施の形態では、チャンネルプレイリストＰＬに登録されている音楽データＡｄの統計値である、登録されている音楽データＡｄの数に基づいて、チャンネルプレイリストＰＬの特徴を抽出して表示パターンを選定するようにした場合について述べたが、本発明はこれに限らず、チャンネルプレイリストＰＬに最初の音楽データＡｄを登録した日付、最後に音楽データＡｄを登録した日付、チャンネルプレイリストＰＬに登録されている音楽データＡｄの再生頻度、チャンネルプレイリストＰＬに登録されている音楽データＡｄの重要度などのうちの１つに基づいて、チャンネルプレイリストＰＬの特徴を抽出して表示パターンを選定するようにしてもよい。
【０４６６】
具体的に言うと、音楽再生装置３１０は、例えばチャンネルプレイリストＰＬに最初の音楽データＡｄを登録した日付をチャンネルプレイリストＰＬごとにリスト情報Ｌｉに追加で記すようにして、この日付により表示パターンを選定するようにする。こうすることで、音楽再生装置３１０は、例えば、この日付が新しいチャンネルプレイリストＰＬほど目立つ色にするなどして、ユーザに対して、チャンネルプレイリストＰＬの新しさを表示パターンで認識させることができる。
【０４６７】
また、音楽再生装置３１０は、例えばチャンネルプレイリストＰＬに最後に音楽データＡｄを登録した日付をチャンネルプレイリストＰＬごとにリスト情報Ｌｉに追加で記すようにして、この日付により表示パターンを選定するようにする。こうすることで、音楽再生装置３１０は、例えば、この日付が古いチャンネルプレイリストＰＬほど暗い色にするなどして、ユーザに対して、チャンネルプレイリストＰＬの古さを表示パターンで認識させることができる。
【０４６８】
さらに、音楽再生装置３１０は、例えばチャンネルプレイリストＰＬに登録されている音楽データＡｄの再生頻度の統計値（例えば再生回数の合計値または平均値）をチャンネルプレイリストＰＬごとにリスト情報Ｌｉに追加で記すようにして、この再生頻度により表示パターンを選定するようにする。こうすることで、音楽再生装置３１０は、例えば、よく聴くチャンネルプレイリストＰＬほど明度を上げるなどして、ユーザに対して、チャンネルプレイリストＰＬの好みを表示パターンで認識させることができる。ちなみに、この場合、再生回数の統計値をリスト情報Ｌｉに記すようにしたが、音楽データＡｄ毎の再生回数を属性情報Ｔｉから取得して、この統計値をその都度算出するようにしてもよい。
【０４６９】
さらに、音楽再生装置３１０は、例えばチャンネルプレイリストＰＬに登録されている音楽データＡｄの重要度の統計値（例えば重要度を示す値の合計値または平均値）をチャンネルプレイリストＰＬごとにリスト情報Ｌｉに追加で記すようにして、この重要度により表示パターンを選定するようにする。こうすることで、音楽再生装置３１０は、例えば、重要度の高いチャンネルプレイリストＰＬほど目立つ色で表示するなどして、ユーザに対して、チャンネルプレイリストＰＬの重要度を表示パターンで認識させることもできる。ちなみに、この場合、重要度の統計値をリスト情報Ｌｉに記すようにしたが、音楽データＡｄ毎の重要度を属性情報Ｔｉから取得して、この統計値をその都度算出するようにしてもよい。また、この重要度は、あらかじめ音楽データＡｄに設定されていてもよいし、ユーザに設定させるようにしてもよい。
【０４７０】
さらに、これに限らず、チャンネルプレイリストＰＬに登録されている音楽データＡｄの付加情報である属性情報Ｔｉに含まれるジャンルや曲の印象値などに基づいて、チャンネルプレイリストＰＬの特徴を抽出して表示パターンを選定するようにしてもよい。
【０４７１】
具体的に言うと、音楽再生装置３１０は、例えば、明るいジャンル（ポップなど）の音楽データＡｄで構成されるチャンネルプレイリストＰＬほど明るい色で表示する。こうすることで、音楽再生装置３１０は、ユーザに対して、チャンネルプレイリストＰＬに登録されている音楽データＡｄのジャンルを表示パターンで認識させることもできる。
【０４７２】
また、音楽再生装置３１０は、例えば、チャンネルプレイリストＰＬに登録されている音楽データＡｄの曲の印象値の統計値（合計値または平均値）を算出して、この統計値の明るさを示す値が大きいチャンネルプレイリストＰＬほど明るい色で表示する。こうすることで、音楽再生装置３１０は、ユーザに対して、チャンネルプレイリストＰＬに登録されている音楽データＡｄの印象を表示パターンで認識させることもできる。
【０４７３】
さらに、これに限らず、チャンネルプレイリストＰＬの属性情報である、チャンネルプレイリストＰＬの特徴を示すキーワード（例えば、「明るい」）と、実際にそのチャンネルプレイリストＰＬに登録されている音楽データＡｄの特徴（例えば曲の印象値）との適合度合に基づいて表示パターンを選定するようにしてもよい。
【０４７４】
実際上、音楽再生装置３１０は、例えば、キーワードとして「明るい」が記されたチャンネルプレイリスト（明曲リスト）ＰＬに対して、曲の印象値の明るさを示す値が所定値以上である音楽データＡｄを登録するようにした場合について述べたが、これに限らず、例えば、コンテンツ記憶部１１５に記憶されている音楽データＡｄのうち、曲の印象値の明るさを示す値が上位１０傑に入る音楽データＡｄを、この明曲リストＰＬに登録するようにしてもよい。
【０４７５】
このようにすると、コンテンツ記憶部１１５に記憶された音楽データＡｄの数が少ないときなどには、必ずしも明るい曲の音楽データＡｄが明曲リストＰＬに登録されるとは限らなくなる。そこで、例えば、明曲リストＰＬに登録されている音楽データＡｄの曲の印象値の明るさを示す値の平均値を算出して、この平均値が高くなるほど、明曲リストＰＬを明るい色で表示する。こうすることで、音楽再生装置３１０は、ユーザに対して、チャンネルプレイリストＰＬの特徴と、実際にこのチャンネルプレイリストＰＬに登録されている音楽データＡｄの特徴との適合度合を表示パターンで認識させることもできる。
【０４７６】
さらに、この第３の実施の形態では、画面彩度選定処理手順ＲＴ３１において、チャンネルプレイリストＰＬに登録されている音楽データＡｄの数に応じて、第１の彩度、第２の彩度、及び第３の彩度の３つの表示パターンを用いるようにした場合について述べたが、本発明はこれに限らず、2パターンでも、４パターン以上でもよく、例えば、チャンネルプレイリストＰＬに登録されている音楽データＡｄの数と、彩度の数値とを対応させるようにして、登録されている音楽データＡｄの数に応じて彩度をリニアに変化させるようにしてもよい。
【０４７７】
さらに、この第３の実施の形態では、チャンネル追加ダイアログ３２０を、閉じるボタン３２２の押下に応じて、閉じるようにした場合について述べたが、本発明はこれに限らず、例えば、チャンネル追加ダイアログ３２０を表示した後、所定時間経過すると自動的に閉じるようにしてもよい。
【０４７８】
（５）第４の実施の形態
（５−１）第４の実施の形態の概要
次に、第４の実施の形態の概要を説明する。ちなみにこの概要を説明した後、第４の実施の形態の具体例の説明に移る。
【０４７９】
図５０に示すコンテンツ再生装置４００は、複数のコンテンツの再生順序を規定するプレイリストに基づいてコンテンツを再生する装置であり、コンテンツを再生する再生部４０１と、プレイリストに属する複数のコンテンツに基づいて当該プレイリストの特徴を抽出するプレイリスト特徴抽出部４０２と、プレイリスト特徴抽出部４０２により抽出されるプレイリストの特徴に基づいてプレイリストに属するコンテンツの再生に関わるエフェクトを選定するエフェクト選定部４０３と、エフェクト選定部４０３により選定されるエフェクトに基づいてプレイリストに属するコンテンツを再生するように再生部４０１を制御する再生制御部４０４とを有する。
【０４８０】
尚、再生部４０１が上述した基本構成となるコンテンツ再生装置１（図１）の再生部７に対応するものであり、プレイリスト特徴抽出部４０２、エフェクト選定部４０３及び再生制御部４０４が、制御部３に対応するものである。
【０４８１】
このような構成を有することで、この第４の実施の形態による表示制御装置４００は、プレイリストの特徴に合ったエフェクトでプレイリストに属するコンテンツを再生することができるので、コンテンツに関する従来とは異なる新たな楽しみ方を提供することができる。
【０４８２】
（５−２）第４の実施の形態の具体例
つづけて、この第４の実施の形態の具体例を説明する。図５１に示す音楽再生装置４１０は、上述したコンテンツ再生装置４００の具体例であり、図１３との同一部分に同一符号を付して示すように、上述した第１の実施の形態の音楽再生装置１１０と比較して、計時部１１８を有していない点が異なる構成を有している。
【０４８３】
また、この音楽再生装置４１０は、制御部１１２内に、後述する、チャンネルプレイリストＰＬの特徴を抽出する役割を担うプレイリスト特徴抽出部１１２Ｄと、抽出したチャンネルプレイリストＰＬの特徴に基づいてチャンネルプレイリストＰＬに登録されている音楽データＡｄを再生するときのエフェクトを選定する役割を担うエフェクト選定部１１２Ｅと、選定したエフェクトにしたがって音楽データＡｄを再生するように再生部１１６を制御する役割を担う再生制御部１１２Ｆとが設けられている。
【０４８４】
さらに、この音楽再生装置４１０は、第１の実施の形態と同様のリモートコントローラＲＭ１を有している。
【０４８５】
尚、この音楽再生装置４１０のプレイリスト特徴検出部１１２Ｄ、エフェクト選定部１１２Ｅ、再生制御部１１２Ｆが、それぞれ上述したコンテンツ再生装置４００のプレイリスト特徴検出部４０２、エフェクト選定部４０３、表示制御部４０４に対応するものである。
【０４８６】
そして、この音楽再生装置４１０は、上述した第１の実施の形態の音楽再生装置１１０と同様、ダウンロードファンクション、ＣＤ録音ファンクション、通常再生ファンクション、ＣＤ再生ファンクション、ＭｕｓｉｃＳｔａｔｉｏｎファンクションを持ち、リモートコントローラＲＭ１に対する操作に応じて、制御部１１２が、これらのファンクションに応じた処理を実行するようになされている。
【０４８７】
ここで、この音楽再生装置４１０が持つＭｕｓｉｃＳｔａｔｉｏｎファンクションについて説明する。まず、この音楽再生装置４１０が持つＭｕｓｉｃＳｔａｔｉｏｎファンクションでの音楽データＡｄの管理方法について説明する。この管理方法については、上述した第１の実施の形態の音楽再生装置１１０による管理方法と同様であり、その詳細は、上述の第１の実施の形態の説明を参照とする。
【０４８８】
すなわち、この第４の実施の形態による音楽再生装置４１０は、図２に示すように、チャンネルリストＣＬにより複数のチャンネルプレイリストＰＬを管理するようになされ、さらに複数のチャンネルプレイリストＰＬのそれぞれによって音楽データＡｄの再生曲順を管理するようになされている。
【０４８９】
また、このＭｕｓｉｃＳｔａｔｉｏｎファンクションには、上述した第１の実施の形態と同様、新しく追加した曲、再生回数の少ない曲、ノリのよい曲、明るい曲、クラシックの曲、ヘビメタの曲などのように、ユーザが要求すると考えられる分類毎にチャンネルプレイリストＰＬが用意され、音楽再生装置４１０の制御部１１２が、音楽データＡｄの記憶または再生に応じて、コンテンツ記憶部１１５に記憶している音楽データＡｄを、その再生回数、曲の印象値、ジャンルなどを基に、用意されたチャンネルプレイリストＰＬのうちの該当するチャンネルプレイリストＰＬに登録するようにして、チャンネルプレイリストＰＬを自動的に更新するようになされている。
【０４９０】
そして、音楽再生装置４１０は、ＧＵＩ画面上で、新しく追加した曲、再生回数の少ない曲、ノリのよい曲、明るい曲、クラシックの曲、ヘビメタの曲などのように分類されたチャンネルプレイリストＰＬが割り当てられたチャンネルを、リモートコントローラＲＭ１に対するユーザ操作に応じて選択することにより、ラジオのチャンネルを切り換える感覚で、ユーザが所望の曲を容易に見付けだすことができるようになされている。
【０４９１】
さらに、ＭｕｓｉｃＳｔａｔｉｏｎファンクションでのＧＵＩ画面についても、上述した第１の実施の形態の音楽再生装置１１０のＧＵＩ画面と同様の画面構成であり、その詳細は、上述の第１の実施の形態の説明を参照とする。
【０４９２】
すなわち、この第４の実施の形態による音楽再生装置４１０は、図１５に示す選択画面１２０を介してチャンネルの内容及び曲の内容をユーザに視認させつつ、リモートコントローラＲＭ１の上方向ボタンＢ１３及び下方向ボタンＢ１４に対するユーザ操作に従って、チャンネルを切り換えて選択すると共に、リモートコントローラＲＭ１の左方向ボタンＢ１５及び右方向ボタンＢ１６に対するユーザ操作に従って、曲を切り換えて選択するようになされている。
【０４９３】
また、音楽再生装置４１０は、所定条件（決定ボタンＢ１７の押下または操作なく所定時間経過）に基づいて選択画面１２０を再生画面１３０に切り換え、この再生画面１３０を介して、選択されたチャンネル及び曲の内容をユーザに視認させ得るようになされている。
【０４９４】
さらに、このＧＵＩ画面の切り換えに伴う音楽データＡｄの再生制御についても、上述した第１の実施の形態の音楽再生装置１１０による再生制御と同様であり、その詳細は、上述の第１の実施の形態の説明を参照とする。
【０４９５】
すなわち、この第４の実施の形態による音楽再生装置４１０は、選択画面１２０表示時には選択中の音楽データＡｄを特徴位置より再生する部分再生モードに遷移し、再生画面１３０表示時には選択中の音楽データＡｄを通常再生する通常再生モードに遷移するようになされ、どちらのモードに切り換わろうとＭｕｓｉｃＳｔａｔｉｏｎファンクション実行中は常に音楽データＡｄを途切れることなく再生するようになされている。
【０４９６】
かくするにつき、音楽再生装置４１０は、このＭｕｓｉｃＳｔａｔｉｏｎファンクション実行時、第１の実施の形態の音楽再生装置１１０と同様、リモートコントローラＲＭ１の上方向ボタンＢ１３及び下方向ボタンＢ１４の操作に従って、あたかもラジオのプリセット局を切り換える感覚で、チャンネル単位でチャンネルプレイリストＰＬを切り換えることができると共に、左方向ボタンＢ１５及び右方向ボタンＢ１６の操作に従って、チャンネル内で再生する曲を切り換えることができ、これにより、ユーザに対して、ラジオ局より放送される音楽を聴くような感覚で、一段と容易に所望の曲を聴取させることができるようになされている。
【０４９７】
さらに、ＭｕｓｉｃＳｔａｔｉｏｎファンクション起動処理、チャンネル切換処理、曲切換処理の手順についても、上述した第１の実施の形態の音楽再生装置１１０により実行される処理の手順と同様であり、その詳細は、上述の第１の実施の形態の説明を参照とする。
【０４９８】
さらに、ＭｕｓｉｃＳｔａｔｉｏｎファンクションでのチャンネルの表示設定方法についても、上述した第１の実施の形態の音楽再生装置１１０による表示設定方法と同様であり、その詳細は、上述の第１の実施の形態の説明を参照とする。
【０４９９】
すなわち、この第４の実施の形態による音楽再生装置４１０は、図２２に示すチャンネル表示設定画面１４０を介してチャンネル毎にチャンネル表示設定を「表示」または「非表示」に変更し得るようになされている。
【０５００】
ここまで説明したように、この第４の実施の形態の音楽再生装置４１０も、上述した第１の実施の形態と同様、リモートコントローラＲＭ１の操作に対応するＭｕｓｉｃＳｔａｔｉｏｎファンクションを持ち、ＭｕｓｉｃＳｔａｔｉｏｎファンクションの起動、チャンネル切換、曲切換、チャンネルの表示設定などを、リモートコントローラＲＭ１の操作により容易に行うことができるようになされている。
【０５０１】
ところで、この第４の実施の形態によるＭｕｓｉｃＳｔａｔｉｏｎファンクションでは、チャンネルプレイリストＰＬの特徴（例えば登録されている音楽データＡｄの数）に応じて、そのチャンネルプレイリストＰＬが割り当てられたチャンネルを選択したときの再生部１１６でのイコライジング設定を変更するようにもなされている。
【０５０２】
具体的に言うと、音楽再生装置４１０は、制御部１１２のプレイリスト特徴抽出部１１２Ｄにより取得されるチャンネルプレイリストＰＬに登録されている音楽データ数Ａｄの数に応じて、そのチャンネルプレイリストＰＬが割り当てられたチャンネルを選択したとき（つまりそのチャンネルプレイリストＰＬに登録されている音楽データＡｄを再生するとき）の再生部１１６でのイコライジング設定をエフェクト選定部１１２Ｅが変更するようになされている。
【０５０３】
この場合、エフェクト選定部１１２Ｅは、例えば、プレイリスト特徴抽出部１１２Ｄにより取得されるチャンネルプレイリストＰＬに登録されている音楽データ数Ａｄの数が５個以下である場合には、そのチャンネルプレイリストＰＬに登録されている音楽データＡｄを再生するときのイコライジング設定として、図５２（Ａ）に示すように、各周波数帯域（例えば、３１Ｈｚ、６２Ｈｚ、１２５Ｈｚ、２５０Ｈｚ、３００Ｈｚ、１ＫＨｚ、２ＫＨｚ、４ＫＨｚ、８ＫＨｚ、１６ＫＨｚ）での信号レベルを基準レベル（０ｄＢ）とした第１のイコライジング設定を選択し、６個以上１０個以下である場合には、図５２（Ｂ）に示すように、第１のイコライジング設定よりも低域及び高域の信号レベルを上げた第２のイコライジング設定を選択し、１１個以上である場合には、図５２（Ｃ）に示すように、第２のイコライジング設定よりもさらに低域及び高域の信号レベルを上げた第３のイコライジング設定を選択するようになされている。
【０５０４】
すなわちエフェクト選定部１１２Ｅは、チャンネルプレイリストＰＬに登録されている音楽データ数Ａｄの数が多いほど、そのチャンネルプレイリストＰＬに登録されている音楽データＡｄを再生するときのイコライジング効果が強まるように、イコライジング設定を変えるようになされている。
【０５０５】
そして、制御部１１２の再生制御部１１２Ｆが、このエフェクト選定部１１２Ｅにより自動的に選定されたイコライジング設定で再生部１１６に音楽データＡｄを再生させるようになされている。
【０５０６】
こうすることで、音楽再生装置４１０は、音楽データＡｄを追加して新たな曲を聴くという楽しみ方にくわえて、音楽データＡｄを追加して異なるイコライジング設定で再生される曲を聴くという新たな楽しみ方をユーザに提供することができ、またこの結果、ユーザに対して、より一層音楽データＡｄの追加を促すこともできる。
【０５０７】
つづけて、このようなイコライジング設定を変える処理（以下、これをイコライジング設定変更処理とも呼ぶ）の手順について説明する。音楽再生装置４１０の制御部１１２は、ＭｕｓｉｃＳｔａｔｉｏｎファンクション起動時にチャンネルの選択を介して一のチャンネルプレイリストＰＬを選択すると、または、ＭｕｓｉｃＳｔａｔｉｏｎファンクション起動中にチャンネル切換操作に応じたチャンネルの選択を介して一のチャンネルプレイリストＰＬを選択すると、図５３に示すように、イコライジング設定変更処理手順ＲＴ４０を開始して、ステップＳＰ４００に移る。
【０５０８】
ステップＳＰ４００において制御部１１２は、プレイリスト特徴抽出部１１２Ｄによって、選択中のチャンネルプレイリストＰＬに現在登録されている音楽データＡｄの数を取得して、次のステップＳＰ４０１に移る。ここで、プレイリスト特徴抽出部１１２Ｄは、チャンネルプレイリストＰＬ内の音楽データ情報Ａｉの数を取得することで、現在登録されている音楽データＡｄの数を取得するようになされている。
【０５０９】
ステップＳＰ４０１において制御部１１２は、取得した音楽データＡｄの数が第１の閾値（例えば「５」）以下であるかどうかを判定する。このステップＳＰ４０１で肯定結果を得ると、このことは、選択中のチャンネルプレイリストＰＬに登録されている音楽データＡｄの数が５個以下であることを意味し、このとき制御部１１２は、ステップＳＰ４０２に移る。
【０５１０】
ステップＳＰ４０２において制御部１１２は、エフェクト選定部１１２Ｅにより、再生部１１６でのイコライジング設定として、図５２（Ａ）に示したような、イコライジング効果の最も低い第１のイコライジング設定を選択して、このイコライジング設定変更処理手順ＲＴ４０を終了する。
【０５１１】
これに対して、上述のステップＳＰ４０１で否定結果を得ると、このことは、選択中のチャンネルプレイリストＰＬに登録されている音楽データＡｄの数が６個以上であることを意味し、このとき制御部１１２は、ステップＳＰ４０３に移る。
【０５１２】
ステップＳＰ４０３において制御部１１２は、取得した音楽データＡｄの数が第２の閾値（例えば「１０」）以下であるかどうかを判定する。このステップＳＰ４０３で肯定結果を得ると、このことは、選択中のチャンネルプレイリストＰＬに登録されている音楽データＡｄの数が６個以上１０個以下であることを意味し、このとき制御部１１２は、ステップＳＰ４０４に移る。
【０５１３】
ステップＳＰ４０４において制御部１１２は、エフェクト選定部１１２Ｅにより、再生部１１６でのイコライジング設定として、図５２（Ｂ）に示したような、第１のイコライジング設定よりもイコライジング効果の高い第２のイコライジング設定を選択して、このイコライジング設定変更処理手順ＲＴ４０を終了する。
【０５１４】
これに対して、上述のステップＳＰ４０３で否定結果を得ると、このことは、選択中のチャンネルプレイリストＰＬに登録されている音楽データＡｄの数が１１個以上であることを意味し、このとき制御部１１２は、ステップＳＰ４０５に移る。
【０５１５】
ステップＳＰ４０５において制御部１１２は、エフェクト選定部１１２Ｅにより、再生部１１６でのイコライジング設定を、図５２（Ｃ）に示したような、第２のイコライジング設定よりもイコライジング効果の高い第３のイコライジング設定を選択して、このイコライジング設定変更処理手順ＲＴ４０を終了する。
【０５１６】
このようなイコライジング設定変更処理手順ＲＴ４０によって、音楽再生装置４１０の制御部１１２は、選択中のチャンネルプレイリストＰＬに登録されている音楽データＡｄを再生部１１６に再生させるときのイコライジング設定を変更するようになされている。
【０５１７】
ちなみに、ここでは説明の便宜上、このイコライジング設定変更処理手順ＲＴ４０を、上述した第１の実施の形態のＭｕｓｉｃＳｔａｔｉｏｎファンクション起動処理手順ＲＴ１０及びチャンネル切換処理手順ＲＴ１１と分けて説明したが、実際には、ＭｕｓｉｃＳｔａｔｉｏｎファンクション起動処理手順ＲＴ１０及びチャンネル切換処理手順ＲＴ１１内で実行される処理である。つまり、このイコライジング設定変更処理手順ＲＴ４０は、例えば、ＭｕｓｉｃＳｔａｔｉｏｎファンクション起動処理手順ＲＴ１０のステップＳＰ１０８、及びチャンネル切換処理手順ＲＴ１１のステップＳＰ１１８で実行される処理である。
【０５１８】
よって、ＭｕｓｉｃＳｔａｔｉｏｎファンクション起動処理手順ＲＴ１０のステップＳＰ１０８、及びチャンネル切換処理手順ＲＴ１１のステップＳＰ１１８で再生される音楽データＡｄが、再生制御部１１２Ｆによって、エフェクト選定部１１２Ｅにより変更されたイコライジング設定で再生される。
【０５１９】
（５−３）第４の実施の形態による動作及び効果
以上の構成において、音楽再生装置４１０は、コンテンツ記憶部１１５に記憶する複数の音楽データＡｄを、リスト記憶部１１７に記憶している、音楽データＡｄのコンテンツ識別情報である音楽データ情報Ａｉをリスト化した複数のチャンネルプレイリストＰＬにより管理する。
【０５２０】
そして、音楽再生装置４１０の制御部１１２は、リモートコントローラＲＭ１のユーザ操作にしたがって、複数のチャンネルプレイリストＰＬのうちの１つを選択すると、この選択したチャンネルプレイリストＰＬに登録されている音楽データＡｄの再生を再生部１１６で開始する。
【０５２１】
ここで、音楽再生装置４１０の制御部１１２は、プレイリスト特徴抽出部１１２Ｄによって、各チャンネルプレイリストＰＬの特徴（登録されている音楽データＡｄの数）を抽出し、この抽出した特徴に応じて、エフェクト選定部１１２Ｅにより再生部１１６でのエフェクト（イコライジング設定を変えるエフェクト）を選定する。
【０５２２】
具体的に言うと、エフェクト選定部１１２Ｅは、チャンネルプレイリストＰＬに登録されている音楽データＡｄの数が第１の閾値（例えば５個）以下であれば、このチャンネルプレイリストＰＬに登録されている音楽データＡｄを再生するときのイコライジング設定として第１のイコライジング設定を選択し、この数が第１の閾値より大きく第２の閾値（例えば１０個）以下であれば、第２のイコライジング設定を選択し、この数が第２の閾値より大きければ、第３のイコライジング設定を選択する。
【０５２３】
すなわち、音楽再生装置４１０は、チャンネルプレイリストＰＬに登録されている音楽データＡｄの数に応じて異なるイコライジング設定で音楽データＡｄを再生するようにしたことにより、登録されている音楽データＡｄの数によりイコライジング設定を変えて再生される曲を聴くといった従来にはない新たな楽しみ方をユーザに提供することができる。
【０５２４】
また、このように、各チャンネルプレイリストＰＬに登録されている音楽データＡｄの数に応じて、各チャンネルプレイリストＰＬに登録されている音楽データＡｄの再生するときのエフェクトを選定するようにしたことにより、音楽再生装置３１０は、音楽データＡｄを追加することで新たな楽しみ方が提供される旨をユーザに認識させることができ、結果として、音楽データＡｄの追加をより一層ユーザに促すこともできる。
【０５２５】
以上の構成によれば、音楽再生装置４１０は、チャンネルプレイリストＰＬの特徴に合ったエフェクトでチャンネルプレイリストＰＬに属する音楽データＡｄを再生することができるので、音楽データＡｄに関する従来とは異なる新たな楽しみ方をユーザに提供することができる。
【０５２６】
（５−４）第４の実施の形態に対する他の実施の形態
尚、この第４の実施の形態では、チャンネルプレイリストＰＬの特徴に応じて選定するエフェクトとしてイコライジング設定を変えるようにした場合について述べたが、本発明はこれに限らず、チャンネルプレイリストＰＬ内の曲順設定Ｌｓを変えるようにしてもよい。
【０５２７】
ここで、このような曲順設定Ｌｓを変える処理（以下、これを曲順変更処理とも呼ぶ）の手順について説明する。音楽再生装置４１０の制御部１１２は、ＭｕｓｉｃＳｔａｔｉｏｎファンクション起動時にチャンネルの選択を介して一のチャンネルプレイリストＰＬを選択すると、または、ＭｕｓｉｃＳｔａｔｉｏｎファンクション起動中にチャンネル切換操作に応じたチャンネルの選択を介して一のチャンネルプレイリストＰＬを選択すると、図５４に示すように、曲順変更処理手順ＲＴ４１を開始して、ステップＳＰ４１０に移る。
【０５２８】
ステップＳＰ４１０において制御部１１２は、プレイリスト特徴抽出部１１２Ｄによって、選択中のチャンネルプレイリストＰＬに現在登録されている音楽データＡｄの数を取得して、次のステップＳＰ４１１に移る。ここで、プレイリスト特徴抽出部１１２Ｄは、チャンネルプレイリストＰＬ内の音楽データ情報Ａｉの数を取得することで、現在登録されている音楽データＡｄの数を取得するようになされている。
【０５２９】
ステップＳＰ４１１において制御部１１２は、取得した音楽データＡｄの数が第１の閾値（例えば「５」）以下であるかどうかを判定する。このステップＳＰ４１１で肯定結果を得ると、このとき制御部１１２は、ステップＳＰ４１２に移る。
【０５３０】
ステップＳＰ４１２において制御部１１２は、エフェクト選定部１１２Ｅにより、選択中のチャンネルプレイリストＰＬ内の曲順設定Ｌｓとして、例えばランダム順の第１の曲順設定Ｌｓを選択して、次のステップＳＰ４１６に移る。
【０５３１】
これに対して、上述のステップＳＰ４１１で否定結果を得ると、このとき制御部１１２は、ステップＳＰ４１３に移る。ステップＳＰ４１３において制御部１１２は、取得した音楽データＡｄの数が第２の閾値（例えば「１０」）以下であるかどうかを判定する。このステップＳＰ４１３で肯定結果を得ると、このとき制御部１１２は、ステップＳＰ４１４に移る。ステップＳＰ４１４において制御部１１２は、エフェクト選定部１１２Ｅにより、選択中のチャンネルプレイリストＰＬ内の曲順設定Ｌｓとして、例えば曲の印象値の明るさを示す値が小さい順の第２の曲順設定Ｌｓを選択して、次のステップＳＰ４１６に移る。
【０５３２】
これに対して、上述のステップＳＰ４１３で否定結果を得ると、このとき制御部１１２は、ステップＳＰ４１５に移る。ステップＳＰ４１５において制御部１１２は、エフェクト選定部１１２Ｅにより、選択中のチャンネルプレイリストＰＬ内の曲順設定Ｌｓとして、例えば曲の印象値のテンポを示す値が小さい順の第３の曲順設定Ｌｓを選択して、次のステップＳＰ４１６に移る。
【０５３３】
ステップＳＰ４１６において制御部１１２は、エフェクト選定部１１２Ｅが選択した曲順設定Ｌｓを、選択中のチャンネルプレイリストＰＬの曲順設定Ｌｓに反映して、この曲順選定処理手順ＲＴ４１を終了する。
【０５３４】
そして、この結果、制御部１１２の再生制御部１１２Ｆが、選択中のチャンネルプレイリストＰＬの曲順設定Ｌｓにしたがって、音楽データＡｄを再生する。
【０５３５】
こうすることで、音楽再生装置４１０は、登録されている音楽データＡｄの数により曲順を変えて再生される曲を聴くといった従来にはない新たな楽しみ方をユーザに提供することもできる。また、この結果、音楽再生装置４１０は、同じチャンネルプレイリストＰＬを選択した場合であっても、常に新鮮な感覚で音楽データＡｄに基づく曲をユーザに聴取させることができる。
【０５３６】
また、これに限らず、エフェクトとして、音楽データＡｄの再生開始位置を変える（つまり再生パターンを変える）ようにしてもよい。ここで、このような音楽データＡｄの再生開始位置を変える処理（以下、これを再生開始位置変更処理とも呼ぶ）の手順について説明する。ちなみに、この場合、音楽データＡｄが、図５５（Ａ）に示すように、例えば、前奏、Ａメロ、Ａメロ、Ｂメロ、サビ、間奏、…のように構成されているものとする。
【０５３７】
音楽再生装置４１０の制御部１１２は、ＭｕｓｉｃＳｔａｔｉｏｎファンクション起動時にチャンネルの選択を介して一のチャンネルプレイリストＰＬを選択すると、または、ＭｕｓｉｃＳｔａｔｉｏｎファンクション起動中にチャンネル切換操作に応じたチャンネルの選択を介して一のチャンネルプレイリストＰＬを選択すると、図５５（Ｂ）に示すように、再生開始位置変更処理手順ＲＴ４２を開始して、ステップＳＰ４２０に移る。
【０５３８】
ステップＳＰ４２０において制御部１１２は、プレイリスト特徴抽出部１１２Ｄによって、選択中のチャンネルプレイリストＰＬに現在登録されている音楽データＡｄの数を取得して、次のステップＳＰ４２１に移る。ここで、プレイリスト特徴抽出部１１２Ｄは、チャンネルプレイリストＰＬ内の音楽データ情報Ａｉの数を取得することで、現在登録されている音楽データＡｄの数を取得するようになされている。
【０５３９】
ステップＳＰ４２１において制御部１１２は、取得した音楽データＡｄの数が第１の閾値（例えば「５」）以下であるかどうかを判定する。このステップＳＰ４２１で肯定結果を得ると、このとき制御部１１２は、ステップＳＰ４２２に移る。
【０５４０】
ステップＳＰ４２２において制御部１１２は、エフェクト選定部１１２Ｅにより、選択中のチャンネルプレイリストＰＬに登録されている音楽データＡｄの再生開始位置として、例えば前奏の開始位置（つまり曲の先頭）ｔ１を選択して、この再生開始位置変更処理手順ＲＴ４２を終了する。
【０５４１】
これに対して、上述のステップＳＰ４２１で否定結果を得ると、このとき制御部１１２は、ステップＳＰ４２３に移る。ステップＳＰ４２３において制御部１１２は、取得した音楽データＡｄの数が第２の閾値（例えば「１０」）以下であるかどうかを判定する。このステップＳＰ４２３で肯定結果を得ると、このとき制御部１１２は、ステップＳＰ４２４に移る。ステップＳＰ４２４において制御部１１２は、エフェクト選定部１１２Ｅにより、選択中のチャンネルプレイリストＰＬに登録されている音楽データＡｄの再生開始位置として、例えばＢメロの開始位置ｔ２を選択して、この再生開始位置変更処理手順ＲＴ４２を終了する。
【０５４２】
これに対して、上述のステップＳＰ４２３で否定結果を得ると、このとき制御部１１２は、ステップＳＰ４２５に移る。ステップＳＰ４２５において制御部１１２は、エフェクト選定部１１２Ｅにより、選択中のチャンネルプレイリストＰＬに登録されている音楽データＡｄの再生開始位置として、例えばサビの開始位置ｔ３を選択した、この再生開始位置変更処理手順ＲＴ４２を終了する。
【０５４３】
そして、この結果、制御部１１２の再生制御部１１２Ｆが、エフェクト選定部１１２Ｅにより選択された再生開始位置より音楽データＡｄを再生する。
【０５４４】
こうすることで、音楽再生装置４１０は、登録されている音楽データＡｄの数により再生開始位置を変えて再生される曲を聴くといった従来にはない新たな楽しみ方をユーザに提供することもできる。また、登録されている音楽データＡｄの数が増えるにつれて、再生開始位置を、前奏の開始位置ｔ１から、Ｂメロの開始位置ｔ２、サビの開始位置ｔ３へと、ユーザが曲をより認識し易い位置に変更するようにしたことにより、音楽データＡｄを追加すれば曲が検索し易くなる旨をユーザに認識させることができ、結果として、ユーザに対し、音楽データの追加を促すことができる。
【０５４５】
ちなみに、再生開始位置として利用する、前奏の開始位置ｔ１、Ｂメロの開始位置ｔ２、サビの開始位置ｔ３は、例えば、音楽データＡｄの音楽データ管理情報Ａｍに含まれる特徴位置情報Ｃｔ１、Ｃｔ２、Ｃｔ３（図２）としてコンテンツ記憶部１１５に記憶されているとする。また、再生開始位置としては、前奏の開始位置ｔ１、Ｂメロの開始位置ｔ２、サビの開始位置ｔ３に限らず、Ａメロの開始位置、間奏の開始位置などを利用してもよい。
【０５４６】
また、音楽データＡｄの再生パターンとして、再生開始位置を変えるだけでなく、例えば、音楽データＡｄの再生パターンとして、サビ再生、イントロ再生、通常再生、伴奏再生を用意して、このうちの１つをランダムに選択するなどして、再生パターン変えるようにしてもよい。
【０５４７】
また、エフェクトとしては、上述したイコライジング設定の変更、曲順設定の変更、再生パターンの変更に限らず、音量の変更、音質（ビットレート、圧縮率など）の変更、ノイズの付加量の変更、テンポの変更などを選定するようにしてもよい。
【０５４８】
具体的に言うと、例えば、ビットレートを変更する場合、エフェクト選定部１１２Ｅは、チャンネルプレイリストＰＬに登録されている音楽データ数Ａｄの数が多いほど、そのチャンネルプレイリストＰＬに登録されている音楽データＡｄを再生するときの音質を、例えば、ＦＭラジオ音質から、カセットテープ音質へ、そしてＭＤ音質、ＣＤ音質へと上げるように、ビットレートを変更する。こうすることで、音楽再生装置４１０は、音楽データＡｄを追加して異なるビットレートで再生される曲を聴くという新たな楽しみ方をユーザに提供することができる。また、この場合、チャンネルプレイリストＰＬに登録されている音楽データ数Ａｄの数が多いほど、そのチャンネルプレイリストＰＬに登録されている音楽データＡｄを再生するときの音質を上げるので、ユーザに対して、音楽データＡｄの追加を促すことができると共に、音楽データＡｄを追加してチャンネルプレイリストＰＬを育てるような楽しみ方を提供することもできる。
【０５４９】
またノイズの付加量を変更する場合も同様に、エフェクト選定部１１２Ｅは、チャンネルプレイリストＰＬに登録されている音楽データ数Ａｄの数が多いほど、そのチャンネルプレイリストＰＬに登録されている音楽データＡｄを再生するときのノイズが少なくなるように（つまり音質を上げるように）、ノイズ付加量を変更すればよい。
【０５５０】
さらに、この第４の実施の形態では、チャンネルプレイリストＰＬの登録データ数Ｔｎではなく、チャンネルプレイリストＰＬ内の音楽データ情報Ａｉの数を確認することで、チャンネルプレイリストＰＬに登録されている音楽データＡｄの数を取得するようにした場合について述べたが、本発明はこれに限らず、登録データ数Ｔｎの更新を、ＭｕｓｉｃＳｔａｔｉｏｎファンクション終了時ではなく、チャンネルプレイリストＰＬへの音楽データＡｄ登録時にして、この登録データ数Ｔｎを、チャンネルプレイリストＰＬに登録されている音楽データＡｄの数として取得するようにしてもよい。
【０５５１】
さらに、この第４の実施の形態では、チャンネルプレイリストＰＬに登録されている音楽データＡｄの統計値である、登録されている音楽データＡｄの数に基づいて、チャンネルプレイリストＰＬの特徴を抽出してエフェクトを選定するようにした場合について述べたが、本発明はこれに限らず、チャンネルプレイリストＰＬに最初の音楽データＡｄを登録した日付、最後に音楽データＡｄを登録した日付、チャンネルプレイリストＰＬに登録されている音楽データＡｄの再生頻度、チャンネルプレイリストＰＬに登録されている音楽データＡｄの重要度などのうちの１つに基づいて、チャンネルプレイリストＰＬの特徴を抽出してエフェクトを選定するようにしてもよい。
【０５５２】
具体的に言うと、音楽再生装置４１０は、例えばチャンネルプレイリストＰＬに最初の音楽データＡｄを登録した日付をチャンネルプレイリストＰＬ毎にリスト情報Ｌｉに追加で記すようにして、この日付によりエフェクトを選定するようにする。こうすることで、音楽再生装置４１０は、例えば、この日付が新しいチャンネルプレイリストＰＬほど音質を上げるなどして、ユーザに対して、チャンネルプレイリストＰＬの新しさをエフェクトで認識させることができる。
【０５５３】
また、音楽再生装置４１０は、例えばチャンネルプレイリストＰＬに最後に音楽データＡｄを登録した日付をチャンネルプレイリストＰＬごとにリスト情報Ｌｉに追加で記すようにして、この日付によりエフェクトを選定するようにする。こうすることで、音楽再生装置４１０は、例えば、この日付が古いチャンネルプレイリストＰＬほどノイズの付加量を多くするなどして、ユーザに対して、チャンネルプレイリストＰＬの古さをエフェクトで認識させることができる。
【０５５４】
さらに、音楽再生装置４１０は、例えばチャンネルプレイリストＰＬに登録されている音楽データＡｄの再生頻度の統計値（例えば再生回数の合計値または平均値）をチャンネルプレイリストＰＬごとにリスト情報Ｌｉに追加で記すようにして、この再生頻度によりエフェクトを選定するようにする。こうすることで、音楽再生装置４１０は、例えば、よく聴くチャンネルプレイリストＰＬほどイコライジング効果を強めるなどして、ユーザに対して、チャンネルプレイリストＰＬの好みをエフェクトで認識させることができる。ちなみに、この場合、再生回数の統計値をリスト情報Ｌｉに記すようにしたが、音楽データＡｄ毎の再生回数を属性情報Ｔｉから取得して、この統計値を算出するようにしてもよい。
【０５５５】
さらに、音楽再生装置４１０は、例えばチャンネルプレイリストＰＬに登録されている音楽データＡｄの重要度の統計値（例えば重要度を示す値の合計値または平均値）をチャンネルプレイリストＰＬごとにリスト情報Ｌｉに追加で記すようにして、この重要度によりエフェクトを選定するようにする。こうすることで、音楽再生装置４１０は、例えば、重要度の高いチャンネルプレイリストＰＬほど音量を上げるなどして、ユーザに対して、チャンネルプレイリストＰＬの重要度をエフェクトで認識させることもできる。ちなみに、この場合、重要度の統計値をリスト情報Ｌｉに記すようにしたが、音楽データＡｄ毎の重要度を属性情報Ｔｉから取得して、この統計値を算出するようにしてもよい。また、この重要度は、あらかじめ音楽データＡｄに設定されていてもよいし、ユーザに設定させるようにしてもよい。
【０５５６】
さらに、これに限らず、チャンネルプレイリストＰＬに登録されている音楽データＡｄの付加情報である属性情報Ｔｉに含まれるジャンルや曲の印象値などに基づいて、チャンネルプレイリストＰＬの特徴を抽出してエフェクトを選定するようにしてもよい。
【０５５７】
具体的に言うと、音楽再生装置４１０は、例えば、ジャンルがロックである音楽データＡｄで構成されるチャンネルプレイリストＰＬの音楽データＡｄを再生するときには、ロックに適したイコライジング設定を選定する。こうすることで、音楽再生装置４１０は、ユーザに対して、チャンネルプレイリストＰＬに登録されている音楽データＡｄのジャンルに合ったエフェクトで曲を聴取させることができる。
【０５５８】
また、音楽再生装置４１０は、例えば、チャンネルプレイリストＰＬに登録されている音楽データＡｄの曲の印象値の統計値（合計値または平均値）を算出して、この統計値に適したイコライジング設定を選定する。こうすることで、音楽再生装置４１０は、ユーザに対して、チャンネルプレイリストＰＬに登録されている音楽データＡｄの印象をエフェクトで認識させることもできる。
【０５５９】
さらに、これに限らず、チャンネルプレイリストＰＬの属性情報である、チャンネルプレイリストＰＬの特徴を示すキーワード（例えば、「明るい」）と、実際にそのチャンネルプレイリストＰＬに登録されている音楽データＡｄの特徴（例えば曲の印象値）との適合度合に基づいてエフェクトを選定するようにしてもよい。
【０５６０】
実際上、音楽再生装置４１０は、例えば、キーワードとして「明るい」が記されたチャンネルプレイリスト（明曲リスト）ＰＬに対して、曲の印象値の明るさを示す値が所定値以上である音楽データＡｄを登録するようにした場合について述べたが、これに限らず、例えば、コンテンツ記憶部１１５に記憶されている音楽データＡｄのうち、曲の印象値の明るさを示す値が上位１０傑に入る音楽データＡｄを、この明曲リストＰＬに登録するようにしてもよい。
【０５６１】
このようにすると、コンテンツ記憶部１１５に記憶された音楽データＡｄの数が少ないときなどには、必ずしも明るい曲の音楽データＡｄが明曲リストＰＬに登録されるとは限らなくなる。そこで、例えば、明曲リストＰＬに登録されている音楽データＡｄの曲の印象値の明るさを示す値の平均値を算出して、この平均値が高くなるほど、明曲リストＰＬの音楽データＡｄを再生するときの音質を上げる。こうすることで、音楽再生装置４１０は、ユーザに対して、チャンネルプレイリストＰＬの特徴と、実際にこのチャンネルプレイリストＰＬに登録されている音楽データＡｄの特徴との適合度合をエフェクトで認識させることもできる。
【０５６２】
さらに、この第４の実施の形態では、イコライジング設定選定処理手順ＲＴ４０において、チャンネルプレイリストＰＬに登録されている音楽データＡｄの数に応じて、第１のイコライジング設定、第２のイコライジング設定、及び第３のイコライジング設定の３つのパターンを用いるようにした場合について述べたが、本発明はこれに限らず、2パターンでも、４パターン以上でもよい。
【０５６３】
（６）第５の実施の形態
次に、第５の実施の形態を説明する。図５６に示すコンテンツ再生装置５００は、上述した基本構成である機能ブロック構成のコンテンツ再生装置１をハードウェア構成により実現した例であり、コンテンツ再生装置５００の筐体表面やリモートコントローラ（図示せず）に設けられた各種操作ボタンでなる操作入力部５０１がユーザによって操作されると、操作入力部５０１でこれを認識し、その操作に応じた操作入力信号を入力処理部５０２に送出する。入力処理部５０２は、供給される操作入力信号に対して所定の処理を施すことにより、操作入力信号を操作コマンドに変換し、これをバス５０３を介して中央処理ユニット（CPU:Central Processing Unit ）５０４に送出する。
【０５６４】
中央処理ユニット５０４は、ＲＯＭ（Read Only Memory）５０５又はハードディスクドライブ５０６にあらかじめ記憶されている基本プログラムやアプリケーションプログラムなどの各種プログラムをバス５０３を介してＲＡＭ（Random Access Memory）５０７に読み出す。そして中央処理ユニット５０４は、ＲＡＭ５０７上で展開したこれら各種プログラムに従って全体を制御すると共に、所定の演算処理や、入力処理部５０２から与えられる操作コマンドに応じた各種処理を実行する。
【０５６５】
例えば、中央処理ユニット５０４は、通信処理部５０８及びネットワークインタフェース５０９を順次介して、ネットワークＮＴ上の図示しない音楽提供サーバにアクセスする。
【０５６６】
そして、中央処理ユニット５０４は、ユーザにより操作入力部５０１を介して、所望の音楽データをダウンロード要求するための操作入力信号が入力されると、これに応じて音楽提供サーバに所望の音楽データをダウンロード要求する。この結果として、中央処理ユニット５０４は、音楽提供サーバから提供される所望の音楽データをネットワークインタフェース５０９及び通信処理部５０８を順次介してダウンロードする。そして中央処理ユニット５０４は、このダウンロードした音楽データをハードディスクドライブ５０６に記憶する。
【０５６７】
また、中央処理ユニット５０４は、ユーザにより操作入力部５０１を介して、ＣＤなどの記録媒体に記録された音楽データを録音するための操作入力信号が入力されると、メディアドライブ５１０により記録媒体から音楽データを読み出すと共に、読み出した音楽データをデータ処理回路５１１に送出する。データ処理回路５１１は、メディアドライブ５１０から与えられた音楽データを圧縮符号化してハードディスクドライブ５０６に記憶する。
【０５６８】
さらに、中央処理ユニット５０４は、ユーザにより操作入力部５０１を介してハードディスクドライブ５０６内の音楽データが指定され、再生要求する操作入力信号が入力されると、これに応じてハードディスクドライブ５０６から、指定された音楽データを読み出してデータ処理回路５１１に送出する。データ処理回路５１１は、音楽データを復号した後、イコライジング処理、デジタルアナログ変換処理、増幅処理などの音声処理を施して、この結果得られた音楽信号をスピーカ５１２に送出する。この結果、スピーカ５１２から音楽信号に基づく音楽（つまり曲）が出力される。
【０５６９】
また、ハードディスクドライブ５０６には、複数のプレイリストが記憶され、中央処理ユニット５０４は、ユーザにより操作入力部５０１を介して、プレイリストが指定され、このプレイリストにしたがって音楽データを再生するように要求する操作入力信号が入力されると、これに応じてハードディスクドライブ５０６から指定されたプレイリストを読み出す。
【０５７０】
そして、中央処理ユニット５０４は、このプレイリストに登録されている音楽データをプレイリストに示される順番でハードディスクドライブ５０６から読み出してデータ処理回路５１１に送出する。データ処理回路５１１は、音楽データを復号した後、イコライジング処理、デジタルアナログ変換処理、増幅処理などの音声処理を施して、この結果得られた音楽信号をスピーカ５１２に送出する。この結果、スピーカ５１２から音楽信号に基づく音楽（曲）がプレイリストの順番で出力される。
【０５７１】
さらに、中央処理ユニット５０４は、各種プログラムの実行結果（例えば、音楽データのダウンロード、録音、再生）に応じた表示用データを生成して、これを表示処理部５１３に送出する。表示処理部５１３は、表示用データに基づく画面をディスプレイ５１４に表示する。
【０５７２】
ところで、コンテンツ再生装置５００は、中央処理ユニット５０４がＲＯＭ５０５またはハードディスクドライブ５０６にあらかじめ記憶された各種プログラムにしたがって各種処理を実行するようになされている。つまり、このコンテンツ再生装置５００では、上述した機能ブロック構成のコンテンツ再生装置１（図１）の各種機能（つまり実行する処理）に応じて、ＲＯＭ５０５またはハードディスクドライブ５０６に記憶させる各種プログラムを適宜選定することで、操作入力部５０１及び入力処理部５０２をコンテンツ再生装置１の操作部２と同様に機能させることができ、また、ディスプレイ５１４を表示部４と同様に機能させることができる。
【０５７３】
さらに、コンテンツ再生装置５００は、中央処理ユニット５０４及び表示処理部５１３をコンテンツ再生装置１の制御部３と同様に機能させることができ、さらに、通信処理部５０８及びネットワークインタフェース５０９を通信部５と同様に機能させることができ、さらに、ハードディスクドライブ５０６を記憶部６と同様に機能させることができ、メディアドライブ５１０、データ処理回路５１１及びスピーカ５１２を、再生部７と同様に機能させることができる。
【０５７４】
また、コンテンツ再生装置５００は、コンテンツ再生装置１を基本構成とするコンテンツ再生装置１００、２００、４００、及び表示制御装置３００の各機能ブロックについても、同様にして、自身のハードウェア構成により機能させることができる。ちなみに、コンテンツ再生装置１の基本構成にはないコンテンツ再生装置２００の一時記憶部２０５については、コンテンツ再生装置５００のＲＡＭ５０７を同様に機能させればよい。
【０５７５】
よってコンテンツ再生装置５００は、コンテンツ再生装置１、１００、２００、４００、及び表示制御装置３００の各種機能（つまりこれらコンテンツ再生装置１、１００、２００、４００、及び表示制御装置３００が実行する処理）を、自身のハードウェア構成で実現することができ、かくして、上述した第１乃至第４の実施の形態と同様の効果を得ることができる。
【０５７６】
尚、この第５の実施の形態では、中央処理ユニット５０４がＲＯＭ５０５またはハードディスクドライブ５０６にあらかじめ記憶された各種プログラムにしたがって、コンテンツ再生装置１、及びこのコンテンツ再生装置１を基本構成とするコンテンツ再生装置１００、２００、４００、及び表示制御装置３００の各種機能を実現する場合について述べたが、本発明はこれに限らず、各種プログラムを、ＣＤやＤＶＤ（Digital Versatile Disc）などの記録媒体に記録しておき、中央処理ユニット５０４がこの記録媒体から読み出した各種プログラムにしたがって、コンテンツ再生装置１、及びこのコンテンツ再生装置１を基本構成とするコンテンツ再生装置１００、２００、４００、及び表示制御装置３００の各種機能を実現するようにしてもよいし、この記録媒体から各種プログラムをハードディスクドライブ５０６にインストールするようにしてもよい。
【０５７７】
（７）第１乃至第５の実施の形態に対する他の実施の形態
尚、上述の第１乃至第５の実施の形態では、コンテンツとして曲の音楽データを用いるようにした場合について述べたが、本発明はこれに限らず、曲以外の音楽データや、映像データ、プログラムデータなど、この他種々のコンテンツを用いるようにしてもよい。また、本発明は、コンテンツ再生装置１、１００、２００、４００、５００、表示制御装置３００として、パーソナルコンピュータや、携帯電話機、ＰＤＡ（Personal Digital Assistance ）、ポータブルオーディオプレイ、オーディオコンポ、ＤＶＤ（Digital Versatile Disc）レコーダ、ハードディスクレコーダなど、この他種々のコンテンツを扱う装置に広く適用することができる。
【０５７８】
また、上述の第１乃至第４の実施の形態では、属性情報Ｔｉに示される曲の特徴として、１２音解析した結果得られる曲の印象値を用いるようにした場合について述べたが、本発明はこれに限らず、例えば、周波数解析など、この他種々の解析方法の結果得られる値を曲の特徴として用いるようにしてもよいし、人間が数値化した曲の印象値を用いるようにしてもよい。
【産業上の利用可能性】
【０５７９】
本発明は、プレイリストにしたがって音楽データを再生するオーディオプレイヤなどのコンテンツ再生装置で広く利用することができる。
【図面の簡単な説明】
【０５８０】
【図１】本願発明の基本構成となるコンテンツ再生装置の構成を示す略線図である。
【図２】コンテンツ再生装置により音楽データの管理の説明に関する略線図である。
【図３】選択画面の構成を示す略線図である。
【図４】再生画面の構成を示す略線図である。
【図５】画面切換とそれに伴う再生制御の説明に関する略線図である。
【図６】チャンネルの切り換えと曲の切り換えの様子を示す略線図である。
【図７】ＭｕｓｉｃＳｔａｔｉｏｎファンクション起動処理手順を示すフローチャートである。
【図８】チャンネル切換処理手順を示すフローチャートである。
【図９】曲切換処理手順を示すフローチャートである。
【図１０】チャンネル表示設定画面の構成を示す略線図である。
【図１１】チャンネル表示設定処理手順を示すフローチャートである。
【図１２】第１の実施の形態によるコンテンツ再生装置の概要を示す略線図である。
【図１３】第１の実施の形態による音楽再生装置の構成を示す略線図である。
【図１４】第１の実施の形態によるリモートコントローラの構成を示す略線図である。
【図１５】第１の実施の形態による選択画面の構成を示す略線図である。
【図１６】第１の実施の形態による再生画面の構成を示す略線図である。
【図１７】第１の実施の形態による画面切換とそれに伴う再生制御の説明に関する略線図である。
【図１８】第１の実施の形態によるチャンネルの切り換えと曲の切り換えの様子を示す略線図である。
【図１９】第１の実施の形態によるＭｕｓｉｃＳｔａｔｉｏｎファンクション起動処理手順を示すフローチャートである。
【図２０】第１の実施の形態によるチャンネル切換処理手順を示すフローチャートである。
【図２１】第１の実施の形態による曲切換処理手順を示すフローチャートである。
【図２２】第１の実施の形態によるチャンネル表示設定画面の構成を示す略線図である。
【図２３】第１の実施の形態によるチャンネル表示設定処理手順を示すフローチャートである。
【図２４】第１の実施の形態によるリスト指定処理手順を示すフローチャートである。
【図２５】他の実施の形態による起動時チャンネル設定画面の構成を示す略線図である。
【図２６】第２の実施の形態によるコンテンツ再生装置の概要を示す略線図である。
【図２７】第２の実施の形態による音楽再生装置の構成を示す略線図である。
【図２８】第２の実施の形態によるリモートコントローラの構成を示す略線図である。
【図２９】第２の実施の形態によるリクエスト受付ダイアログの構成を示す略線図である。
【図３０】第２の実施の形態による削除確認ダイアログの構成を示す略線図である。
【図３１】第２の実施の形態による追加確認ダイアログの構成を示す略線図である。
【図３２】第２の実施の形態によるリスト編集処理手順を示すフローチャートである。
【図３３】第２の実施の形態によるデータ無通知ダイアログの構成を示す略線図である。
【図３４】第２の実施の形態による選択画面の表示例（１）を示す略線図である。
【図３５】第２の実施の形態による追加促し処理手順を示すフローチャートである。
【図３６】第２の実施の形態による選択画面の表示例（２）を示す略線図である。
【図３７】第２の実施の形態による更新通知処理手順を示すフローチャートである。
【図３８】第２の実施の形態による登録データ数更新処理手順を示すフローチャートである。
【図３９】他の実施の形態による再生制御処理手順を示すフローチャートである。
【図４０】他の実施の形態による選択画面の表示例を示す略線図である。
【図４１】第３の実施の形態による表示制御装置の概要を示す略線図である。
【図４２】第３の実施の形態による音楽再生装置の構成を示す略線図である。
【図４３】第３の実施の形態によるチャンネル追加通知ダイアログの構成を示す略線図である。
【図４４】第３の実施の形態による選択画面の表示例（１）を示す略線図である。
【図４５】第３の実施の形態によるチャンネル表示設定変更処理手順を示すフローチャートである。
【図４６】第３の実施の形態による選択画面の表示パターン例を示す略線図である。
【図４７】第３の実施の形態による画面彩度選定処理手順を示すフローチャートである。
【図４８】他の実施の形態による画面明度選定処理手順を示すフローチャートである。
【図４９】他の実施の形態による選択画面の表示パターン例を示すフローチャートである。
【図５０】第４の実施の形態によるコンテンツ再生装置の概要を示す略線図である。
【図５１】第４の実施の形態による音楽再生装置の構成を示す略線図である。
【図５２】第４の実施の形態によるイコライジング設定例を示す略線図である。
【図５３】第４の実施の形態によるイコライジング設定変更処理手順を示すフローチャートである。
【図５４】他の実施の形態による曲順変更処理手順を示すフローチャートである。
【図５５】他の実施の形態による再生開始位置変更処理手順を示すフローチャートである。
【図５６】第５の実施の形態によるコンテンツ再生装置のハードウェア構成を示す略線図である。
【符号の説明】
【０５８１】
１、１００、２００、４００、５００……コンテンツ再生装置、２……操作部、３、１０６、１１２、２０６……制御部、４、１１３、３０３……表示部、５……通信部、６……記憶部、７、１０３、１１６、２０３、４０１……再生部、１０、１２０……選択画面、２０、１３０……再生画面、３０、１４０……チャンネル表示設定画面、１０１……第１の入力部、１０２……第２の入力部、１０４、１１５、２０１……コンテンツ記憶部、１０５、１１７、２０２……リスト記憶部、１１０、２１０、３１０、４１０……音楽再生装置、１１１……受信部、１１８……計時部、１５０……起動時チャンネル設定画面、２０４……入力部、２０５、２１１……一時記憶部、３００……表示制御装置、１１２Ａ、１１２Ｄ、３０１、４０２……プレイリスト特徴抽出部、１１２Ｂ、３０２……表示パターン選定部、１１２Ｃ、３０４……表示制御部、１１２Ｅ、４０３……エフェクト選定部、１１２Ｆ、４０４……表示制御部、５０１……操作入力部、５０２……入力処理部、５０４……ＣＰＵ、５０５……ＲＯＭ、５０６……ハードディスクドライブ、５０７……ＲＡＭ、５１０……メディアドライブ、５１１……データ処理回路、５１２……スピーカ、５１３……表示処理部、５１４……ディスプレイ、Ａｄ……音楽データ、Ｂ１３……上方向ボタン、Ｂ１４……下方向ボタン、Ｂ１５……左方向ボタン、Ｂ１６……右方向ボタン、Ｂ１８……おまかせボタン、Ｂ２０……リクエストボタン、ＣＬ……チャンネルリスト、ＰＬ……チャンネルプレイリスト、ＲＭ１、ＲＭ２……リモートコントローラ。
【図１】
2008027536.tif 000003
【図２】
2008027536.tif 000004
【図３】
2008027536.tif 000005
【図４】
2008027536.tif 000006
【図５】
2008027536.tif 000007
【図６】
2008027536.tif 000008
【図７】
2008027536.tif 000009
【図８】
2008027536.tif 000010
【図９】
2008027536.tif 000011
【図１０】
2008027536.tif 000012
【図１１】
2008027536.tif 000013
【図１２】
2008027536.tif 000014
【図１３】
2008027536.tif 000015
【図１４】
2008027536.tif 000016
【図１５】
2008027536.tif 000017
【図１６】
2008027536.tif 000018
【図１７】
2008027536.tif 000019
【図１８】
2008027536.tif 000020
【図１９】
2008027536.tif 000021
【図２０】
2008027536.tif 000022
【図２１】
2008027536.tif 000023
【図２２】
2008027536.tif 000024
【図２３】
2008027536.tif 000025
【図２４】
2008027536.tif 000026
【図２５】
2008027536.tif 000027
【図２６】
2008027536.tif 000028
【図２７】
2008027536.tif 000029
【図２８】
2008027536.tif 000030
【図２９】
2008027536.tif 000031
【図３０】
2008027536.tif 000032
【図３１】
2008027536.tif 000033
【図３２】
2008027536.tif 000034
【図３３】
2008027536.tif 000035
【図３４】
2008027536.tif 000036
【図３５】
2008027536.tif 000037
【図３６】
2008027536.tif 000038
【図３７】
2008027536.tif 000039
【図３８】
2008027536.tif 000040
【図３９】
2008027536.tif 000041
【図４０】
2008027536.tif 000042
【図４１】
2008027536.tif 000043
【図４２】
2008027536.tif 000044
【図４３】
2008027536.tif 000045
【図４４】
2008027536.tif 000046
【図４５】
2008027536.tif 000047
【図４６】
2008027536.tif 000048
【図４７】
2008027536.tif 000049
【図４８】
2008027536.tif 000050
【図４９】
2008027536.tif 000051
【図５０】
2008027536.tif 000052
【図５１】
2008027536.tif 000053
【図５２】
2008027536.tif 000054
【図５３】
2008027536.tif 000055
【図５４】
2008027536.tif 000056
【図５５】
2008027536.tif 000057
【図５６】
2008027536.tif 000058